(57)【特許請求の範囲】
【請求項１】
第１方向に沿って補完的電気コネクタに結合するように構成された電気コネクタであって、この電気コネクタは、
電気絶縁性コネクタハウジングと、
このコネクタハウジングによって支持される複数の信号接点であって、複数の信号接点のそれぞれは、設置端部およびレセプタクル結合端部を画定し、各レセプタクル結合端部は、凹面表面およびこの凹面表面に対向する凸面表面を画定する先端を画定するものとを有してなり、
さらに、  １)信号接点は、少なくとも第１および第２リニアアレイに配置され、この第２リニアアレイは、第１方向に垂直である第２方向に沿う第１リニアアレイに直接隣接して配置され、それは、第１リニアアレイの信号接点の凹面表面が、第２リニアアレイの信号接点の凹面表面に面するようであり、  ２)リニアアレイのそれぞれに沿う直接隣接する信号接点は、それぞれの差動信号対を画定し、
さらに、電気絶縁性のリードフレームハウジング、リードフレームハウジングによって支持された第１リニアアレイの信号接点、および、リードフレームハウジングに取付けられた接地プレートを有するリードフレームアセンブリを有する電気コネクタ。
【請求項２】
各レセプタクル結合端部は、第１および第２接点位置を画定し、さらに、２つの接点位置でそれ自身のミラー像である補完的結合端部と結合するように構成される請求項１記載の電気コネクタ。
【請求項３】
各レセプタクル結合端は、中央軸心に沿って細長く、さらに、中央軸心に沿って第１接点位置から先端の終端端部まで測定された軸長を画定し、さらにその軸長は、約１ｍｍの低部端部および約３ｍｍの上部端部を有する範囲にある請求項２記載の電気コネクタ。
【請求項４】
軸長は、約１ｍｍである請求項３記載の電気コネクタ。
【請求項５】
第１接点位置のそれぞれは、補完的結合端部に沿ってレセプタクル結合端部および補完的結合端部のそれぞれの第１接点位置が、レセプタクル結合端および補完的結合端の他方の第２接点位置に接するまでの接触距離に当接し、かつ乗り、さらに、その接触距離は、約２ｍｍの低部端部および約５ｍｍの上部端部を有する範囲にある請求項３記載の電気コネクタ。
【請求項６】
ハウジングは、さらに、第１と第２リニアアレイとの間に配置された少なくとも１つの分割壁を有し、それは、第１リニアアレイの信号接点の凹面表面が、分割壁の第１表面に面するようなものであり、かつ、第２リニアアレイの信号接点の凹面表面が、第２方向に沿って第１表面と対向する分割壁の第２表面に面するようなものである請求項１記載の電気コネクタ。
【請求項７】
コネクタハウジングは、さらに第１方向に沿って第１および第２リニアアレイの先端の少なくとも一部分をオーバーラップするように第２方向に沿って分割壁から延びる少なくとも１つのカバー壁を画定する請求項６記載の電気コネクタ。
【請求項８】
さらに、第２方向に沿う分割壁から外方に延びる１対のリブを有し、１対のリブのそれぞれは、差動信号対の１つの信号接点の選択した１つを受けるポケットを画定するように、第１および第２方向の両方に垂直である第３方向に沿って一定間隔で配置される、請求項６記載の電気コネクタ。
【請求項９】
信号接点は、対向する側面部および側面部間で接続した対向する端縁を画定し、さらに、信号接点の選択した１つは、その端縁がリブに面するように方向付けられる請求項８記載の電気コネクタ。
【請求項１０】
信号接点の選択した１つの結合端部は、端縁の一方から側面部のそれぞれに沿う端縁の他方まで連続的に延びる請求項９記載の電気コネクタ。
【請求項１１】
第１リニアアレイは、リニアアレイの第１端部に配置された単一の電気ウィドー接点を画定し、さらに、第２リニアアレイは、第２リニアアレイの第２端部に配置された単一のウィドー接点と、第１端部に対向する第２端部と、および、それぞれの結合端部およびそれぞれの設置端部を有するウィドー接点のそれぞれとを画定する請求項１記載の電気コネクタ。
【請求項１２】
ウィドー接点のそれぞれの結合端部の間に配置されたそれぞれの接地の結合端部と、それぞれの第１および第２リニアアレイの差動信号対とをさらに有する請求項１１記載の電気コネクタ。
【請求項１３】
単一のウィドー接点は、それぞれの接地結合端部を除いて、それぞれのリニアアレイに沿う任意の他の電気接点に隣接して配置されない請求項１２記載の電気コネクタ。
【請求項１４】
さらに、リニアアレイの少なくとも１つに沿って第１および第２差動信号対間に配置された接地結合端部を有し、開口が、第２方向に沿って接地結合端部を通って延びる請求項１１記載の電気コネクタ。
【請求項１５】
接地プレートは、接地プレート本体、および接地プレート本体によって保持される複数のリブを有し、リブのそれぞれは、第１リニアアレイの隣接する差動信号対間の位置に延び、さらにリブのそれぞれは、接地結合端部および接地設置端部のそれぞれと整列した請求項１記載の電気コネクタ。
【請求項１６】
複数の設置端部は、リードフレームハウジングから遠位端まで外方に延びる軸を有するリード、および、両方の軸から角度をなして偏位される方向、および、第１および第２方向に垂直である第３方向に沿って軸の遠位端から延びるフックを画定する請求項１５記載の電気コネクタ。
【請求項１７】
第１リニアアレイの信号接点は、リードフレームハウジングを通って延びるチャンネルに存在し、さらに、リードフレームハウジングは、チャンネルを越えて延びて、それらが補完的信号接点と結合するとともに信号接点の屈曲に抵抗するように信号接点に接触する複数の突起部を画定する請求項１５記載の電気コネクタ。
【請求項１８】
リードフレームアセンブリは、リブのそれぞれのものと整列した位置でリードフレームハウジングを通って延びるリードフレーム開口を画定し、リードフレーム開口は、接地結合端部と、リブの１つと整列する接地設置端部との間の長さを画定し、長さが、整列した接地結合端部と接地設置端部との間のリブの１つの少なくとも１つの長さの半分である請求項１５記載の電気コネクタ。
【請求項１９】
リブは、接地プレート本体内に浮彫りにされる請求項１５記載の電気コネクタ。
【請求項２０】
設置端部は、第１および第２方向、および第２方向によって画定される第１平面に沿って方向付けされる第１基板に設置されるように構成され、さらに、結合端部は、第１リニアアレイと第２リニアアレイとの間のギャップを画定し、このギャップは、第１方向および第２方向の両方に垂直である第１方向に第３方向によって画定される第２プレートに沿って方向付けされる第２基板の先端を受けるように寸法採りされる請求項１記載の電気コネクタ。
【請求項２１】
各リニアアレイは、結合インタフェースでの信号接点の結合端部の隣接するものの間の接地結合端部と、設置インタフェースでの信号接点の設置端部の隣接するものの間の接地結合端部とを有し、さらに、電気コネクタは、設置インタフェースでの一定の接点ピッチと結合インタフェースでの可変接点ピッチとを画定する請求項１記載の電気コネクタ。
【請求項２２】
接地結合端部は、差動信号対のそれぞれのものの間に配置される請求項２１記載の電気コネクタ。
【請求項２３】
接地結合端部は、端縁から端縁までそれぞれのリニアアレイに沿う信号接点の結合端部のそれぞれによって画定される距離よりも大きい端縁から端縁までそれぞれのリニアアレイに沿う距離を画定する請求項２２記載の電気コネクタ。
【請求項２４】
結合端部は、設置端部に関してほぼ垂直に方向付けられる請求項１記載の電気コネクタ。
【請求項２５】
先端は、第１方向に対向する方向にコネクタハウジング内に窪んである請求項２４記載の電気コネクタ。
【請求項２６】
第１および第２リニアアレイのそれぞれに沿う各差動信号対の結合端部は、リニアアレイに沿って差動信号対の対向側面部のそれぞれの直接隣接する接地結合端部によって取囲まれる請求項１記載の電気コネクタ。
【請求項２７】
差動信号対は、３０GHzによる約０〜−２dBからの範囲内の挿入損失を同時に維持している間に、高々６パーセントの被害者対における、非同期の、マルチアクティブな、最悪の場合のクロストークで、毎秒４０ギガビットまでのデータ信号を伝達するように構成される請求項１記載の電気コネクタ。
【発明の詳細な説明】
【技術分野】
【０００１】
この発明は、電気コネクタに関する。
【背景技術】
【０００２】
[０００１] 米国特許公開２０１１/０００９０１１号は、クロストークの許容レベルで１３ＧＨｚ(約２６Gbit/秒)で作動することができるエッジ結合差動信号対を備えた電気コネクタを開示する。アンフェノールＴＣＳおよびＦＣＩは、商業的に電気コネクタのＥＸＣＥＤＥブランドを生産する。ＥＸＣＥＤＥブランドの電気コネクタは、２５ギガビット/秒性能用に設計されている。ＥＲＮＩエレクトロニクスは、ＥＲmet ＺＤＨＤの電気コネクタを製造する。ＥＲmet ＺＤＨＤの電気コネクタは、２５ギガビット/秒までのデータ速度用に設計されている。ＭＯＬＥＸは、また、ＩＭＰＥＬブランドの電気コネクタを製造する。ＩＭＰＥＬブランドの電気コネクタは、顧客が高速２５および４０ギガビット/秒導体パターンを確実にすることを可能にする計量可能な実行の低価格化解決策（price-for-performance）を提供する旨広告される。これらの電気コネクタのすべては、エッジ対エッジ結合差動信号対およびブレード結合インタフェースにおけるビームを有する。ＴＥコネクティビティは、市販のＳＴＲＡＤＡ ＷＨＩＳＰＥＲ電気コネクタを製造する。ＳＴＲＡＤＡ ＷＨＩＳＰＥＲ電気コネクタは、個々にシールドされた側面対側面結合差動信号対(twinax)を有し、４０ギガビット/秒までのデータ転送速度用に設計されている。ＳＴＲＡＤＡ ＷＨＩＳＰＥＲの電気コネクタは、また、ブレード結合インタフェースにおけるビームを使用する。承認は、上述されたコネクタのいずれも、以下に述べられる任意の発明に関して、先行技術の資格を与えることについてなされていない。
【発明の概要】
【０００３】
［０００２]電気コネクタは、第１方向に沿う補完的電気コネクタに結合するように構成される。この電気コネクタは、電気絶縁性のコネクタハウジング、およびこのコネクタハウジングによって支持される複数の信号接点を有することができる。複数の信号接点のそれぞれは、設置端部、およびレセプタクル結合端部を画定することができ、各レセプタクル結合端部は、凹面の表面およびこの凹面の表面に対向する凸面の表面を画定する先端を画定する。この信号接点は、少なくとも第１および第２リニアアレイ内に配置することができ、第２リニアアレイは、第１方向に垂直である第２方向に沿う第１リニアアレイに直接隣接して配置され、それは、第１リニアアレイの信号接点の凹面の表面が、第２リニアアレイの信号接点の凹面の表面に面するようなものである。リニアアレイのそれぞれに沿う直接隣接する信号接点は、それぞれの差動信号対を画定することができる。
【０００４】
[０００３]この出願の実施例の以下の詳細な記述と同様に、先行する要約は、付属の図面とともに読まれたときに、一層よく理解されるであろうし、それには、例証の目的のための実施例が図面に示されている。しかしながら、この出願は、図示された正確な配置および手段に限定されないことは理解されるべきである。
【図面の簡単な説明】
【０００５】
【図１】[０００４] 図１は、それぞれ、一実施例による電気コネクタアセンブリの斜視図であり、この電気コネクタアセンブリは、第１および第２基板、および、第１および第２基板に設置されるように構成された第１および第２電気コネクタを有する;
【図２Ａ】[０００５] 図２Ａは、図１で例証される第１電気コネクタの斜視図である;
【図２Ｂ】[０００６] 図２Ｂは、図２Ａで例証される第１電気コネクタの側面図である;
【図２Ｃ】[０００７]  図２Ｃは、図２Ａで例証される第１電気コネクタの正面図である;
【図３Ａ】[０００８] 図３Ａは、図２Ａで例証される第１電気コネクタのリードフレームアセンブリの分解斜視図である;
【図３Ｂ】[０００９]  図３Ｂは、図３Ａで例証されるリードフレームアセンブリの組み立てられた斜視図である;
【図４Ａ】[００１０] 図４Ａは、図１で例証される第２電気コネクタの斜視図である;
【図４Ｂ】[００１１] 図４Ｂは、図４Ａで例証される第２電気コネクタの正面図である;
【図５Ａ】[００１２]  図５Ａは、図４Ａで例証される第２電気コネクタのリードフレームアセンブリの分解斜視図である;
【図５Ｂ】[００１３] 図５Ｂは、図５Ａで例証されるリードフレームアセンブリの組み立てられた斜視図である;
【図５Ｃ】[００１４] 図５Ｃは、複数の信号接点上に重ね成型されたリードフレームハウジングを示す図５Ａで例証されるリードフレームアセンブリの一部の斜視図である;
【図６】[００１５] 図６は、図１で例証される第１および第２電気コネクタであって、相互に結合されて示される斜視図である;
【図７Ａ】[００１６] 図７Ａは、１つの実施例による電気コネクタの設置インタフェースの一部の斜視図である;
【図７Ｂ】[００１７] 図７Ｂは、図７Ａで例証される設置インタフェースの部分の他の斜視図である;
【図８Ａ】[００１８] 図８Ａは、図２Ａで例証される第１電気コネクタに近似しているが、代りの実施例によって構築された第１電気コネクタの斜視図である;
【図８Ｂ】[００１９] 図８Ｂは、図４Ａで例証される第２電気コネクタに近似しているが、代りの実施例によって構築された第２電気コネクタの斜視図である;
【図９Ａ】[００２０] 図９Ａは、図２Ａで例証されるような第１電気コネクタに近似しているが、代りの実施例によって構築された第１電気コネクタの斜視図である;
【図９Ｂ】[００２１] 図９Ｂは、図９Ａで例証される第１電気コネクタの正面図である;
【図１０】[００２２] 図１０は、図４Ａで例証されるような第２電気コネクタに近似しているが、代りの実施例によって構築された第２電気コネクタの斜視図であり、図９Ａで例証される第１電気コネクタを結合するように構成される;
【図１１】[００２３] 図１１は、図９Ａで例証されるが、カバー壁を欠いている第１電気コネクタの斜視図である；
【図１２Ａ】[００２４] 図１２Ａは、図１０で示されているが、カバー壁を有する第２電気コネクタの斜視図である;
【図１２Ｂ】[００２５] 図１２Ｂは、図１２Ａで例証される第２電気コネクタの正面図である;
【図１３】[００２６] 図１３は、図９および１１で例証される第１電気コネクタの１つを有する電気コネクタアセンブリの斜視図であり、図１０および１２で例証される第２電気コネクタの１つであり、相互に結合された第１および第２電気コネクタを示している;
【図１４】[００２７] 図１４は、相互に結合するように構築された第１および第２電気コネクタを有する電気コネクタアセンブリの分解斜視図であり、この第１および第２電気コネクタは、図１で例証されるが第１および第２電気コネクタに近似しているが、代りの実施例にしたがって構築される;
【図１５Ａ】[００２８] 図１５Ａは、ほぼ 図２Ａで例証されるような第１電気コネクタの斜視図であるが、代りの実施例によって構築され、さらに、接点支持突出部を有する；
【図１５Ｂ】[００２９] 図１５Ｂは、図１５Ａで例証される第１電気コネクタのリードフレームアセンブリの１つの斜視図である;
【図１５Ｃ】[００３０] 図１５Ｃは、図１５Ｂで例証されるリードフレームアセンブリの分解斜視図である;
【図１６Ａ】[００３１] 図１６Ａは、ほぼ図４Ａで例証されるような第２電気コネクタの斜視図であるが、代りの実施例によって構築され、さらに接点支持突出部およびリードフレーム開口を有する；
【図１６Ｂ】[００３２] 図１６Ｂは、図１５Ａで例証される第１電気コネクタのリードフレームアセンブリの第１斜視図である;
【図１６Ｃ】[００３３] 図１６Ｃは、図１６Ｂで例証されるリードフレームアセンブリの第２斜視図である;
【図１６Ｄ】[００３４] 図１６Ｄは、図１６Ｂで例証されるリードフレームアセンブリの分解斜視図である;
【図１７】[００３５] 図１７は、図１で例証されるタイプの電気コネクタアセンブリの分解斜視図であるが、他の実施例によって構築される第１および第２電気コネクタを有し、第１および第２電気コネクタは、相互に結合するように構築され、第１および第２電気コネクタは、例証の目的のために除去された設置尾部とともに示される;
【図１８Ａ】[００３６] 図１８Ａは、図２Ａで例証されるような第１電気コネクタの斜視図であるが、説明の目的のために除去された設置尾部とともに示されたリードフレーム開口を有する代りの実施例によって構築される;
【図１８Ｂ】[００３７] 図１８Ｂは、説明の目的のために除去された設置尾部とともに示された図１８Ａで例証される第１電気コネクタのリードフレームアセンブリの斜視図である;
【図１８Ｃ】[００３８] 図１８Ｃは、図１８Ｂで例証されるような第１電気コネクタのリードフレームアセンブリの分解組立図である;
【図１９Ａ】[００３９] 図１９Ａは、図４Ａで例証されるような第２電気コネクタの斜視図であるが、リードフレーム開口を有する代りの実施例によって構成され、図１８Ａで例証される第１電気コネクタと結合するように構築される;
【図１９Ｂ】[００４０] 図１９Ｂは、図１９Ａで例証される第２電気コネクタのリードフレームアセンブリの斜視図である;
【図１９Ｃ】[００４１] 図１９Ｃは、図１９Ｂで例証されるような第２電気コネクタのリードフレームアセンブリの分解組立図である;
【図２０】[００４２] 図２０は、他の実施例によって構成される直角の電気コネクタアセンブリの斜視図であり、第１および第２基板を有し、第１電気コネクタは、第１基板に設置されるように構成され、第２電気コネクタは、第１コネクタに直角であり、さらに、第１および第２電気コネクタが、それぞれ第１および第２基板に設置されて、相互に結合される場合に、第１および第２基板が相互に直角であるように第２基板に設置されるように構築され；
【図２１Ａ】[００４３] 図２１Ａは、図２０で例証される第１電気コネクタの斜視図である;
【図２１Ｂ】[００４４] 図２１Ｂは、図２０で例証される第１電気コネクタの他の斜視図である;
【図２２Ａ】[００４５] 図２２Ａは、図２１Ａで例証される第１電気コネクタのリードフレームアセンブリの斜視図である;
【図２２Ｂ】[００４６] 図２２Ｂは、図２２Ａで例証されるリードフレームアセンブリの一部の斜視図である;
【図２３Ａ】[００４７] 図２３Ａは、図２０で例証される第１電気コネクタの断面斜視図である;
【図２３Ｂ】[００４８] 図２３Ｂは、領域２３Ｂで得られた図２３Ａで例証される第１電気コネクタの一部拡大斜視図である;
【図２４Ａ】[００４９] 図２４Ａは、図２０で示された第１電気コネクタのコネクタハウジングの正面斜視図である;
【図２４Ｂ】[００５０] 図２４Ｂは、図２０で例証される第１電気コネクタのコネクタハウジングの後部斜視図である;
【図２５】[００５１] 図２５は、それぞれ図２０で例証されるが、さらに中央平面(midplane)およびこの中央平面を介して設置され、かつ第１および第２電気コネクタと結合するように構成された１対の電気コネクタを有する直角の電気コネクタアセンブリの斜視図である;
【図２６Ａ】[００５２] 図２６Ａは、第１基板、電気コネクタ、および第２基板を有する代りの実施例によって構築された直角の電気コネクタアセンブリの分解斜視図である;
【図２６Ｂ】[００５３] 図２６Ｂは、図２６Ａで例証される直角の電気コネクタアセンブリの他の分解斜視図である;
【図２６Ｃ】[００５４] 図２６Ｃは、第１基板に設置され、第２基板と結合した電気コネクタを示す図２６Ａで例証される直角の電気コネクタアセンブリの側面図である;
【図２６Ｄ】[００５５] 図２６Ｄは、第１基板に設置されて、第２基板と結合した電気コネクタを示す、図２６Ａで、除去されて示される電気コネクタのコネクタハウジングの一部とともに、例証される直角の電気コネクタアセンブリの斜視図であり;
【図２６Ｅ】[００５６] 図２６Ｅは、他の実施例によって構築されて示された図２６Ａで例証される直角の電気コネクタアセンブリに近似している直角の電気コネクタアセンブリの斜視図である;
【図２７】[００５７] 図２７は、第１電気コネクタ、および相互に結合するように構成された第２電気コネクタを有する１つの実施例によって構築された電気ケーブルコネクタアセンブリの斜視図である;
【図２８】[００５８] 図２８は、図２７に例証される第２電気ケーブルコネクタアセンブリのリードフレームアセンブリの斜視分解図である;
【図２９】[００５９] 図２９は、部分的に組み立てられた構成において示される図２８で例証されたリードフレームアセンブリの斜視図である;
【図３０】[００６０] 図３０は、図２７で例証された第２電気コネクタのケーブルの１つの断面図である;
【図３１Ａ】[００６１] 図３１Ａは、相互に結合するように整列された中２階(mezzanine)コネクタを示して、それら自身と結合するように構成される第１および第２中性(gender-neutral)中２階コネクタを有する中２階電気コネクタアセンブリの斜視図である;
【図３１Ｂ】[００６２] 図３１Ｂは、相互に結合された中２階コネクタを示して、図３１Ａで例証される中２階電気コネクタアセンブリの斜視図である;
【図３１Ｃ】[００６３] 図３１Ｃは、図３１Ａで例証される中２階コネクタの１つのリードフレームアセンブリの斜視図である;
【図３１Ｄ】[００６４] 図３１Ｄは、図３１Ｃで示されたリードフレームアセンブリの斜視図である;
【図３２Ａ】[００６５] 図３２Ａは、ここに記述された任意の実施例の第１電気コネクタの信号接点のそれぞれの１つのレセプタクル結合端部の構造を示す側面図である;
【図３２Ｂ】[００６６] 図３２Ｂは、任意の実施例の第２電気コネクタの信号接点のそれぞれの１つの補完的レセプタクルを結合端部と結合するように整列した図３２Ａで例証される、ここに記述されたレセプタクルの結合端部を示す側面図である;
【図３２Ｃ】[００６７] 図３２Ｃは、第１の部分的に結合された構成中に示される図３２Ｂで例証されるレセプタクル結合端部を示す側面図である;
【図３２Ｄ】[００６８] 図３２Ｄは、図３２Ｃで例証されたレセプタクル結合端部を示す側面図であり、第１の部分的に結合された構成よりも、より全体的に結合された第２の部分的に結合された構成を示す;
【図３２Ｅ】[００６９] 図３２Ｅは、第２の部分的に結合された構成よりもより全体的に結合された第３の部分的に結合された構成において示される図３２Ｄで例証されるレセプタクル結合端部を示す側面図である;
【図３２Ｆ】[００７０] 図３２Ｆは、全体に結合された構成において示されて、図３２Ｅで例証されたレセプタクル結合端部を示す側面図である;
【図３３Ａ】[００７１] 図３３Ａは、ここに記述されるように構築された電気コネクタの信号接点の挿入深さに対する垂直力を例証する第１グラフである;
【図３３Ｂ】[００７２] 図３３Ｂは、ここに記述されるように構築された電気コネクタの接地結合端部の挿入深さに対する垂直力を例証する第２グラフである。
【発明の詳細な説明】
【０００６】
[００７３] 初めに図１−３Ｂを参照して、電気コネクタアセンブリ１０は、第１電気コネクタ１００、この第１電気コネクタ１００と結合するように構成された第２電気コネクタ２００、第１基板３００ａのような第１電気部品、および第２基板３００ｂのような第２電気部品を有することができる。第１および第２基板３００ａおよび３００は、第１および第２印刷回路板としてそれぞれ構成することができる。例えば、第１基板３００ａは、配線盤として構成することができ、または中央平面、ドーターカード、または任意の適切な代替電気部品として代りに構成することができる。第２基板３００ｂは、ドーターカードとして構成することができ、または代りに、配線盤、中央平面または任意の適切な代替電気部品として構成することができる。第１電気コネクタ１００は、第１基板３００ａと電気通信する第１電気コネクタ１００を置くように第１基板３００ａに設置されるように構成することができる。同様に、第２電気コネクタ２００は、第２基板３００ｂと電気通信する第２電気コネクタ２００を置くように第２基板３００ｂに設置されるように構成することができる。第１および第２電気コネクタ１００および２００は、さらに、第２電気コネクタ２００と電気通信する第１電気コネクタ１００を置くように結合方向に沿って相互に結合するように構成される。結合方向は、例えば、長手方向Ｌを画定することができる。したがって、第１および第２電気コネクタ１００および２００は、第２基板３００ｂと電気通信する第１基板３００ａを置くように相互に結合することができる。第１および第２電気コネクタ１００および２００は、型押しされたリードフレーム、型押しされたクロストークシールド、および単純な樹脂の重ね成型によって容易に製造することができる。導電層を備えた高価なプラスチックは、必要ではない。柔軟なビーム結合インタフェースに対する柔軟なビームは、軸長を減少するようにシミュレーション中に示され、それは、順番に、望まれない挿入損失共振の厳しさを著しく移動するか、または減少する。
【０００７】
[００７４] 例証された実施例にしたがって、第１電気コネクタ１００は、結合インタフェース１０２、および結合インタフェース１０２とほぼ平行に方向付けられる設置インタフェース１０４を画定する垂直の電気コネクタとして構築することができる。代りに、第１電気コネクタ１００は、それによって結合インタフェース１０２が、設置インタフェース１０４に関してほぼ垂直に方向付けられる直角の電気コネクタとして構成することができる。第２電気コネクタ２００は、結合インタフェース２０２、およびこの結合インタフェース２０２にほぼ垂直に方向付けられる設置インタフェース２０４を画定する直角の電気コネクタとして構築することができる。代りに、第２電気コネクタ２００は、垂直の電気コネクタとして構成することができ、それによって結合インタフェース２０２が、設置インタフェース２０４にほぼ垂直に方向付けられる。第１電気コネクタ１００は、その結合インタフェース１０２で第２電気コネクタ２００の結合インタフェース２０２と結合するように構成される。同様に、第２電気コネクタ２００は、その結合インタフェース２０２で第１電気コネクタ１００の結合インタフェース１０２と結合するように構成される。
【０００８】
[００７５] 第１電気コネクタ１００は、誘電体、または電気絶縁性のコネクタハウジング１０６、およびコネクタハウジンング１０６によって支持される複数の電気接点１５０を有する。複数の電気接点１５０は、電気コネクタアセンブリ１０に関して第１の複数の電気接点として参照することができる。複数の電気接点１５０は、第１の複数の信号接点１５２、および第１の複数の接地接点１５４を有することができる。
【０００９】
[００７６] 図１−３Ｂについての持続的な参照によって、第１電気コネクタ１００は、複数の電気信号接点１５２の選択したものと、少なくとも１つの接地接点１５４とを有する複数のリードフレームアセンブリ１３０を有することができる。リードフレームアセンブリ１３０は、それらが列（row）方向に沿って相互から一定間隔で配置されるようなコネクタハウジング１０６によって支持することができ、それは、長手（longitudinal）方向Ｌにほぼ垂直である横（lateral）方向Ａを画定することができる。各リードフレームアセンブリ１３０の電気接点１５０は、縦列(column)方向に沿って配置することができ、それは、長手方向Ｌおよび横方向Ａの両方にほぼ垂直である横断（交差）(transverse)方向Ｔによって画定することができる。
【００１０】
[００７７] 電気信号接点１５２は、結合インタフェース１０２に沿って延びるそれぞれの結合端部１５６、および、設置インタフェース１０４に沿って延びる設置端部１５８を画定することができる。接地接点１５４のそれぞれは、結合インタフェース１０２に沿って延びるそれぞれの接地結合端部１７２、および、設置インタフェース１０４に沿って延びる接地設置端部１７４を画定することができ、さらに接地設置端部１７２と電気通信することができる。したがって、電気接点１５０は結合端部を画定することができ、それは、電気信号接点１５２の結合端部１５６および接地結合端部１７２を有することができ、さらに、電気接点１５０はさらに設置端部を画定することができ、それは、電気信号接点１５２の設置端部１５８および接地設置端部１７４を有することができることをいうことができる。以下の記述から認識されるように、接地結合端部１７２および接地設置端部１７４を有する各接地接点１５４は、それぞれのリードフレームアセンブリ１３０の接地プレート１６８によって画定することができる。接地プレート１６８は、望まれるように、電気伝導性であることができる。代りに、接地結合端部１７２および接地設置端部１７４は、望まれるように、個々の接地接点によって画定することができる。
【００１１】
[００７８] 信号接点１５２は、垂直の接点として構築することができ、それによって結合端部１５６および設置端部１５８は、相互にほぼ平行に方向付けられる。代りに、例えば、第１電気コネクタ１００が直角のコネクタとして構成される場合、信号接点１５２は、直角の接点として構築することができ、それによって、結合端部１５６および設置端部１５８は、相互にほぼ垂直に方向付けられる。各信号接点１５２は、対向する側面部１６０の間に延びる１対の対向する側面部１６０および１対の対向する端部１６２を画定することができる。対向する側面部１６０のそれぞれは、横方向Ａおよびしたがって列方向に沿って相互から第１距離、離間して配置することができる。対向する端部１６２のそれぞれは、横断方向Ｔ、およびしたがって縦列方向に沿って相互にその第１距離より大きい第２距離、離間して配置することができる。したがって、側面部１６０は、横断方向Ｔに沿う対向する端部１６２の間の長さを画定することができ、さらに、端部１６２は、横方向Ａに沿う対向する側面部間の長さを画定することができる。特に明記しない限り、端部１６２および側面部１６０は、端部１６２および側面部１６０の両方にほぼ垂直に方向づけられる平面におけるそれぞれの長さを画定することができる。側面部１６０の長さは、端部１６２の長さより大きい。
【００１２】
[００７９]各信号接点１５２の結合端部１５６は、柔軟なビームとして構成することができ、それは、また、レセプタクル結合端部として参照することができ、信号接点１５２の自由端を画定することができるカーブのように曲がった遠位の先端１６４を画定するレセプタクル結合端部として参照することができる。ここに記述されるような曲がった構造は、例えば、端部を曲げることによって、または、曲がっている形を型押しすることによって、または、任意の他の適切な製造工程によって組立て製造することができる曲がった形状を参照する。曲がった先端１６４の少なくとも一部分は、横方向に沿う設置端部１５８に関して偏位することができる。例えば、電気信号の接点１５２が結合方向に沿って延びるとともに、先端１６４は、横方向Ａに沿って外方に拡大することができ、さらにその後、電気信号接点１５２がさらに結合方向に沿って延びるとともに、横方向Ａに沿って内方に拡大することができる。電気接点１５０は、縦列方向に沿う電気信号接点１５２の隣接するものが、対１６６を画定することができるように配置することができる。電気信号接点１５２の各対１６６は、差動信号対を画定することができる。さらに、各対１６６の各電気信号の端縁１６２の１つは、各対１６６の他の電気信号接点１５２の端縁１６２の１つに面することができる。したがって、対１６６は、エッジ結合の差動信号対として参照することができる。電気接点１５０は、縦列方向に沿う電気信号接点１５２の対１６６の直接隣接するものの間に配置される接地結合端部１７２を有することができる。電気接点１５０は、縦列方向に沿う電気信号接点１５２の対１６６の直接隣接するものの間に配置される接地設置端部１７４を有することができる。直接隣接するということは、直接隣接する差動信号対１６６間に、追加の差動信号対、または信号接点がないという事実を参照することができる。
【００１３】
[００８０] 電気接点１５０が、電気信号接点１５２および接地結合端部１７２の結合端部１５６を有して、縦列方向に沿って延びる電気接点１５０のリニアアレイに沿って相互から一定間隔で配置することができることは認識されるべきである。リニアアレイ１５１は、それぞれのリードフレームアセンブリ１３０によって画定することができる。例えば、電気接点１５０は、第１端部１５１ａから第２端部１５１ｂまでのリニアアレイに沿って、縦列方向のような第１方向に沿って、および、リニアアレイに沿って第２端部１５１ｂから第１端部１５１ａまでの第１方向に対向する第２方向に沿って、相互からともに間隔を置くことができる。第１および第２の両方向は、このように縦列方向に沿って延びる。電気接点１５０は、結合端部１５６および接地結合端部１７２を有して、さらに設置端部１５８および接地設置端部１７４を有して、Ｓ−Ｓ−Ｇ、Ｇ−Ｓ−Ｓ、Ｓ−Ｇ−Ｓ、または任意の適切な代りの接点パターンを有する第１方向におけるそれぞれの望まれたものにおけるように、任意の繰返す接点パターンを画定することができ、ここで、「Ｓ」は、電気信号を表わし、かつ「Ｇ」は、接地を表わす。さらに、列方向に沿って相互に隣接するリードフレームアセンブリ１３０の電気接点１５０は、異なる接点パターンを画定することができる。１つの実施例によれば、リードフレームアセンブリ１３０は、列方向に沿って相互に隣接する第１および第２リードフレームアセンブリ１３０ａおよび１３０ｂの対１６１をそれぞれ配置することができる。第１リードフレームアセンブリ１３０ａの電気接点１５０は、結合端部で第１リニアアレイ１５１に沿って配置される。第１リードフレームアセンブリ１３０ａの電気接点１５０は、結合端部で第２リニアアレイ１５１に沿って配置される。第１リードフレームアセンブリ１３０ａは、第１方向に第１接点パターンを画定することができ、さらに、第２リードフレームアセンブリ１３０ｂは、第１接点パターンの第１リードフレームアセンブリと異なる第１方向に第２接点パターンを画定することができる。
【００１４】
[００８１]第１および第２リニアアレイ１５１のそれぞれは、第１および第２方向の両方に沿うそれぞれのリニアアレイ１５１のすべての差動信号対１６６の結合端部１５６に隣接する接地結合端部１７２を有することができる。したがって、すべての差動信号対１６６の結合端部１５６は、それぞれの接地結合端部１７２によってそれぞれのリニアアレイに沿って対向する側面部において側面部を接する（flank）。同様に、第１および第２リニアアレイ１５１のそれぞれは、第１および第２方向の両方に沿ったそれぞれのリニアアレイ１５１のすべての差動信号対１６６の設置端部１５４に隣接する接地設置端部１７４を有することができる。したがって、すべての差動信号対１６６の設置端部１５４は、それぞれの接地設置端部１７４によってそれぞれのリニアアレイに沿って対向する側面部において側面部を接する。
【００１５】
[００８２]例えば、第１リードフレームアセンブリ１３０ａは、第１方向に沿ったＧ−Ｓ−Ｓの繰返し接点パターンを画定することができ、それは、第２端部１５１ｂの最後の電気接点１５０であって、最低端部であることができるが、リードフレームハウジングによって重ね成型することができるか、または、電気信号接点１５２に関して記述されたように、リードフレームハウジング内に止める（stitch）ことができる単一のウィドー接点１５２ａであるようなものである。信号接点１５２への参照が、単一のウィドー接点１５２ａを有することは明瞭さの目的のために認識されるべきである。単一のウィドー接点１５２ａの結合端部１５６および設置端部１５８は、縦列方向に沿う接地結合端部１７２および接地設置端部１７４の選択した一方に隣接して配置することができ、さらに、縦列方向に沿う結合端部または設置端部を有する他の任意の電気接点１５０に隣接して配置されない。したがって、接地結合端部１７２および接地設置端部１７６の選択した一方は、リニアアレイ１５１に沿う第１方向に単一のウィドー接点１５２ａから一定間隔で配置することができる。第２リードフレームアセンブリ１３０ｂは、第２方向に沿ってＧ−Ｓ−Ｓの繰返す接点パターンを画定することができ、それは、最上部の端部であることができるリニアアレイの第１端部１５１ａの最後の電気接点１５０が、単一のウィドー接点１５２ａであるようなものである。第２リードフレームアセンブリ１３０ｂの単一のウィドー接点１５２ａは、選択した接地結合端部１７２および縦列方向に沿う接地設置端部１７４に隣接して配置することができ、さらに縦列方向に沿って、結合端部および設置端部を有する他の任意の電気接点１５０に隣接して配置されない。したがって、接地結合端部１７２および接地設置端部１７４の選択した一方は、リニアアレイに沿った第２方向に単一のウィドー接点１５２ａから一定間隔で配置することができる。したがって、単一のウィドー接点１５２ａの位置は、それぞれの第１リニアアレイ１５２の第１端部１５１ａから、第１リニアアレイに直接隣接し、かつこの第１リニアアレイに平行に方向付けされるそれぞれの第２リニアアレイ１５１の第２の対向する端部１５１ｂまで、交互にあることができる。単一のウィドー接点１５２ａは、単一端信号接点、低速または低周波信号接点、パワー接点、接地接点、または他のいくつかのユーティリィティ接点であることができる。
【００１６】
[００８３]例証された実施例によれば、信号接点１５２の結合端部１５６および接地結合端部１７２は、結合インタフェース１０２で、リニアアレイ１５１に沿って、そしてしたがって横断方向Ｔに沿って整列することができる。さらに、その信号接点１５２の設置端部１５８、および接地設置端部１７４は、リニアアレイ１５１に沿って、そしてしたがって設置インタフェース１０４で横断方向Ｔに沿って整列することができる。その信号接点１５２の設置端部１５８、および接地設置端部１７４は、リニアアレイに沿った、または設置インタフェース１０４で、また列ピッチとして参照されたリニアアレイを有する平面に沿った、一定の接点ピッチを画定するように、設置インタフェース１０４で横断方向Ｔに沿って相互から一定間隔で配置することができる。すなわち、電気接点１５０の隣接する設置端部間の中心間（center-to-center）距離は、リニアアレイ１５１に沿って一定であることができる。したがって、電気接点１５０は、第１、第２、および第３設置端部を画定することができ、それによって、第１および第３設置端部の両方は、第２設置端部に直接隣接する。電気接点１５０は、横方向Ａに沿って延び、さらに横断方向Ｔに沿って設置端部を分岐するそれぞれのセンターラインを画定する。電気接点１５０は、第１設置端部のセンターラインと第２設置端部のセンターラインとの間の第１距離、および第２設置端部のセンターラインと第３設置端部のセンターラインとの間の第２距離を画定する。第１距離は、第２距離と等しくすることができる。
【００１７】
[００８４]信号接点１５２の結合端部１５６、および接地結合端部１７２は、列ピッチとして知られている結合インタフェース１０２で、縦列方向、またはリニアアレイ１５１に沿う可変接点ピッチを画定するように、結合インタフェース１０２で横断方向Ｔに沿って相互から離れて一定間隔で配置することができる。すなわち、電気接点１５０の隣接する結合端部間の中心間距離は、リニアアレイ１５１に沿って変わることができる。したがって、電気接点１５０は、第１、第２、および第３結合端部を画定することができ、それによって、第１および第３結合端部の両方は、第２結合端部に直接隣接する。電気接点１５０は、横方向Ａに沿って延びるそれぞれのセンターラインを画定し、さらに、横断方向Ｔに沿って結合端部を分岐する。電気接点１５０は、第１結合端部のセンターラインと第２結合端部のセンターラインとの間の第１距離、および、第２結合端部のセンターラインと第３の結合端部のセンターラインとの間の第２距離を画定する。第２距離は、第１距離よりも大きくあることができる。
【００１８】
［００８５］第１および第２結合端部と第１および第２設置端部とは、それぞれ第１および第２電気信号接点１５２の結合端部１５６および設置端部１５８を画定することができる。第３結合端部および設置端部は、それぞれに接地結合端部１７２および接地設置端部１７４によって画定することができる。例えば、接地結合端部１７２は、リニアアレイ１５１における電気信号接点１５２のそれぞれの横断方向における高さより大きい横断方向Ｔに沿う高さを画定することができる。例えば、各接地結合端部１７２は、１対の対向する側面部１７６、およびこの対向する側面部１７６間に延びる１対の対向する端縁１７８を画定することができる。対向する側面部１７６のそれぞれは、横方向Ａ、そしてしたがって列方向に沿って、第１距離、相互から離れて一定間隔で配置することができる。対向する端縁１７８のそれぞれは、横断方向Ｔ、そしてしたがって縦列方向に沿って、第１距離より大きい第２距離、相互から離れて一定間隔で配置することができる。したがって、側面部１７６は、横断方向Ｔに沿って対向する端縁１７８の間の長さを画定することができ、さらに、端縁１７８は、横方向Ａに沿って対向する側面部１７６間の長さを画定することができる。特に明記しない限り、端縁１７８および側面部１７６は、端縁１７８および側面部１７６の両方にほぼ垂直に方向付けられる平面におけるそれぞれの長さを画定することができる。側面部１７６の長さは、端縁１７８の長さより大きい。さらに、側面部１７６の長さは、電気信号接点１５２の側面部１６０、特には結合端部１５６における長さより大きい。
【００１９】
[００８６]１つの実施例によれば、他の結合端部が、直接隣接する結合端部間にないことを意味する信号接点１５２の、直接隣接する結合端部１５６は、約１.０ｍｍのリニアアレイ１５１に沿う接点ピッチを画定する。リニアアレイ１５１に沿って相互に直接隣接する結合端部１５６および接地結合端部１７２は、約１.３ｍｍのリニアアレイ１５１に沿う接点ピッチを画定する。さらに、電気接点１５０の直接隣接する結合端部の端縁は、リニアアレイ１５１に沿うその間の一定のギャップを画定することができる。電気接点の直接隣接する設置端部は、すべて、約１.２ｍｍのような一定距離相互から離れて一定間隔で配置することができる。リニアアレイに沿う電気接点１５０の直接隣接する設置端部は、例えば約１．２ｍｍの、ほぼ一定の列ピッチを画定することができる。したがって、信号接点１５２の直接隣接する設置端部１５８は、約１.２ｍｍのリニアアレイ１５１に沿う接点ピッチを画定する。リニアアレイ１５１に沿って相互に、直接隣接する設置端部１５６および接地設置端部１７４は、また、約１.２ｍｍのリニアアレイ１５１に沿う接地ピッチを画定することができる。接地結合端部は、それぞれのリニアアレイに沿って、そしてしたがって、横断方向Ｔに沿って、端縁から端縁まで、信号接点の結合端部のそれぞれによって画定される距離より大きい距離を画定する。
【００２０】
[００８７] 第１電気コネクタ１００は、空気、またはプラスチックのような列方向および縦列方向のいずれか、またはその両方に沿って相互から信号接点１５２を分離する任意の適切な誘電体材料を有することができる。設置端部１５８および接地設置端部１７４は、プレス嵌め尾部、表面設置尾部、ハンダボールのような可溶部、または、それらの組合せであって、第１基板３００ａのような補完的電気部品に電気接続するように構成されるものとして構成することができる。この点に関して、第１基板３００ａは、配線盤として構成することができ、それは、電気コネクタアセンブリ１０が、１つの実施例における配線盤電気コネクタアセンブリとして参照することができるようなものである。
【００２１】
[００８８] 上述されたように、第１電気コネクタ１００は、第１方向であって長手方向Ｌを画定することができる方向に沿う第２電気コネクタ２００と結合し、かつこれから離脱するように構成される。例えば、第１電気コネクタ１００は、長手方向前方の結合方向Ｍに沿って第２電気コネクタ２００と結合するように構成され、さらに、長手方向後方の離脱方向ＵＭに沿って第２コネクタ２００から離脱することができる。リードフレームアセンブリ１３０のそれぞれは、第１方向および第２方向によって画定される平面に沿って方向付けることができ、それは、第１方向にほぼ垂直に延びる横断方向Ｔを画定することができる。それぞれの結合端部１５６および設置端部１５８を有する信号接点１５２、および、各リードフレームアセンブリ１３０の接地係合端部１７２および接地設置端部１７４は、縦列方向を画定することができる横断方向Ｔに沿って、相互から一定間隔で配置される。リードフレームアセンブリ１３０は、横方向Ａを画定することができる第３方向であって、第１および第２両方向にほぼ垂直に延びる方向に沿って一定間隔で配置することができ、かつ列方向Ｒを画定することができる。例証されるように、これらの方向は、例えば、使用の間の電気コネクタアセンブリ１０の方向付けに依存して変わることができることは認識されるべきであるが、長手方向Ｌおよび横方向Ａは、水平に延び、さらに、横断方向Ｔは、垂直に延びる。ここに別段の定めがない限り、用語「横方向の」、「長手方向の」、「横断方向」は、参照されている電気コネクタアセンブリ１０の部品の直角の方向性のある部品について記述するように使用される。
【００２２】
[００８９] 今度は特に図３Ａ−３Ｂを参照して、第１電気コネクタ１００は、コネクタハウジング１０６によって支持され、かつ、列方向に沿って配置される複数のリードフレームアセンブリ１３０を有することができる。電気コネクタ１００は、例証された実施例による６個のように、望まれるように多くのリードフレームアセンブリ１３０を有することができる。１つの実施例によれば、各リードフレームアセンブリ１３０は、誘電性の、または電気絶縁性のリードフレームハウジング１３２、および、リードフレームハウジング１３２によって支持される複数の電気接点１５０を有することができる。例証された実施例によれば、各リードフレームアセンブリ１３０は、リードフレームハウジング１３２によって支持される複数の信号接点１５２、および、接地プレート１６８として構成することができる接地接点１５４を有することができる。信号接点１５２は、リードフレームアセンブリ１３０がインサート成型されたリードフレームアセンブリ(ＩＭＩＡ)として構成されるように、誘電性のリードフレームハウジング１３２によって重ね成型することができ、または、リードフレームハウジング１３２内に止められる（stitch）か、またはそうでなければ、それによって支持されることができる。接地プレート１６８は、リードフレームハウジング１３２に取付けることができる。
【００２３】
[００９０] 接地プレート１６８は、プレート本体１７０、および、このプレート本体１７０から外に延びる複数の接地結合端部１７２を有する。例えば、接地結合端部は、長手方向Ｌに沿ってプレート本体１７０から前方に延びることができる。接地結合端部１７２は、したがって、横断方向Ｔおよびリニアアレイ１５１に沿って整列することができる。接地プレート１６８は、さらに、プレート本体１７０から外に延びる複数の接地設置端部１７４を有する。例えば、接地設置端部１７４は、長手方向Ｌに沿って、接地係合端部１７２と対向して、プレート本体１７０から後方に延びることができる。したがって、接地結合端部１７２および接地設置端部１７４は、相互にほぼ平行に方向付けすることができる。もちろん、認識されるべきであることは、接地プレート１６８は、接地結合端部１７２および接地設置端部１７４が、相互にほぼ垂直に方向付けされるように、直角のリードフレームハウジングに取付けるように構成することができることである。接地結合端部１７２は、第２電気コネクタ２００のような、補完的電気コネクタの補完的接地結合端部１７２に電気接続するように構成することができる。接地設置端部１７４は、第１基板３００ａのような基板の電気トレースに電気的に接続するように構成することができる。
【００２４】
[００９１] 各接地結合端部１７２は、接地結合端部の自由端を画定することができる、曲げられたように曲がった先端１８０を画定するレセプタクル接地結合端部として構築することができる。曲がった先端１８０の少なくとも一部分は、横方向に沿う接地設置端部１７４に関して偏位することができる。例えば、先端１８０は、それが結合方向に沿って延びるとともに、横方向Ａに沿って外方に、そしてその後、それが結合方向に沿ってさらに延びるとともに、横方向Ａに沿って内方に、広がることができる。電気接点１５０、および、特には接地接点１５４は、横方向Ａに沿う接地結合端部１７２の、少なくとも１つ、またはすべてのようなそれ以上を介して延びる開口１８２を画定することができる。したがって、少なくとも１つ、または、それ以上すべてまでの接地結合端部は、側面部１７６のそれぞれ内に、およびそれを介して延びる開口１８２のそれぞれの１つを画定することができる。開口１８２は、接地結合端部１７２が補完的電気接点と結合するとともに、補完的電気コネクタ、例えば、第２電気コネクタ２００の補完的電気接点における接地結合端部１７２によって及ぼされる垂直力の量を制御するように望まれるように寸法採りされ、形作られることができる。開口１８２は、長手方向Ｌに沿って細長く、それは長手方向Ｌに沿うその対向する端部が丸くされるスロットとして構築することができる。開口１８２は、長手方向Ｌに沿って曲がった先端１８０から後方に間隔を置かれる第２位置への長手方向に沿ってリードフレームハウジング１６８から前方に間隔を置かれる第１位置から延びることができる。したがって、開口１８２は、リードフレームハウジング１６８と曲がった先端１８０との間に完全に取囲み、かつ収容することができる。
【００２５】
しかしながら、認識されるべきことは、接地結合端部１７２は、代りに、望まれるような任意の他の適切な開口形状、または望まれるような無開口で構築することができることである。
【００２６】
[００９２] 信号接点１５２の結合端部１５６および接地プレート１６８の接地結合端部１７２は、それぞれ、レセプタクル結合端部およびレセプタクル接地結合端部として設けられるので、第１電気コネクタ１００は、例証されるようなレセプタクルコネクタとして参照することができる。接地設置端部１７４は、信号接点１５２の設置端部１５８に関して上述されたように構築することができる。例証された実施例によれば、各リードフレームアセンブリ１３０は、５つの接地結合端部１７２と９つの信号接点１５２とを画定する接地プレート１６８を有することができる。９つの信号接点１５２は、上述したような単一のウィドー接点１５２ａとして用意した９つの信号接点１５２と共に、端縁接続の差動信号対として構成された信号接点１５２の４対１６６を有することができる。各差動信号対の電気信号接点１５２の結合端部１５６は、連続の接地結合端部１７２の間に配置することができ、さらに、単一のウィドー接点１５２ａは、と連絡をとる、配置することができる、縦列の終端で接地結合端部１７２の１つに隣接して配置することができる。認識されるべきことは、各リードフレームアセンブリ１３０は、もちろん、望まれるような多くの信号接点１５２として、さらに、多くの接地結合端部１７２として有することができることである。１つの実施例によれば、各リードフレームアセンブリは、奇数個の信号接点１５２を有することができる。
【００２７】
[００９３] 接地結合端部１７２および各リードフレームアセンブリ１３０の信号接点１５２の結合端部１５６は、リニアアレイ１５１内に縦列方向に沿って整列することができる。
【００２８】
１つ、またはそれ以上すべてまでの隣接する差動信号対１６６は、ギャップ１５９によって横断方向Ｔに沿って相互から分離することができる。別段の記述がない限り、リードフレームハウジンング１３２によって支持されるような電気信号接点１５２は、隣接する差動信号対１６６間に配置されるギャップ１５９を画定することができる。接地結合端部１７２は、各差動信号対１６６の電気信号接点１５２の結合端部１５６間のギャップ１５９に配置されるように構成される。同様に、接地設置端部１７４は、接地プレート１６８がリードフレームハウジング１３２に取付けられている場合、各差動信号対１６６の電気信号接点１５２の設置端部１５８間のギャップ１５９内に配置されるように構成される。
【００２９】
[００９４] 各リードフレームアセンブリ１３０は、さらに、接地プレート１６８をリードフレームハウジング１３２に取付けるように構成される係合アセンブリを有することができる。例えば、係合アセンブリは、接地プレート本体１７２によって支持される、接地プレート１６８の少なくとも１つの係合部材、および、補完的リードフレームハウジング１３２の少なくとも１つの係合部材を有することができる。接地プレート１６８の係合部材は、接地プレート１６８をリードフレームハウジング１３２に固定するように、リードフレームハウジンング１３２の係合部材に取付けるように構成される。例証された実施例によれば、接地プレート１６８の係合部材は、横方向Ａに沿う接地プレート本体１７０をとおって延びる開口１６９として構成することができる。開口１６９は、接地結合端部１７２と長手方向Ｌに沿う接地設置端部１７４と整列し、かつ、それらの間に配置することができる。
【００３０】
[００９５] リードフレームハウジング１３２は、リードフレームハウジング本体１５７を有することができ、さらに、リードフレームハウジンング１３２の係合部材は、横方向Ａに沿ってハウジング本体１５７から外方に延びることができる突部１９３として構成することができる。突部１９３の少なくとも一部分は、リードフレームハウジング１３２に取付けられるべき接地プレート１６８の開口１６９の横断面の寸法とほぼ等しいか、それよりもわずかに大きい、選択した方向に沿う横断面の寸法を画定することができる。したがって、突部１９３の少なくとも一部分は、開口１６９をとおって延びることができ、さらに、接地プレート１６８をリードフレームハウジング１３２に取付けるように、開口１６９内にプレス嵌めすることができる。電気信号接点１５２は、長手方向Ｌに沿うリードフレームハウジング本体１５７の前部表面まで延びるリードフレームハウジング１３２のチャンネル内に存在することができ、それは、結合端部１５６が、リードフレームハウジング１３２のリードフレームハウジング本体１５７の前部表面から前方に延びるようなものである。
【００３１】
[００９６] リードフレームハウジング１３２は、横方向Ａに沿ってリードフレームハウジング本体１５７内に延びる窪んだ領域１９５を画定することができる。例えば、窪んだ領域１９５は、第１表面内に延び、さらに、横方向Ａに沿って第１表面と対向する第２表面を介して延びることなしに終端することができる。このように、窪んだ領域１９５は、横方向Ａに沿うリードフレームハウジング本体１５７の第１と第２表面との間に配置される窪んだ表面１９７を画定することができる。窪んだ表面１９７およびリードフレームハウジング本体１５７の第１表面は、接地プレート１６８が、リードフレームハウジング１３２に取付けられる場合に、接地プレート１６８に面するリードフレームハウジング１３２の外部表面を画定するように協働することができる。突部１９３は、窪んだ領域１９５から、例えば第２表面から離れ、かつ第１表面１９７に向かう方向に沿う窪んだ表面１９７から、外方に延びることができる。
【００３２】
[００９７] リードフレームアセンブリ１３０は、さらに、損失の多い材料、または磁気吸収材料を有することができる。例えば、接地プレート１６８は、任意の適切な電気伝導性の金属、任意の適切な損失の多い材料、または、電気伝導性の金属および損失の多い材料の組合せで作ることができる。したがって、接地プレート１６８が、電気伝導性であり、そしてしたがって、代りに電磁エネルギーを吸収するように接地プレート１６８を構成することができることは認識されるべきであるが、使用の間に、電気信号接点１５２によって生成される電磁エネルギーを反映するように構成することができる。損失の多い材料は、任意の適切な磁気的吸収材料であることができ、さらに電気伝導性、または、電気非伝導性であるとことができる。例えば、接地プレート１６８は、１つ、またはそれ以上の、ランドルフ、ＭＡ所在のエマソン アンド カミング社から市販のＥＣＣＯＳＯＲＢ（登録商標）の吸収材製品から作ることができる。接地プレート１６８は、代りに、１つ、またはそれ以上の、サンタローザ、ＣＡ所在のＳＲＣケーブルズ社から市販のＳＲＣ Polylron（登録商標）の吸収材製品から作ることができる。電気伝導性、または電気非伝導性の損失の多い材料は、図３Ａ−３Ｂに関して以下に記述されるようなリブ１８４を保持する接地プレート本体１７０の対向する第１および第２プレート本体表面上において、覆うこと、例えば、射出成型することができる。代りに、電気伝導性、または電気非伝導性の損失の多い材料は、ここに記述されたタイプの損失の多い接地プレート本体１７０を画定するように、成型すること、例えば、射出成型することができる。接地結合端部１７２および接地設置端部１７４は、ここに記述されるような損失の多い接地プレート本体１７０から延びるように損失の多い接地プレート本体１７０に取付けることができる。代りに、損失の多い接地プレート本体１７０は、接地結合端部１７２および接地設置端部１７４上に重ね成型することができる。なお代りに、損失の多い接地プレート本体１７０が非伝導性の場合、損失の多い接地プレート１６８は、接地結合端部１７２および接地設置端部１７４を欠如することができる。
【００３３】
[００９８] 図３Ａ−Ｂの継続的な参照によって、それぞれの複数の接地プレート１６８の突起部のような少なくとも１部分は、プレート本体１７０に関して平面から方向付けることができる。例えば、接地プレート１６８は、接地プレート本体１７０によって支持された複数のリブ１８４のような少なくとも１つのリブ１８４を有することができる。例証された実施例によれば、複数のリブ１８４のそれぞれは、プレート本体１７０に型押しするか、または浮彫りにし、さらにしたがって、プレート本体１７０と一体であり単一体であることができる。したがって、リブ１８４は、さらに浮彫りとして参照することができる。したがって、リブ１８４は、横方向Ａに沿ってプレート本体１７０の第１表面から外方に延びる突起部を画定することができ、そしてさらに、横方向Ａに沿って第１プレート本体表面と対向する第２プレート本体表面内に延びる複数の凹所を画定することができる。リブ１８４は、接地プレート本体１７０に沿って相互から一定間隔で配置されるそれぞれの取囲まれた外部周囲を画定する。したがって、リブ１８４は、接地プレート本体１７０に完全に収容される。
【００３４】
[００９９] リードフレームハウジング１３２の窪んだ領域１９５は、接地プレート１６８がリードフレームハウジング１３２に取付けられている場合に、リブ１８４を少なくとも部分的に受けるように構成することができる。リブ１８４は、横断方向Ｔに沿って離れて間隔を置くことができ、これは、各リブ１８４が、接地結合端部１７２および接地設置端部１７４の対応する１つとの間に配置され、さらに長手方向Ｌに沿って対応する接地結合および設置端部１７２および１７４を整列するようなものである。リブ１８４は、接地接合端部１７２と接地設置端部１７４との間の長手方向Ｌに沿って細長であることができる。
【００３５】
[０１００] リブ１８４は、接地プレート本体１７０から、例えば、接地プレート本体１７０の第１表面から、各リブ１８４の一部が、電気信号接点１５２の少なくとも一部によって画定される平面内に延びるような充分な横方向Ａに沿う距離、延びることができる。その平面は、長手および横断方向ＬおよびＴによって画定することができる。例えば、設置プレート１６８が、リードフレームハウジング１３２に取付けられている場合、各リブの一部は、接地結合端部１７２の表面と、かつ、したがってまた、信号接点１５２の結合端部１５６の表面と、共通平面である平面に沿って延びる平坦面を画定することができる。したがって、横方向Ａに沿って最も外側であるリブ１８４の最も外側の表面は、    横方向Ａに沿って信号接点１５２の接地結合端部１７２および結合端部１５６のそれぞれの最も外側の表面に関して、長手方向Ｌおよび横断方向Ｔによって画定される平面に沿って、整列すると言うことができる。
【００３６】
[０１０１] リブ１８４は、長手方向Ｌに沿ってギャップ１５９と整列し、それは、接地プレート１６８が、リードフレームハウジング１３２に取付けられている場合、リブ１８４が、リードフレームハウジング１３２の窪んだ領域１９５内に延びることができるようなものである。この点に関して、リブ１８４は、リードフレームハウジング１３２内の接地接点として作動することができる。認識されるべきことは、接地結合端部１７２および接地設置端部１７４は、接地プレート１６８上に、望まれるように位置することができ、そのことは、接地プレート１６８が、上述したように第１および第２リードフレームアセンブリ１３０ａ−ｂにおける包含のために構築することができるようなものである。さらに、接地接点１５４は、接地結合端部１７２、接地設置端部１７４、リブ１８４、および接地プレート本体１７０を有することができる一方で、認識されるべきことは、接地接点１５４が、結合端部、設置端部、および接地プレート１６８の代わりに結合端部から設置端部まで延びる本体をそれぞれ有する独立した個別の接地接点を有することができることである。接地プレート本体１７０を介して延びる開口１６９は、リブ１８４のそれぞれのものを介して延びることができ、それは、各リブ１８４が、開口１６９の対応するものを画定するようなものである。したがって、接地プレート１６８の係合部材が、リブ１８４のそれぞれのものによって支持されるということができる。したがって、接地プレート１６８は、リブ１８４に支持される少なくとも１つの係合部材を有することができる。
【００３７】
[０１０２] リードフレームアセンブリ１３０が、例証された接地接点１５４構造に限定されないことは認識されるべきである。例えば、他の実施例によれば、リードフレームアセンブリ１３０は、電気信号接点１５２に関して上述されたようにリードフレームハウジング１３２に支持された個別の接地接点を有することができる。リブ１８４は、代りに、リードフレームハウジング１３２内の個別の接地接点と接触するように構築することができる。代りに、プレート本体１７０は、ほぼ平坦であることができ、リブ１８４、または他の浮彫りを欠如することができ、さらに、個別の接地接点は、そうでなければ、接地プレート１６８に電気的に接続することができるか、または、接地プレート１６８から電気的に絶縁することができる。
【００３８】
[０１０３] 今度は特に図２Ａ−２Ｃを参照して、コネクタハウジング１０６は、プラスチックのような、任意の適切な誘電体または電気絶縁性材料から構成することができるハウジング本体１０８を有することができる。ハウジング本体１０８は、前方端部１０８ａと、長手方向Ｌに沿って前方端部１０８ａから一定間隔で配置される対向する後方端部１０８ｂと、頂部壁１０８ｃと、横断方向Ｔに沿って頂部壁１０８ｃから間隔を置かれる底部壁１０８ｄと、横方向Ａに沿って相互から一定間隔で配置される、対向する第１および第２側壁１０８ｅおよび１０８ｆとを画定することができる。第１および第２側壁１０８ｅおよび１０８ｆは、頂部壁１０８ｃおよび底部壁１０８ｄ間、例えば、頂部壁１０８ｃから底部壁１０８ｄまで延長することができる。
【００３９】
[０１０４] ハウジング本体１０８は、さらに第１電気コネクタ１００が補完的電気コネクタと結合する場合に、第２電気コネクタ２００のような補完的電気コネクタの補完的ハウジングに当接するように構成される当接壁１０８ｇを画定することができる。当接壁１０８ｇは、ハウジング本体１０８の前方および後方端部１０８ａおよび１０８ｂの間の位置にそれぞれ配置することができ、さらに、このように、中間表面(例えば、壁１０８ｇが、電気コネクタ１００が結合する他のコネクタと接触しない実施例において)として参照することができる。当接壁１０８ｇは、第１および第２側壁１０８eおよび１０８ｆ、そしてさらに頂底部壁１０８ｃおよび１０８ｄ間にそれぞれ延びることができる。
【００４０】
例えば、当接壁１０８ｇは、横方向Ａおよび横断方向Ｔによって画定される平面に沿って延びることができる。したがって、当接壁１０８ｇのすべてまでの少なくとも一部分は、頂部および底部壁１０８ｃおよび１０８ｄ、そしてさらに第１と第２側壁１０８ｅと１０８ｆとの間に配置することができる。頂部と底部壁１０８ｃと１０８ｄ、および第１と第２側壁１０８ｅと１０８ｆが、後方端部１０８ｂと当接壁との間、例えば、後方端部１０８ｂから当接壁１０８ｇまで延びることができる。例証されたハウジング本体１０８は、結合インタフェース１０２が長手方向Ｌに沿って設置インタフェース１０４から一定間隔で配置されるように構築される。ハウジング本体１０８は、さらに、コネクタハウジング１０６によって支持されるリードフレームアセンブリ１３０を受けるように構成される空隙１１０を画定することができる。例証された実施例によれば、空隙１１０は、頂部と底部壁１０８ｃと１０８ｄ、第１と第２側壁１０８ｅと１０ｆ、および後部壁１０８ｂと当接壁１０８ｇとの間で画定することができる。
【００４１】
[０１０５] ハウジング本体１０８は、さらに、第１および第２電気コネクタ１００および２００が相互に結合するとともに、相互に結合されるべき、第１および第２電気コネクタ１００および２００の部品を整列するように第２電気コネクタ２００の補完的整列部材と結合するように構成される複数の整列部材１２０のような、少なくとも１つの整列部材１２０を画定することができる。例えば、複数の整列部材１２０のような少なくとも１つの整列部材１２０は、結合方向Ｍに沿う第２電気コネクタ２００の補完的電気接点のそれぞれの結合端部と電気接点１５０の結合端部とを整列するように第２電気コネクタの補完的整列部材を結合するように構成される。整列部材１２０および補完的整列部材は、第１電気コネクタ１００の結合端が第２電気コネクタ２００の結合端と接触する前に、結合することができる。
【００４２】
[０１０６] 複数の整列部材１２０は、総体の整列を考慮することができる整列の予備の、または初期段階を実行するように、第２電気コネクタ２００の補完的第１整列部材と結合するように構成される複数の第１整列部材１２０ａのように、少なくとも１つの第１の、または総体の整列部材１２０ａを有することができる。したがって、第１整列部材１２０ａは、総体の整列部材として参照することができる。複数の整列部材１２０は、さらに、総体の整列より正確な整列である精密な整列を考慮することができる第２の、または第２段階の整列を実行するように第１整列部材１２０が結合した後、第２電気コネクタ２００の補完的第２整列部材と結合するように構成される、複数の第２整列部材１２０ｂのような、少なくとも１つの第２の、または精密な整列部材１２０ｂを有することができる。第１整列部材１２０ａおよび第２整列部材１２０の一方、または両方は、電気接点１５０が第２電気コネクタ２００のそれぞれの補完的電気接点と接触する前に、第２電気コネクタ２００の補完的整列部材と係合することができる。
【００４３】
[０１０７] 例証された実施例によれば、第１の、または総体の整列部材１２０ａは、第１整列ビーム１２２Ａ、第２整列ビーム１２２ｂ、第３整列ビーム１２２ｃ、および第４整列ビーム１２２ｄを有する整列ビームとして構成することができる。したがって、もし他の方法で示されなかったならば、整列ビーム１２２ａ-ｄへの参照は、総体の整列部材１２０ａに適用することができる。整列ビーム１２２ａ-ｄは、それぞれ、第１と第２整列ビーム１２２ａ-ｂの中心、第２と第３整列ビーム１２２ｂ-ｃの中心、第３と第４整列ビーム１２２ｃ-ｄの中心、および第４と第１整列ビーム１２２ｄ-ａの中心間で接続された、第１、第２、第３、および第４ラインが、長方形を画定するように位置することができる。第２と第４ラインは、第１と第３ラインより長くなることができる。整列ビーム１２２ａ-ｄのそれぞれは、それぞれの自由端１２５への長手方向Ｌに沿って当接壁１０８ｇから結合方向に沿って、ほぼ外方、または前方に突出することができる。端部１２５は、前方の長手方向Ｌにおいて、ハウジング本体１０８の前方端部１０８ａ、そしてしたがって結合方向に関して外方に配置することができる。したがって、整列ビーム１２２ａ-ｄのそれぞれは、ハウジング本体１０８の前方端部１０８ａを越えて長手方向Ｌに沿って、前方のように、外方に突出するということができる。したがって、整列ビーム１２２ａ-ｄは、さらに、結合インタフェース１０２に関して長手方向Ｌに沿って、前方のように外方に突出することができる。自由端１２５は、すべて、横断方向Ｔおよび横方向Ａによって画定される平面において相互と整列することができる。
【００４４】
[０１０８] 例証された実施例によれば、整列ビーム１２２ａ-ｄは、当接壁１０８ｇのそれぞれの４分円で配置することができる。例えば、第１整列ビーム１２２ａは、第１側壁１０８ｅを収容する平面と、頂部壁１０８ｃを収容する平面との間のインタフェースに隣接して配置することができる。第２整列ビーム１２２ｂは、頂部壁１０８ｃを収容する平面と、第２側壁１０８ｆを収容する平面との間のインタフェースに隣接して配置することができる。第３整列ビーム１２２ｃは、第１側壁１０８eを収容する平面と、底部壁１０８dを収容する平面との間のインタフェースに隣接して配置することができる。第４整列ビーム１２２ｄは、底部壁１０８ｄを収容する平面と、第２側壁１０８ｆを収容する平面との間のインタフェースに隣接して配置することができる。
【００４５】
[０１０９] したがって、第１ビーム１２２ａは、横方向Ａに沿う第２ビーム１２２ｂと整列することができ、かつ、横断方向Ｔに沿う第４ビーム１２２ｄと整列することができる。第１ビーム１２２ａは、横方向Ａおよび横断方向Ｔの両方に沿って、第３ビーム１２２ｃから一定間隔で配置することができる。
【００４６】
第２ビーム１２２ｂは、横方向Ａに沿う第１ビーム１２２ａと整列することができ、かつ横断方向Ｔに沿う第３ビーム１２２ｃと整列することができる。第２ビーム１２２ｂは、横方向Ａおよび横断方向Ｔの両方に沿う第４ビーム１２２ｄから一定間隔で配置することができる。第３ビーム１２２ｃは、横方向Ａに沿う第４ビーム１２２ｄと整列することができ、かつ横断方向Ｔに沿う第２ビーム１２２ｂと整列することができる。第３ビーム１２２ｃは、横方向Ａおよび横断方向Ｔの両方に沿う第１ビーム１２２ａから一定間隔で配置することができる。第４ビーム１２２ｄは、横方向Ａに沿う第３ビーム１２２ｃと整列することができ、かつ横断方向Ｔに沿う第１ビーム１２２ａと整列することができる。第４ビーム１２２ｄは、横方向Ａおよび横断方向Ｔの両方に沿う第２ビーム１２２ｂから一定間隔で配置することができる。ビーム１２２ａ-ｄのそれぞれは、それらが自由端１２５に当接壁１０８ｇから延びるとともに、相互にほぼ平行に延びることができ、また、代りに、それらが自由端１２５に当接壁１０８gから延びるとともに、１つ、またはそれ以上すべてまでの他のビーム１２２ａ-ｄに関して、集中するか、または分岐することができる。
【００４７】
[０１１０] 整列ビーム１２２ａ-ｄのそれぞれは、横方向Ａに沿って相互から一定間隔で配置され、さらにそれらが結合方向に沿って前方に延びるとともに、自由端１１５に横方向Ａに沿って相互に向かって内方に先細りである、１対の第１面取り表面１２４のような少なくとも１つの第１面取り表面を画定することができる。第１面取り表面１２４の対は、総体的に整列し、または第１および第２の電気コネクタ１００および２００が相互に結合されるとともに、横方向Ａに沿って相互に関して第１および第２の電気コネクタ１００および２００の第１段階の整列を実行するように構成される。整列ビーム１２２ａ-ｄのそれぞれは、さらに第１および第２の電気コネクタ１００および２００が相互に結合するとともに、横断方向Ｔに沿って相互に関して第１および第２の電気コネクタ１００および２００を総体的に整列するように構成される、第２面取り表面１２６を画定することができる。第２面取り表面１２６は、それぞれの整列ビーム１２２ａ-ｂの内部の横断する表面に沿う第１面取り表面１２４のそれぞれの間に配置することができる。第２面取り表面１２６は、それらが結合方向に沿って前方に延びるとともに、自由端１２５に向かう横断方向に沿って外方に拡大することができる。
【００４８】
[０１１１]上述されたように、第１電気コネクタ１００は、望まれるように多くのリードフレームアセンブリ１３０として、そしてしたがって望まれるように多くの対の第１および第２リードフレームアセンブリ１３０ａ-ｂとして、画定することができる。例証されるように、第１電気コネクタは、リードフレームアセンブリ１３０a-ｂの第１および第２の外部の対１６１a、および、横方向Ａに関して外部の対１６１aの間のリードフレームアセンブリ１３０a-ｂの少なくとも１つの内部の対１６１ｂを有することができる。第１電気コネクタ１００が、単一の内部の対１６１ｂを例証している一方で、第１電気コネクタが、複数の内部の対１６１ｂを有することができることは、認識されるべきである。対１６１ａおよび１６１ｂは、横方向Ａに沿って相互から等距離で間隔を置くことができる。対１６１ａおよび１６１ｂの選択した１つの第１および第２のリードフレームアセンブリ１３０ａおよび１３０bは、対１６１ａおよび１６１ｂの直接隣接する１つの直接隣接するリードフレームアセンブリからの対１６１ａおよび１６１ｂの選択した１つの第１および第２のリードフレームアセンブリの１つとの間の距離と等しいか、または、例えば、より大きいか、またはより小さくて異なっていることができる横方向Ａに沿った距離、離れて間隔を置くことができる。したがって、対１６１ｂの第２リードフレームアセンブリ１３０ｂは、対１６１ｂの第１リードフレームアセンブリ１３０ａから一定間隔で、内部の対１６１ｂの第２リードフレームアセンブリ１３０ｂに直接隣接して配置される対１６１aの第１リードフレームアセンブリ１３０aと対１６１ｂの第２リードフレームアセンブリ１３０ｂとの間の距離と等しいか、またはそれ未満であることができる距離に配置される。第１と第４整列ビーム１２２Ａと１２２ｄは、外部の対１６１ａの第１のものの対向する側部に配置することができ、さらに横断方向Ｔに沿って外部の対１６１ａの第１リードフレームアセンブリ１３０の少なくとも１つと整列することができる。第２と第３の整列ビーム１２２ｂと１２２ｃは、外部の対１６１ａの第２のものの対向する側面部に配置することができ、さらに横断方向Ｔに沿って外部の対１６１ａの第２のもののリードフレームアセンブリ１３０の少なくとも１つと整列することができる。
【００４９】
[０１１２] 第１面取り表面１２４の対のそれぞれは、横方向Ａに沿うそれぞれの幅Ｗを画定し、さらに、第２面取り表面１２６は、横断方向Ｔに沿う高さＨを画定する。例証された実施例によれば、第１面取り表面１２４の幅Ｗの合計は、各整列ビームの第２面取り表面１２６の高さＨより大きい。整列ビーム１２２ａ−１２２ｄのそれぞれは、２つの異なる方向付けの一方の第２電気コネクタ２００と結合することができる。代りに、１つまたはそれ以上の整列ビーム１２２ａ-ｄは、１つまたはそれ以上の他のものの整列ビーム１２２ａ-ｄの対応するサイズまたは形状と異なるサイズまたは形状の少なくとも一方を画定することができ、それは、整列ビーム１２２ａおよび１２２ｂは、第１電気コネクタ１００が所定の方向付けにある場合に限り、第１電気コネクタ１００が、第２電気コネクタ２００と結合することを可能にする間に極性化部材として作動することができるようなものである。
【００５０】
[０１１３] ハウジング本体１０８は、さらに、精密な整列部材１２８、例えば、第１および第２の整列ビーム１２８ａおよび１２８ｂの形をしている第２、または精密な部材整列１２０ｂを画定することができる。したがって、もし他の方法で示されなかったならば、整列ビーム１２８に対する参照は、精密な整列部材１２０ｂに適用することができる。整列ビーム１２８は、電気接点１５０を、例えば、横方向Ａおよび横断方向Ｔに関して第２電気コネクタ２００の補完的電気接点と整列するように、第１および第２電気コネクタ１００および２００は、相互に結合するとともに、横方向Ａに沿って相互に関して第１および第２電気コネクタ１００および２００の、精密な整列、または第２段階の整列を提供するように構成することができる。整列ビーム１２８ａ-ｂは、長手方向Ｌに沿ってほぼ前方に当接壁１０８ｇから外方に、突出することができる。整列ビーム１２８ａ-ｂは、自由端１３５でほぼ終端することができ、それは、ハウジング本体１０８の前方端部１０８ａとほぼ整列して、または、長手方向Ｌに沿って前方端部１０８ａから後方に窪んだ位置で、そしてしたがって、前方端部１０８ａと当接壁１０８ｇとの間に配置することができる。この点に関して、整列ビーム１２２ａ-ｄは、整列ビーム１２２ａ-ｂを突出するよりも、当接壁１０８ｇに関して長手方向Ｌに沿ってさらに突出する、ということができる。
【００５１】
[０１１４] 整列ビーム１２８ａ-ｂは、第１および第２の電気コネクタ１００および２００が、相互に結合され、例えば横方向Ａおよび横断方向Ｔに関して第２電気コネクタ２００の補完的電気接点と電気接点１５０を例えば整列させるように互いを結合するとともに、横方向Ａに沿って相互に関して第１および第２の電気コネクタ１００および２００の、精密な整列、または第２段階の整列を提供するように構成することができる少なくとも１つの案内表面を画定することができる。例えば、整列ビーム１２８ａ-ｂは、横方向Ａに沿って相互から一定間隔で配置され、さらに、それらが結合方向に沿って前方に延びるとともに、自由端１３５に対して横方向Ａに沿って相互に向かって内方に先細である、１対の第１面取り表面１３１のような少なくとも１つの第１面取り案内面を画定することができる。第１面取り表面１３１の対は、第１および第２の電気コネクタ１００および２００が相互に結合するとともに、横方向Ａに沿って相互に関して第１および第２の電気コネクタ１００および２００の精密な整列を提供するように構成される。整列ビーム１２８ａ-ｂは、さらに、案内面１２９が結合方向に沿って延びるので、それぞれの整列ビームの外部の横断表面に配置することができ、さらに内部の横断方向Ｔ、すなわち、他の整列ビーム１２８ａと１２８ｂとに向かって他の整列ビームに沿って面取りすることができる、それぞれの第２案内面１２９を画定することができる。案内面１２９は、  第１および第２電気コネクタ１００および２００が相互に結合するとともに、横方向Ｔに沿って相互に関して第１および第２電気コネクタ１００および２００の精密な整列を提供するように構成される。
【００５２】
[０１１５] 例証された実施例によれば、第１および第２整列ビーム１２８ａおよび１２８ｂは、相互から離れて一定間隔で配置され、かつ横断方向Ｔに沿って、相互にほぼ整列される。例証された実施例によれば、第１および第２整列１２８ａおよび１２８ｂは、内部の対１６１ｂの対向する側部に配置することができ、さらに横断方向Ｔに沿う内部の対１６１ｂのリードフレームアセンブリ１３０の少なくとも１つと整列することができる。認識されるべきことは、第１電気コネクタは、例えば、第１電気コネクタ１００が、複数の内部の対１６１ｂ(例えば、８、１０、１２、１４、または望まれるような、任意の適切な代りの数のような６個のリードフレームアセンブリより大きい）を有する場合、望まれるような１つまたはそれ以上全てまでの電気コネクタ１００の内部の対１６１ｂの対向する側面部において１対の整列ビーム１２８を有することである。したがって、第１および第２整列１２８ａおよび１２８ｂは、第１および第２側壁１０８ｅおよび１０８ｆの間でほぼ中心に配置することができる。第１整列ビーム１２８ａは、頂部壁１０８ｃに隣接して配置することができ、さらに第２整列ビーム１２８ｂは、底部壁１０８ｄに隣接して配置することができ、それは、第１および第２整列１２８ａ-ｂは、横断方向Ｔに沿って離れて間隔を置かれるようなものである。さらに、例証された実施例によれば、第１および第２整列１２２ａおよび１２２ｂは、相互に向かって角度付けられる。
【００５３】
[０１１６] 図２Ａ−２Ｃの継続的な参照によって、ハウジング本体１０８は、    結合インタフェース１０２での電気接点１５０を少なくとも部分的に取囲み、かつそれによって保護するように構成される複数の分割壁１１２のような少なくとも１つの分割壁１１２をさらに画定することができる。分割壁１１２のそれぞれは、当接壁１０８gから前方端部１０８ａまでのような、当接壁１０８ｇとハウジング本体１０８の前方端部１０８ａとの間の長手方向Ｌに沿う当接壁１０８ｇから前方に延びることができる。この点に関して、少なくとも１つの分割壁１１２が、ハウジング本体１０８の前方端部１０８ａを画定することができるということができる。分割壁１１２のそれぞれは、さらに横断方向Ｔに沿って延びることができ、そしてしたがって、長手方向Ｌおよび横断方向Ｔによって画定されるそれぞれの平面に位置することができる。分割壁１１２は、横方向Ａに沿って相互から離れて一定間隔で配置され、さらに第１および第２側壁１０８ｅおよび１０８ｆの間に位置される。各分割壁１１２は、第１側面部１１１、および横方向Ａに沿って第１側面部１１１から一定間隔で配置され、かつ第１側面部１１１と対向して対面する対向する第２側面部１１３を画定することができる。
【００５４】
[０１１７] 例証された実施例によれば、ハウジング本体１０８は、第１分割壁１１２ａ、第２分割壁１１２ｂ、および第３分割壁１１２ｃを有する複数の分割壁１１２を画定する。第１分割壁１１２ａは、第１および第２整列ビーム１２８ａと１２８ｂとの間に延び、第２分割壁１１２ｂは、第１と第４整列ビーム１２２ａと１２２ｄとの間に延び、さらに、第３分割壁１１２cは、第２と第３整列ビーム１２２ｂと１２２ｃとの間に延びる。
【００５５】
[０１１８]上述したように、第１電気コネクタ１００は、コネクタハウジング１０６の空隙１１０内に配置され、さらに横方向Ａに沿って相互からに離れて一定間隔で配置される複数のリードフレームアセンブリ１３０を有することができる。リードフレームアセンブリ１３０は、第１および第２のそれぞれのリードフレームアセンブリ１３０ａ-ｂに直接隣接する第１および第２の外部の対１６１ａを、そして、第１および第２のそれぞれのリードフレームアセンブリ１３０ａ−ｂに直接隣接する少なくとも１つの内部の対１６１ｂを有することができる。信号接点１５２の結合端部１５６の先端１６４、および、１つまたはそれ以上すべてまでの第１リードフレームアセンブリ１３０ａの少なくとも１つの接地結合端部１７２の先端１８０は、先端１６４および１８０が、それぞれの設置端部からそれぞれの結合端部までの方向に沿うハウジング本体１０８が曲げられ、かつ第１側壁１０８ｅに向かって方向付けされる第１方向付けにしたがって配置することができ、そしてしたがって、第１側壁１０８ｅに関して凹面である。信号接点１５２の結合端部１５６の先端１６４、および、第２リードフレームアセンブリ１３０ｂの少なくとも１つまたはそれ以上すべてまでの接地結合端部１７２の先端１８０は、その先端１６４および１８０が、それぞれの設置端部からそれぞれの結合端部への方向に沿うハウジング本体１０８の第１側壁１０８ｅに向かって方向付けされ、さらにしたがって、第１側壁１０８ｅに関して凹面である第２方向付けにしたがって配置することができる。第１電気コネクタ１００は、第１および第２リードフレームアセンブリ１３０ａおよび１３０ｂを交互にすることで構築することができ、さらに、それぞれ、第１電気コネクタ１００の正面図に関して第１側壁１０８ｅと第２側壁１０８ｆとの間の左から右までコネクタハウジング１０６内に配置することができる。
【００５６】
[０１１９] 分割壁１１２のそれぞれは、電気接点１５０の縦列のそれぞれの１つの２つの電気接点１５０のそれぞれのものの係合端部１５６および接地結合端部１７２を少なくとも部分的に取囲み、かつそれによって保護するように構成することができる。例えば、第１リードフレームアセンブリ１３０ａの結合端部１５６および接地結合端部１７２は、それぞれの分割壁１１２ａ-ｃの第１表面１１１に隣接して配置することができ、さらに、それぞれの分割壁１１２ａ-ｃの第１表面１１１から一定間隔で配置することができる。第２リードフレームアセンブリ１３０の結合端部１５６および接地結合端部１７２は、それぞれの分割壁１１２ａ-ｃの第２表面１１３に隣接して配置することができ、さらに、それぞれの分割壁１１２ａ-ｃの第２表面１１３から一定間隔で配置することができる。分割壁１１２は、したがって、例えば、隣接するリニアアレイ１５１内に配置された電気接点１５０間の接触を防止することによって、電気接点１５０を保護するように作動することができる。
【００５７】
[０１２０]ハウジング本体１０８は、結合インタフェース１０２での電気接点１５０を少なくとも部分的に取囲み、かつそれによって保護するように構成することができる。例えば、ハウジング本体１０８は、さらに、横方向Ａに沿う分割壁１１２のすべてまでの対応する複数の分割壁１１２を有して、分割壁１１２の対応する少なくとも１つから延びる複数のリブ１１４のような少なくとも１つのリブ１１４を画定することができ、さらに、それらそれぞれの結合端部での電気接点１５０の直接隣接するものの間に配置されるように構成される。リブ１１４の例えば１つは、接地結合端部１７２のそれぞれの１つと、特別のリニアアレイ１５１内の電気接点１５０の結合端部１５６のそれぞれの１つとの間で配置することができ、または、特別のリニアアレイ内の電気接点１５０のそれぞれのものの結合端部間、例えば、信号接点１５２の１対１６６の結合端部１５６間に配置することができる。したがって、各リニアアレイ１５１に沿うコネクタハウジング１０６は、少なくとも２つ以上のすべてまでのリニアアレイの電気接点１５０の結合端部の直接隣接するものの間の分割壁１１２から外方に延びるそれぞれのリブ１１４を有することができる。
【００５８】
[０１２１]例証された実施例によれば、ハウジング本体１０８は、分割壁の第１表面１１１から延びる第１複数のリブ１１４ａ、および分割壁１１２の第２表面１１３から延びる第２複数のリブ１１４ｂを画定することができる。第１および第２表面１１１および１１３の共通の１つから突出するリブ１１４の直接隣接するものは、横断方向Ｔに沿って電気接点１５０の選択した１つの対向する側面部において一定間隔で配置されるように分割壁１１２から延びることができ、さらに、電気接点１５０の選択した１つのそれぞれの側面部の長さより大きい距離で、横断方向Ｔに沿った距離、一定間隔で配置することができる。側面部が、対向する端縁の１つから、結合端部１５６の長さの全体に沿う対向する端縁の他の方に、連続的に延びることができることは認識されるべきであり、それは、結合端部１５６のそれぞれが対向する端縁の間で分岐されないようなものである。１つの実施例によれば、各電気信号接点１５２は、それぞれただ１つの結合端部１５６を画定し、そしてただ１つの設置端部１５８を画定する。少なくとも１つまたはそれ以上のリブ１１４は、直接隣接する電気接点１５０の端縁に隣接して配置することができ、かつそれから一定間隔で配置することができ、そして、その端縁は、相互に対面する。認識されるべきことは、分割壁１１２のそれぞれの第１および第２表面１１１および１１３は、それぞれ、与えられた対１６１の第１および第２のリードフレームアセンブリ１３０ａおよび１３０bの、横断方向Ｔに沿う電気接点１５０の側面部に沿って延びる基礎１４１をそれぞれ画定することができることである。基礎１４１のそれぞれの少なくとも一部は、横方向Ａに沿うそれぞれの電気接点１５０の端縁と整列することができる。ハウジング本体１０８は、さらに、分割壁１１２から離れる方向に沿って、例えば、差動信号対１６１の与えられた１つの、第１および第２リードフレームアセンブリ１３０ａおよび１３０ｂの電気接点１５０の端縁の間の位置における横方向Ａに沿って、分割壁１１２の基礎１４１の対向する端部から外方に延びるリブ１１４を画定することができる。
[０１２２]分割壁１１２の基礎１４１は、相互に一体で、かつ単一体であることができる。認識されるべきことは、分割壁１１２が、基礎１４１およびリブ１１４を有して、両方の端縁および側面部の１つのような、電気接点１５０の４つの中からの３つに沿って延びることができ、かつ細長くあることができることである。リブ１１４は、結合端部でそれぞれの端縁の全体に沿って延びることができ、または、結合端部でそれぞれの端縁の全体に沿って延びる前に終端することができる。したがって、分割壁１１２は、少なくとも部分的に、電気接点１５０の３辺を囲み、その３辺の１つは、その３辺の他の２辺に関してほぼ垂直に方向付けられているということができる。さらに、分割壁２１２は、基礎１４１およびそれぞれのリブ１１４を有して、電気接点１５０の少なくとも一部、例えば、それらの結合端部を受ける、それぞれのポケットを画定することができるということができる。少なくとも１つまたはそれ以上全部までのポケットは、電気接点１５０の結合端部の１つだけを受けるように寸法採りすることができる。以下の記述から認識されるように、電気接点１５０は、第２電気コネクタ２００の電気接点と結合するとともに、電気接点１５０は、電気信号接点１５２の結合端部１５６および接地結合端部１７２が、分割壁１１２のそれぞれの基礎１４１に向かって、しかしながら１つの実施例においては向かわないで、横方向Ａに沿って移動するように偏位されるように柔軟性である。したがって、結合するときに、結合端部１５６と１７２は、結合しないときに対向するように、それぞれの基礎１４１に接近して配置される。
【００５９】
[０１２３] 認識されるべきことは、信号接点１５２の結合端部１５６の先端１６４、および接地結合端部１７２の先端１８０は、それぞれの分割壁１１２のそれぞれの外部表面に関して、例えばそれぞれの基礎１４１で凹面であることである。例えば、電気信号接点１５２は、例えば結合端部１５６で、そして上述したように、特には、先端１６４で、それぞれの基礎１４１および側壁１０８ｅおよび１０８ｆの一方に関して凹面である、それぞれの第１、または、内部表面１５３ａを画定することができる。さらに、 それぞれの第１および第２リニアアレイ１５１に沿って配置され、さらに共通の分割壁の対向面１１１および１１３において配置される第１および第２リードフレームアセンブリ１３０の信号接点１５２の内部表面１５３ａは、たとえ、それらが、それぞれのリニアアレイに沿って相互に関して偏位することができるとしても相互に関して凹面であることができる。したがって、第１リニアアレイ１５１の信号接点１５２の内部表面１５３ａは、第２リニアアレイ１５１の信号接点１５２の内部表面１５３ａに面することができる。電気信号接点１５２は、さらに、凸面であることができ、かつ、横方向Ａに沿って内部表面１５３ａと対向することができるそれぞれの第２の、または、外部表面１５３ｂを画定することができる。同様に、接地結合端部１７２は、上述されたように、例えば先端１８０で、それぞれの基礎１４１および側壁１０８ｅおよび１０８ｆに関して、凹面であるそれぞれの第１の、または内部表面１８１ａを画定することができる。さらに、それぞれの第１および第２のリニアアレイ１５１に沿って配置され、さらに共通の分割壁の対向面１１１および１１３に配置される、第１および第２のリードフレームアセンブリ１３０の接地結合端部１７２の内部表面１８１ａは、相互に関して凹面であることができる。したがって、第１リニアアレイ１５１の接地結合端部１７２の内部表面１８１ａは、第２リニアアレイ１５１の接地結合端部１７２の内部表面１８１ａに面することができる。接地結合端部１７２は、さらに、凹面であることができ、かつ、横方向Ａに沿う内部表面１８１ａと対向することができる、それぞれの第２の、または外部表面１８１ｂを画定することができる。内部表面１５３ａおよび１８１ａは、第１側部表面を画定することができ、さらに、外部表面１５３ｂおよび１８１ｂは、第２側部表面を画定することができる。
【００６０】
[０１２４]例証された実施例によれば、共通の分割壁の第１表面１１１に隣接して第１リニアアレイの信号接点１５２の結合端部１５６は、第１リニアアレイに直接隣接して、そして、共通の分割壁の第２表面１１３に隣接している第２リニアアレイの信号接点１５２のミラー像になることができ、それは、共通の分割壁が、第１および第２リニアアレイ間に配置されるようなものである。用語「直接隣接する」は、電気接点のリニアアレイが、第１および第２のリニアアレイ間に配置されないということを意味することができる。さらに、第１リニアアレイの接地結合端部１７２は、第２リニアアレイの接地結合端部１７２のミラー像であることができる。認識されるべきことは、たとえそれらが、それぞれのリニアアレイに沿って、または横断方向Ｔに沿って、相互に関して偏位することができたとしても、結合端部はミラー像であることができる。信号接点１５２の結合端部１５６の選択するものは、例えば、第１および第２のリニアアレイに沿って電気接点１５０のすべての第３結合端部で、相互にミラー像であることができ、かつ、横方向Ａに沿って相互に整列することができる。
【００６１】
[０１２５] 認識されるべきことは、信号接点１５２は、横方向Ａに沿って相互から一定間隔で配置される第１、第２、および第３リニアアレイ１５１を有して、上述されたように複数のリニアアレイ１５１内に配置することができることである。第２リニアアレイは、第１リニアアレイ間に配置することができる。第１および第２のリニアアレイ１５１は、第１および第２のリードフレームアセンブリ１３０ａ-ｂによってそれぞれ画定することができ、そしてしたがって、第１リニアアレイ１５１の凹面の内部表面の１５３ａは、第２リニアアレイ１５１の凹面の内部表面１５３ａに面することができる。さらに、第２リニアアレイ１５１の選択した差動信号対１６６は、被害者差動信号対（victim）に隣接して配置することができる加害者（aggressor）差動信号対１６６に隣接して位置することができる被害者差動信号対を画定することができる。例えば、加害者差動信号対１６６の１つは、第２リニアアレイに沿って配置され、さらに横断方向Ｔに沿って被害者差動信号対から間隔を置くことができる。さらに、加害者差動信号対１６６の１つは、第１リニアアレイ内に配置することができ、そしてしたがって、横方向Ａおよび横断方向Ｔの、一方または両方に沿って被害者差動信号対１６６から一定間隔で配置することができる。さらに、加害者差動信号対１６６は、第３リニアアレイ１５１内に配置することができ、そしてしたがって、横方向Ａおよび横断方向Ｔの一方または両方に沿って被害者差動信号対１６６から一定間隔で配置することができる。リニアアレイのすべての差動信号接点は、加害者差動信号対を有し、たった６パーセント非同期の最悪の場合の、被害者差動信号対におけるマルチアクティブなクロストークを生じる間に、データ転送速度でそれぞれの結合端部と設置端部との間にデータ転送速度差動信号を転送するように構成される。データ転送速度は、毎秒６と４分の１ギガビット(６.２５Gb/s)、および、毎秒約５０ギガビット(５０Gb/s) の間にあり、かつ、毎秒約１５ギガビット(１５Gb/s)、毎秒１８ギガビット(１８Gb/s)、毎秒２０ギガビット(２０Gb/s)、毎秒２５ギガビット(２５のGb/s)、毎秒３０ギガビット(３０Gb/s)、および毎秒約４０ギガビット(４０Gb/s)を有して、毎秒６と４分の１ギガビッ
ト(６.２５Gb/s)、および、毎秒約５０ギガビット(５０Gb/s)を有することができる。
【００６２】
[０１２６] 電気接点１５０の端縁は、また、横断方向Ｔに沿ってリブ１１４から一定間隔で配置することができる。第１複数のリブ１１４ａの選択したものは、したがって、それぞれの接地結合端部１７２と第１リードフレームアセンブリ１３０ａの１つの隣接する結合端部１５６との間に、そしてさらに、１つの第１リードフレームアセンブリ１３０ａの信号接点１５２の各対１６６の結合端部１５６の間に配置することができる。第２複数のリブ１１４ｂの選択したものは、したがって、それぞれの接地接点端部１７２と第２リードフレームアセンブリ１３０bの１つの隣接する結合端部１５６と間に、そしてさらに、１つの第２リードフレームアセンブリ１３０ｂの信号接点１５２の各対１６６の結合端部１５６の間に配置することができる。リブ１１４は、例えば、それぞれのリニアアレイ１５１内の結合接点端部１５６および電気接点１５０の接地結合端部１７２の間の接触を防ぐことによって、電気結合端部１５６および接地結合端部１７２を保護するように作動することができる。
【００６３】
[０１２７] 例証された実施例によれば、複数のリードフレームアセンブリ１３０が、コネクタハウジング１０６内に配置されるときは、その先端１６４および１８０が、長手方向Ｌに関してハウジング本体１０８の前方端部１０８ａから窪むように、それぞれの複数の電気接点１５０の信号接点１５２の先端１６４および接地結合端部１７２の先端１８０は、コネクタハウジング内に配置することができる。この点に関しては、コネクタハウジング１０６は、信号接点１５２のレセプタクル結合端部１５６の先端１６４を越えて、さらには、結合方向に沿う接地プレート１６８のレセプタクル接地結合端部１７２の先端１８０を越えて延びるということは、いうことができる。したがって、前方端部１０８ａは、例えば、先端１６４と１８０との間の接触を防止することによって、電気接点１５０、および、ハウジング本体１０８の前方端部１０８ａに隣接して配置される対象物を保護することができる。
【００６４】
[０１２８] 今度は、図４Ａ-５Ｃを参照すると、第２電気コネクタ２００は、誘電体、または、電気絶縁性のコネクタハウジング２０６、およびコネクタハウジング２０６によって支持される複数の電気接点２５０を有することができる。複数の電気接点２５０は、電気コネクタアセンブリ１０に関して第２複数の電気接点として参照することができる。それぞれの複数の電気接点２５０は、第１複数の信号接点２５２、および第１複数の接地接点２５４を有することができる。
【００６５】
[０１２９] 第２電気コネクタ２００は、それぞれ誘電性、または電気絶縁性のリードフレームハウジング２３２、および、複数の電気信号接点２５２の選択したもの、および少なくとも１つの接地接点２５４を有する複数のリードフレームアセンブリ２３０を有することができる。例証された実施例によれば、各リードフレームアセンブリ２３０は、それぞれ、リードフレームハウジング２３２によって支持される信号接点２５２のそれぞれの複数、およびリードフレームハウジング２３２によって支持される接地接点２５４を有する。接地接点２５４は、誘電体ハウジング２３２に取付けることができる接地プレート２６８として構成することができる。接地プレート２６８は、電気伝導性であることができる。リードフレームアセンブリ２３０は、それらが列方向に沿って相互から一定間隔で配置されるようなコネクタハウジング２０６によって支持することができ、その方向は、長手方向Ｌにほぼ垂直である横方向Ａを画定することができる。各リードフレームアセンブリ２３０の電気接点２５０は、縦列方向に沿って配置することができ、その縦列方向は、長手方向Ｌおよび横方向Ａの両方にほぼ垂直である横断方向Ｔによって画定することができる。
【００６６】
[０１３０] 電気信号接点２５２は、結合インタフェース２０２に沿って延びるそれぞれの結合端部２５６、および設置インタフェース２０４に沿って延びる設置端部２５８を画定することができる。接地接点２５４のそれぞれは、結合インタフェース２０２に沿って延びるそれぞれの接地結合端部２７２、および、設置インタフェース２０４に沿って延びる接地設置端部２７４を画定することができる。
【００６７】
[０１３１] したがって、電気接点２５０が結合端部を画定することができ、この結合端部は、電気信号接点２５２の結合端部２５６および接地結合端部２７２を有することができ、さらに、電気接点２５０は、さらに、設置端部を有することができ、この接地端部は、電気信号端子２５２の接地端部２５８および接地設置端部２７４を有することができる、ということができる。以下の記述から認識することができるように、各接地接点２５４は、接地結合端部２７２および接地設置端部２７４を有して、それぞれのリードフレームアセンブリ２３０の接地プレート２６８によって画定することができる。代りに、接地結合端部２７２および接地設置端部２７４は、望まれるような個々の接地接点によって画定することができる。
【００６８】
[０１３２] 電気信号接点２５２を有する電気接点２５０は、直角の接点として構築することができ、それによって結合端部２５６および設置端部２５８は、相互にほぼ垂直に方向付けられる。代りに、例えば第２電気コネクタ２００が垂直コネクタとして構成されるときに、信号接点２５２を有する電気接点２５０は、垂直の接点として構築することができ、それによって設置端部２５６および設置端部２５８は、相互にほぼ平行に方向付けられる。設置端部２５８および接地設置端部２７４は、プレス嵌め尾部、表面実装尾部、ハンダボールのような可溶要素、またはそれらの組合せとして設けることができ、それらは、第２基板３００ｂのような補完的電気部品に電気的に接続するように構成される。
【００６９】
[０１３３] 各信号接点２５２は、１対の対向する側面部２６０、および対向する側面部２６０間に延びる１対の対向する端縁２６２を画定することができる。対向する側面部２６０のそれぞれは、横方向Ａ、およびしたがって列方向に、第１距離に沿って相互から離れて一定間隔で配置することができる。対向する端縁２６２のそれぞれは、横断方向Ｔ、およびしたがって、列方向に、第１距離より大きい第２距離に沿って相互から離れて一定間隔で配置することができる。したがって、側面部２６０は、横断方向Ｔに沿う対向する端縁２６２間の長さを画定することができ、さらに、端縁２６２は、横方向Ａに沿う対向する側面部間の長さを画定することができる。格別に述べなければ、端縁２６２および側面部２６０は、端縁２６２および側面部２６０の両方にほぼ垂直である平面にそれぞれの長さを画定することができる。側面部２６０の長さは、端縁２６２の長さより大きい。
【００７０】
[０１３４]電気接点２５０は、縦列方向に沿う電気信号接点２５２の隣接するものが、対２６６を画定することができるように配置することができる。電気信号接点２５２の各対２６６は、差動信号対２６６を画定することができる。さらに、各対２６６の各電気信号接点２５２の端２６２の１つは、各対２６６の他の電気信号接点２５２の端縁２６２の１つに面することができる。したがって、対２６６は、端縁結合の差動信号対として参照することができる。電気接点２５０は、縦列方向に沿って直接隣接する電気信号接点２５２の対２６６の結合端部２５８間に配置される接地結合端部２７２を有することができる。電気接点２５０は、縦列方向に沿って直接隣接する電気信号接点２５２の対２６６の設置端部２５８間に配置される接地設置端部２７４を有することができる。直接隣接するのは、追加の差動信号対、または信号接点が、直接隣接する差動信号対２６６間にないという事実を参照することができる。
【００７１】
[０１３５] 認識されるべきことは、電気接点２５０は、端部２７２を結合する電気信号接点２５２および地面の結合端部２５６を有して、縦列方向に沿って延びる電気接点２５０のリニアアレイ２５１に沿って相互から一定間隔で配置することができることである。リニアアレイ２５１は、それぞれのリードフレームアセンブリ１３０によって画定することができる。例えば、電気接点２５０は、第１端部２５１ａから第２端部２５１ｂまでのリニアアレイ２５１、および、リニアアレイに沿う第２端部２５１ｂから第１端部２５１ａまでの第１方向とは反対である第２方向に沿う縦列方向のような第１方向に沿う相互から間隔を置くことができる。第１および第２方向の両方は、したがって、縦列方向に沿って延びる。電気接点２５０は、結合端部２５６、および設置結合端部２７２を有し、さらには接地端部２５８、および接地設置端部２７４を有して、第１方向において、それぞれの望まれたものにおいて、Ｓ−ＳＧ、Ｇ−Ｓ−Ｓ、ＳＧ−Ｓ、または任意の適切な代りの接点パターン、ここに、「Ｓ」は電気信号、かつ「Ｇ」は接地を表わすが、任意の繰返す接点パターンを画定することができる。さらに、列方向に沿って相互に隣接するリードフレームアセンブリ２３０の電気接点２５０は、異なる接点パターンを画定することができる。
【００７２】
[０１３６] 一実施例によれば、リードフレームアセンブリ２３０は、それぞれ、列方向に沿って相互に隣接する第１および第２リードフレームアセンブリ２３０ａおよび２３０ｂの少なくとも１つ、またはそれ以上の対２６１において、配置することができる。第１リードフレームアセンブリ２３０ａは、第１方向における第１接点パターンを画定することができ、さらには、第２リードフレームアセンブリ２３０ｂは、第１リードフレームアセンブリの第１接点パターンと異なる第１方向における第２接点パターンを画定することができる。第２電気コネクタは、さらに、リードフレームアセンブリ２６１の対は、第１および第２個別のリードフレームアセンブリ２３０ｃおよび２３０ｄ間に配置されるように、リードフレームアセンブリの対２６１から一定間隔で配置される第１および第２個別のリードフレームアセンブリ２３０ｃおよび２３０ｄのような、個々のリードフレームアセンブリを有することができる。このように、個別のリードフレームアセンブリ２３０ｃおよび２３０ｄは、外部のリードフレームアセンブリとして参照され、さらには、対のリードフレームアセンブリ２６１のリードフレームアセンブリ２３０は、内部のリードフレームアセンブリとして参照することができる。第２電気コネクタは、横方向Ａに沿う直ちに隣接するリードフレームアセンブリ２３０のそれぞれの対２６１の間に配置され、さらに、個別のリードフレームアセンブリ２３０ｃおよび２３０ｄ、およびそれぞれの直ちに隣接するリードフレームアセンブリの対２６１の間に配置される、等しいか、または、変化して寸法採りされるギャップ２６３を画定することができる。
【００７３】
[０１３７] 第１および第２リニアアレイ２５１のそれぞれは、第１および第２方向の両方に沿うそれぞれのリニアアレイ２５１のすべての差動信号対２６６の結合端部２５２に隣接して接地結合端部２７２を有することができる。したがって、すべての差動信号対２６６の結合端部２５２は、それぞれの接地結合端部２７２によってそれぞれのリニアアレイに沿って、対向面上で両側に置かれる。同様に、第１および第２リニアアレイ２５１のそれぞれは、第１および第２方向の両方に沿うそれぞれのリニアアレイ２５１のそれぞれのすべての差動信号対２６６の接地端部２５４に隣接して、接地設置端部２７４を有することができる。したがって、すべての差動信号対２６６の設置端部２５４は、それぞれの接地設置端部２７４によってそれぞれのリニアアレイに沿って対向面において両側に置かれる。
【００７４】
[０１３８]例えば、第１リードフレームアセンブリ２３０ａは、第１方向に沿ってＧ−Ｓ−Ｓの繰返す接点パターンを画定することができ、最低端部であることができる第２端部２５１ｂの最後の電気接点２５０は、電気信号接点１５２に関して記述されたように、リードフレームハウジングによって重ね成型するか、またはリードフレームハウジング内に止めることができる単一のウィドー接点２５２ａである。単一ウィドー接点２５２ａのそれぞれの結合端部２５６およびを設置端部２５８は、縦列方向に沿って接地結合端部２７２および接地設置端部２７４の選択した１つに隣接して配置することができ、そして、縦列方向に沿って結合端部、または設置端部を有して、他の任意の電気接点２５０に隣接しては配置されない。したがって、接地結合端部２７２および接地設置端部２７４の選択した１つは、リニアアレイ２５１に沿って第１方向にそれぞれの単一ウィドー接点２５２ａから一定間隔で配置することができる。第２リードフレームアセンブリ２３０ｂは、リニアアレイの第２方向に沿ってＧ−Ｓ−Ｓの繰返す接点パターンを画定することができ、それは、最上部の端部であり得る第１端部２５１ａの最後の電気接点２５０が、単一のウィドー接点２５２ａであるようなものである。第２リードフレームアセンブリ２３０ｂの単一のウィドー接点２５２ａは、選択した接地結合端部２７２および縦列方向に沿って接地設置端部２７４に隣接して配置することができ、そして、縦列方向に沿って結合端部および設置端部を有する他の任意の電気接点２５０に隣接して配置されない。したがって、接地結合端部２７２および接地設置端部２７４の選択した１つは、リニアアレイに沿って第２方向に単一ウィドー接点２５２ａから一定間隔で配置することができる。したがって、単一ウィドー接点２５２ａの位置は、それぞれの第１リニアアレイ２５１の第１端部２５１ａから、第１リニアアレイに直接隣接され、かつ、第１リニアアレイに平行に方向付けされるそれぞれの第２リニアアレイ２５１の第２の対向する端部２５１ｂまで、交互になることができる。単一のウィドー接点２５２ａは、単一端信号接点、低速または低周波信号接点、パワー接点、接地接点、または他のいくつかのユーティリィティ接点であることができる。
【００７５】
[０１３９]例証された実施例によれば、信号接点２５２の結合端部２５６および接地結合端部２７２は、リニアアレイ２５１に沿って、およびしたがって結合インタフェース２０２で横断方向Ｔに沿って、整列することができる。さらに、信号接点２５２の接地端部２５８および接地設置端部２７４は、設置インタフェース２０４で長手方向Ｌに沿って整列することができる。信号接点２５２の設置端部２５８および接地設置端部２７４は、リニアアレイに沿った一定の接点ピッチ、または、リニアアレイを有する平面を画定するように設置インタフェース２０４で長手方向Ｌに沿って相互から離れて一定間隔で配置することができる。すなわち、電気接点２５０の隣接する設置端部間の中心間距離は、リニアアレイ２５１に沿って一定であることができる。したがって、電気接点２５０は、第１、第２、および第３設置端部を画定することができ、それによって第１および第３設置端部の両方は、第２結合端部に直接隣接する。電気接点２５０は、横断方向Ｔに沿って結合端部を分岐するそれぞれのセンターラインを画定する。電気接点２５０は、第１結合端部のセンターラインと第２結合端部のセンターラインとの間の第１距離、および第２結合端部のセンターラインと第３の結合端部のセンターラインとの間の第２距離を画定する。第１距離は、第２距離と等しいことができる。
【００７６】
[０１４０]信号接点２５２の結合端部２５６、および接地結合端部２７２は、可変接点ピッチを画定するように結合インタフェース２０２で横断方向Ｔに沿って相互から離れて一定間隔で配置することができる。すなわち、電気接点２５０の隣接する設置端部間の中心間距離は、リニアアレイ２５１に沿って変化することができる。したがって、電気接点２５０は、第１、第２、および第３結合端部を画定することができ、それによって、第１および第３結合端部の両方は、第２結合端部に直接隣接する。電気接点１５０は、横方向Ａに沿って延び、さらに、横断方向Ｔに沿って結合端部を分岐するそれぞれのセンターラインを画定する。電気接点２５０は、第１結合端部のセンターライン、および第２結合端部のセンターライン間の第１距離を、さらには第２結合端部のセンターラインと第３結合端部のセンターラインとの間の第２距離を画定する。第２距離は、第１距離より大きいことができる。
【００７７】
[０１４１] 第１および第２結合端部と第１および第２設置端部は、それぞれ第１および第２電気信号接点２５２の結合端部２５６および設置端部２５８を画定することができる。第３結合端部および設置端部は、接地結合端部２７２および接地設置端部２７４によって、それぞれ画定することができる。例えば、接地結合端部２７２は、リニアアレイ２５１における電気信号接点２５２のそれぞれの横断方向における高さより大きい横断方向Ｔに沿う高さを画定することができる。例えば、各接地結合端部２７２は、１対の対向する側面部２７６、および対向する側面部２７６間に延びる１対の対向する端縁２７８を画定することができる。対向する側面部２７６のそれぞれは、横方向Ａ、そしてしたがって列方向に沿って、第１距離、相互から離れて一定間隔で配置することができる。対向する端縁２７８のそれぞれは、横断方向Ｔ、そしてしたがって列方向に沿って、第１距離より大きい第２距離、相互から離れて一定間隔で配置することができる。したがって、側面部２７６は、横断方向Ｔに沿う対向する端縁２７８の間の長さを画定することができ、さらに、端縁２７８は、横方向Ａに沿う対向する側面部２７６の間の長さを画定することができる。格別に記述しなければ、端縁２７８および側面部２７６は、端縁２７８および側面部２７６の両方にほぼ垂直に方向付けられる平面においてそれぞれの長さを画定することができる。側面部２７６の長さは、端縁２７８の長さより大きい。さらに、側面部２７６の長さは、特には結合端部２５６での電気信号接点２５２の側面部２６０の長さより大きい。
【００７８】
[０１４２]１つの実施例によれば、他の結合端が、直接隣接する結合端部間にないことを意味して、信号接点２５２の、直接隣接する結合端部２５６は、約１.０ｍｍのリニアアレイ２５１に沿う接点ピッチを画定する。リニアアレイ２５１に沿って、直接相互に隣接する結合端部２５６および接地結合端部２７２は、約１.３ｍｍのリニアアレイ２５１に沿う接点ピッチを画定する。さらに、電気接点１５０の直接隣接する結合端部の端縁は、リニアアレイ２５１に沿ってそれらの間に一定のギャップを画定することができる。電気接点の直接隣接する設置端部は、すべて、相互から、約１.２ｍｍのような一定距離離れて一定間隔で配置することができる。リニアアレイに沿って電気接点１５０の直接隣接する設置端部は、例えば、約１.２ｍｍのほぼ一定の列ピッチを画定することができる。したがって、信号接点２５２の直接隣接する設置端部２５８は、約１.２ｍｍのリニアアレイ２５１に沿う接点ピッチを画定する。リニアアレイ２５１に沿って、相互に直接隣接する設置端部２５６および接地設置端部２７４は、また、約１.２ｍｍのリニアアレイ２５１に沿う接点ピッチを画定することができる。接地結合端部２７２は、それぞれのリニアアレイ２５１に沿う距離、そしてしたがって、それぞれのリニアアレイに沿って信号接点２５２の接合端部２５６のそれぞれによって画定される距離より大きい、端から端までの横断方向Ｔ、端から端までの横断方向Ｔを画定することができる。
【００７９】
[０１４３] 第２電気コネクタ２００は、列方向と縦列方向とのいずれか、または両方に沿って相互から信号接点２５２を隔離する、空気、またはプラスチックのような、任意の適切な誘電体材料を有することができる。設置端部２５８および接地設置端部２７４は、プレス嵌め尾部、表面実装尾部、またはハンダボールのような可溶要素として構成することができ、それらは、第２基板３００ｂのような補完的電気部品に電気的に接続するように構成される。この点では、第２基板３００ｂは、配線盤との電気通信に置かれるように構成されるドーターカードとして構成することができ、配線盤は、電気コネクタアセンブリ１０が、一実施例における電気コネクタアセンブリの配線盤として参照することができるように、第１基板３００ａによって画定することができる。
【００８０】
[０１４４] 上述されたように、第２電気コネクタ２００は、第１方向であって、長手方向Ｌを画定することができるものに沿って第１電気コネクタ１００と結合し、かつ離脱するように構成される。例えば、第２電気コネクタ２００は、長手方向前方に結合方向Ｍに沿って第１電気コネクタ１００と結合するように構成され、さらに長手方向後方に離脱する方向ＵＭに沿って第２コネクタ２００から離脱することができる。リードフレームアセンブリ２３０のそれぞれは、第１方向および第２方向によって画定される平面に沿って方向付けすることができ、それは、第１方向に対してほぼ垂直に延びる横断方向Ｔを画定することができる。各リードフレームアセンブリ１３０の電気接点１５０の結合端部は、第２の、または横断方向Ｔに沿って相互から一定間隔で配置され、その方向は、縦列方向を画定することができる。各リードフレームアセンブリ１３０の電気接点１５０の設置端部は、長手方向Ｌに沿って相互から一定間隔で配置される。リードフレームアセンブリ２３０は、第３方向に沿って一定間隔で配置することができ、その方向は、横方向Ａであって、第１および第２両方向にほぼ垂直に延びるものを画定することができ、さらに、列方向Ｒを画定することができる。例証されるように、長手方向Ｌおよび横方向Ａは、水平に延び、さらに、これらの方向は、例えば、使用の間の電気コネクタアセンブリ１０の方向付けに依存して変化することができることは認識されるべきであるけれども、横断方向Ｔは、垂直に延びる。ここに別段の定めがない限り、用語「横方向」、「長手方向」、「横断方向」は、参照されている電気コネクタアセンブリ１０の部品の直角の方向成分について記述するために使用される。
【００８１】
[０１４５] 特に、今度は図５Ａ−５Ｃを参照して、第２電気コネクタ２００は、コネクタハウジンング２０６によって支持され、かつ、上述したように列方向に沿って配置される複数のリードフレームアセンブリ２３０を有することができる。第２電気コネクタ２００は、例証された実施例にしたがう６つのように望まれたような多くのリードフレームアセンブリ２３０を有することができる。１つの実施例によれば、各リードフレームアセンブリ２３０は、誘電性、または電気絶縁性のリードフレームハウジング２３２、およびリードフレームハウジング２３２によって支持される複数の電気接点２５０を有することができる。例証された実施例によれば、各リードフレームアセンブリ２３０は、リードフレームハウジング２３２によって支持される複数の信号接点２５２、および接地プレート２６８として構成することができる接地接点２５４を有する。
【００８２】
[０１４６] 接地プレート２６８は、プレート本体２７０、およびこのプレート本体２７０から外方に延びる複数の接地設置端部２７２を有する。例えば、接地結合端部は、長手方向Ｌに沿ってプレート本体２７０から前方に延びることができる。接地結合端部２７２は、したがって、横断方向Ｔおよびリニアアレイ２５１に沿って整列することができる。接地プレート２６８は、さらに、プレート本体２７０から外方に延びる複数の接地設置端部２７４を有する。例えば、接地設置端部２７４は、横断方向Ｔに沿って接地設置端部２７２に垂直に、プレート本体２７０から下方に延びることができる。したがって、接地結合端部２７２および接地設置端部２７４は、相互にほぼ垂直に方向付けすることができる。認識されるべきことは、もちろん、接地プレート２６８が、垂直のリードフレームハウジングに取付くように構成することができ、それは、接地結合端部２７２および接地設置端部２７４は、相互にほぼ平行に方向付けることができるようなものであることである。接地結合端部２７２は、第１電気コネクタ１００の接地結合端部１７２のような補完的電気コネクタの補完的接地結合端部に電気的に接続するように構成することができる。接地設置端部２７４は、第２基板３００ｂのような基板の電気トレースに電気的に接続するように構成することができる。
【００８３】
[０１４７] 各接地結合端部２７２は、柔軟なビームとして構築することができ、このビームは、また、レセプタクル接地結合端部として参照することができ、例えば湾曲するように曲った先端２８０を画定するレセプタクル接地結合端部として参照することができる。曲った先端２８０の少なくとも一部分は、それが結合方向に沿って延びるとともに、横方向Ａに沿って外方に、そして次に、それはさらに結合方向に沿って延びるとともに、横方向Ａに沿って内方に広がることができる。電気接点２５０、そして、特には接地接点２５４は、横方向Ａに沿って、少なくとも１つ、またはそれ以上すべてまでの接地結合端部２７２を介して延びる開口２８２を画定することができる。したがって、すくなくとも１つ、またはそれ以上すべてまでの接地結合端部は、側面部２７６のそれぞれのなかに、そしてそれぞれを介して延びる開口２８２のそれぞれの１つを画定することができる。開口２８２は、接地結合端部２７２が補完的電気接点と結合するとともに、例えば第１電気コネクタ１００の接地結合端部１７２の補完的電気コネクタの補完的電気接点において接地結合端部２７２によって及ぼされる垂直力の量を制御するように、望まれるように寸法採りし、形作ることができる。開口２８２は、長手方向Ｌに沿って延長するスロットとして構築することができ、長手方向Ｌに沿ったその対向する端部は丸くされる。開口２８２は、長手方向Ｌに沿ってリードフレームハウジング２６８から前方に間隔を置かれる第１位置から、長手方向Ｌに沿って曲がった先端２８０から後方に間隔を置かれる第２位置へ延びることができる。したがって、開口２８２は、リードフレームハウジング２６８と曲がった先端２８０との間に完全に収容することができる。しかしながら、接地結合端部２７２は、望まれるような任意の他の適切な開口構造によって代りに構築することができることは認識されるべきである。
【００８４】
[０１４８] 信号接点２５２の結合端部２５６および接地プレート２６８の接地結合端部２７２は、レセプタクル結合端部およびレセプタクル接地結合端部として設けられるので、それぞれ、第２電気コネクタ２００は、例証されるようなレセプタクルコネクタとして参照することができる。接地設置端部２７４は、信号接点２５２の設置端部２５８に関して上述されたように構築することができる。例証された実施例によれば、各リードフレームアセンブリ２３０は、５つの接地結合端部２７２および９つの信号接点２５２を画定する接地プレート２６８を有することができる。９つの信号接点２５２は、上述されたような単一のウィドー接点２５２ａとして準備された第９の信号接点２５２とともに、端部結合差動信号対として構成される信号接点２５２の４対２６６を有することができる。各差動信号対の電気信号接点２５２の結合端部２５６は、連続の接地結合端部２７２間に配置することができ、さらに、単一のウィドー接点２５２ａは、縦列の終端で接地結合端部２７２の１つに隣接して配置することができる。認識されるべきであることは、もちろん、各リードフレームアセンブリ２３０が、多数の信号接点２５２、および望まれるような多数の接地結合端部２７２を有することができることである。一実施例によれば、各リードフレームアセンブリは、奇数個の信号接点２５２を有することができる。第２電気コネクタは、等しい数のリードフレームアセンブリ２３０、および、第１電気コネクタ１００のそれらとして、各リードフレームアセンブリ１３０における等しい数の電気接点を有することができる。
【００８５】
[０１４９] 各リードフレームアセンブリ２３０における接地結合端部２７２および信号接点２５２の結合端部２５６は、リニアアレイ２５１における縦列方向に沿って整列することができる。１つまたはそれ以上すべてまでの隣接する差動信号対２６６は、ギャップ２５９によって横断方向Ｔに沿って相互に分離することができる。格別に述べなければ、リードフレームハウジング２３２によって支持されるような電気信号接点２５２は、隣接する差動信号対２６６間に配置されたギャップ２５９を画定することができる。接地結合端部２７２は、各差動信号対２６６の電気信号接点２５２の結合端部２５６間のギャップ２５９内に配置されるように構成される。同様に、接地設置端部２７４は、各差動信号対２６６の電気信号接点２５２の設置端部２５８間のギャップ２５９内に配置されるように構成される。
【００８６】
[０１５０] 各リードフレームアセンブリ２３０は、さらに、接地プレート２６８をリードフレームハウジング２３２に取付けるように構成される係合アセンブリを有することができる。例えば、係合アセンブリは、接地プレート本体２７０によって支持される接地プレート２６８の少なくとも１つの係合部材、さらには、補完的な、リードフレームハウジング２３２の少なくとも１つの係合部材を有することができる。接地プレート２６８の係合部材は、接地プレート２６８をリードフレームハウジング２３２に固定するようにリードフレームハウジング２３２の係合部材に取付けるように構成される。例証された実施例によれば、接地プレート２６８の係合部材は、横方向Ａに沿って接地プレート本体２７０を介して延びる対を有する複数のような少なくとも１つの開口２６９のような開口として構成することができる。開口２６９は、接地結合端部２７２と接地設置端部２７４と整列することができ、さらに、それらの間に配置することができる。
【００８７】
[０１５１] リードフレームハウジング２３２は、リードフレームハウジング本体２５７を有することができ、さらに、リードフレームハウジング２３２の係合部材は、横方向Ａに沿ってハウジング本体２５７から外方に延びることができる一対を有する複数の突部２９３のように、少なくとも１つの突部２９３として構成することができる。突部２９３の少なくとも一部分は、リードフレームハウジング２３２に取付けられるように接地プレート２６８の開口２６９の横断面の寸法にほぼ等しいか、よりわずかに大きい、選択した方向に沿った横断面の寸法を画定することができる。したがって、突部２９３の少なくとも一部分は、開口２６９を介して延びることができ、さらに接地プレート２６８をリードフレームハウジング２３２に取付けるように開口２６９内にプレス嵌めすることができる。電気信号接点２５２は、長手方向Ｌに沿うリードフレームハウジング本体２５７の前面に延びるリードフレームハウジング２３２のチャンネルに存在することができ、それは、結合端部２５６が、リードフレームハウジング２３２のリードフレームハウジング本体２５７の前面から前方に延びるようなものである。
【００８８】
[０１５２] リードフレームハウジング２３２は、横方向Ａに沿ってリードフレームハウジング本体２５７内に延びる、窪んだ領域２９５を画定することができる。例えば、窪んだ領域２９５は、第１表面内に延び、さらに、横方向Ａに沿って第１表面と対向する第２表面を介して延びることなしに終端することができる。したがって、窪んだ領域２９５は、横方向Ａに沿ってリードフレームハウジング本体２５７の第１および第２表面間に配置される窪んだ表面２９７を画定することができる。窪んだ表面２９７およびリードフレームハウジング本体２５７の第１表面は、接地プレート２６８が、リードフレームハウジング２３２に取付けられているときに、接地プレート２６８に面するリードフレームハウジング２３２の外表面を画定するように協働することができる。突部２９３は、窪んだ領域２９５から、例えば、窪んだ表面２９７から、第２表面から離れて、さらに第１表面に向かう方向に沿って、外方に延びることができる。
【００８９】
[０１５３] リードフレームアセンブリ２３０は、さらに、損失の多い材料、または磁気吸収材料を有することができる。例えば、接地プレート２６８は、任意の適切な電気伝導性の金属、任意の適切な損失の多い材料、または電気伝導性の金属と損失の多い材料との組合せから造ることができる。接地プレート２６８は、電気伝導性であり、そしてしたがって、接地プレート２６８が、代りに電磁エネルギーを吸収するように構成することができることは認識されるべきであるが、使用の間に電気信号接点２５２によって生成される電磁エネルギーを反映するように構成することができる。損失の多い材料は、磁気的に損失があり、かつ電気伝導性か、または電気非伝導性のいずれかである。例えば、接地プレート２６８は、１つ、またはそれ以上のECCOSORB（登録商標）、ランドルフ、ＭＡ.所在のEmerson & Cuming社から市販の吸収器製品から造ることができる。接地プレート２６８は、代りに、１つ、またはそれ以上のSRC Polylron（登録商標）、サンタローザ、Ｃａ.所在の SRC Cable社から市販の吸収器製品から造ることができる。電気伝導性、または電気非伝導性の損失の多い材料は、図５Ａ−５Ｃに関して以下に記述するようなリブ２８４を保持する接地プレート本体２７０の対向する第１および第２プレート本体表面上において覆うこと、例えば、射出成型することができる。代りに、電気伝導性、電気非伝導性の損失の多い材料は、ここに記述されるように構築された損失の多い接地プレート本体２７０を画定するように、形成、例えば、射出成型することができる。接地端部２７２および接地結合端部２７４は、ここに記述されるような損失の多い接地プレート本体２７０から延びるように、損失の多い接地プレート本体２７０に取付けることができる。代りに、損失の多い接地プレート本体２７０は、接地結合端部２７２および接地設置端部２７４に重ね成型することができる。代りに、さらに、損失の多い接地プレート本体２７０が非伝導性の場合、損失の多い接地プレート２６８は、接地結合端部２７２と接地設置端部２７４とを欠如することができる。
【００９０】
[０１５４] 図５Ａ−５Ｃについての継続的な参照によって、突起部（projection）のような少なくとも一部分は、それぞれの複数の接地プレート２６８は、プレート本体２７０に関して平面から方向付けることができる。例えば、接地プレート２６８は、接地プレート本体２７０によって支持された複数のリブ２８４のような、少なくとも１つのリブ２８４を有することができる。例証された実施例によれば、それぞれの複数のリブ２８４は、プレート本体２７０内に型押しするか、または浮彫りにし、さらにしたがって、プレート本体２７０と一体化し、かつ、単一体になる。したがって、リブ２８４は、さらに、浮彫りとして参照することができる。したがって、リブ２８４は、横方向Ａに沿ってプレート本体２７０の第１表面から外方に延びる突起部を画定することができ、さらに、横方向Ａに沿う第１プレート本体表面と対向する第２プレート本体表面内に延びる複数の凹所（recesses）を画定することができる。リブ２８４は、接地プレート本体２７０に沿って相互から一定間隔で配置されるそれぞれの取囲まれた外部周囲を画定する。したがって、リブ２８４は、接地プレート本体２７０に完全に収容される。リブ２８４は、結合インタフェース２０２に近接する第１端部、およびこの第１端部に関してほぼ垂直である設置インタフェース２０４に近接する第２端部を有することができる。リブ２８４は、曲がっているか、またはそうでなければ第１および第２端部間で曲げられていることができる。
【００９１】
[０１５５] リードフレームハウジング２３２の窪んだ領域２９５は、接地プレート２６８がリードフレームハウジング２３２に取付けられている場合に、少なくとも部分的にリブ２８４を受けるように構成することができる。リブ２８４は、横断方向Ｔに沿って離れて間隔を置くことができ、それは、各リブ２８４が、接地結合端部２７２のそれぞれのものと、接地設置端部２７４の対応するものとの間に配置され、長手方向Ｌに沿って、対応する接地結合および設置端部２７２および２７４と整列するようなものである。リブ２８４は、接地結合端部２７２と接地設置端部２７４との間の長手方向Ｌに沿って延びることができる。
【００９２】
[０１５６] リブ２８４は、接地プレート本体２７０から、例えば接地プレート本体２７０の第１表面から、各リブ２８４の一部が、電気信号接点２５２の少なくとも一部によって画定される平面内に延びるように充分な、横方向Ａに沿う距離、延びることができる。その平面は、長手方向Ｌおよび横断方向Ｔによって画定することができる。例えば、各リブの一部は、接地結合端部２７２表面と、また、接地プレート２６８が、リードフレームハウジング２３２に取付けられている場合、信号接点２５２の結合端部２５６の表面と、共通平面に沿って延びる平坦を画定することができる。したがって、横方向Ａに沿って最外であるリブ２８４の最外表面は、長手方向Ｌおよび横断方向Ｔによって画定される平面に沿って、接地結合端部２７２のそれぞれの最外表面、および横方向Ａに沿う信号接点２５２の端部２５６と整列することができるということができる。
【００９３】
[０１５７] リブ２８４は、長手方向Ｌに沿ってギャップ２５９と整列され、それは、リブ２８４が、接地プレート２６８がリードフレームハウジング２３２に取付けられている場合、リードフレームハウジング２３２の窪んだ地域２９５内に延びることができるようなものである。この点に関して、リブ２８４は、リードフレームハウジング２３２内の接地接点として作動することができる。認識されるべきことは、接地結合端部２７２および接地設置端部２７４が、望まれるように、接地プレート２６８において構築することができ、それは、その接地プレート２６８が、第１または第２リードフレームアセンブリ２３０ａ−ｂにおける包含のために構築することができることである。さらに、接地接点２５４が、接地接合端部２７２、接地設置端部２７４、リブ２８４、および接地プレート本体２７０を有することができる一方で、接地接点２５４は、それぞれ、結合端部、設置端部、および結合端部から接地プレート２６８の代わりの設置端部まで延びる本体を、それぞれ有する個別の分離した接地接点を有することができることである。接地プレート本体２７０を介して延びる開口２６９は、リブ２８４のそれぞれのものを介して延びることができ、それは、各リブ２８４が、開口２６９の対応する１つを画定するようなものである。したがって、接地プレート２６８の係合部材は、リブ１８４のそれぞれのものによって支持されるということができる。したがって、接地プレート２６８は、リブ２８４によって支持される少なくとも１つの係合部材を有することができる。
【００９４】
[０１５８] リードフレームアセンブリ２３０が、例証された接地接点２５４構成に限定されないことは認識されるべきである。例えば、代りの実施例によれば、リードフレームアセンブリ２３０は、電気信号接点２５２に関して上述されたようにリードフレームハウジング２３２によって支持される個別の接地接点を有することができる。リブ２８４は、代りに、リードフレームハウジング２３２内の個別の接地接点と接触するように構築することができる。代りに、プレート本体２７０は、ほぼ平坦であることができ、かつ、リブ２８４、または他の浮彫りを欠如することができ、さらに、個別の接地接点は、そうでなければ、接地プレート２６８に電気的に接続することができるか、または、接地プレート２６８から電気的に隔離することができる。
【００９５】
[０１５９] 特に再度図４Ａ−４Ｂを参照して、コネクタハウジング２０６は、プラスチックのような、任意の適切な誘電性、または電気絶縁性材料から構成することができるハウジング本体２０８を有することができる。ハウジング本体２０８は、前方端部２０８ａ、長手方向Ｌに沿って前方端部２０８ａから一定間隔で配置される対向する後方端部２０８ｂ、頂部壁２０８ｃ、横断方向Ｔに沿って頂部壁２０８ｃから間隔を置かれる底部壁２０８ｄ、および、横方向Ａに沿って相互から一定間隔で配置される、対向する第１および第２側壁２０８ｅおよび２０８ｆを画定することができる。第１および第２側壁２０８ｅおよび２０８ｆは、例えば頂部壁２０８ｃから底部壁２０８dまで、頂部および底部壁２０８ｃおよび２０８ｄの間に延びることができる。第１および第２側壁２０８ｅおよび２０８ｆは、さらに、ハウジング本体２０８の後方端部２０８ｂからハウジング本体２０８の前方端部２０８ａに延びることができる。以下の記述から認識されるように、頂部と底部壁２０８ｃと２０８ｄのそれぞれ、および、側壁２０８ｅと２０８ｆは、当接表面、例えば、それらの前方端部で第１コネクタハウジング本体１０８の当接壁１０８ｇに面するか、または当接するように構成される接合表面を画定することができる。
【００９６】
[０１６０] ハウジング本体２０８の前方端部２０８ａは、第１および第２電気コネクタ１００および２００が結合するときに、第１電気コネクタ１００の当接壁１０８gに接するように構成することができる。例えば、例証された実施例によれば、前方端部２０８ａは、横方向Ａおよび横断方向Ｔによって画定される平面に存在することができる。例証されたハウジング本体２０８は、結合インタフェース２０２が、結合方向に沿う設置インタフェース２０４に関して前方に間隔を置かれるように構築される。ハウジング本体２０８は、さらに、空隙２１０を画定することができ、それは、それらがコネクタハウジング２０６によって支持されるときに、リードフレームアセンブリ２３０が空隙２１０内に配置されるようなものである。例証された実施例によれば、空隙２１０は、頂部および底部壁２０８ｃおよび２０８ｄ、および、第１および第２側壁２０８ｅおよび２０８ｆを支持することによって画定することができる。
【００９７】
[０１６１] 第２ハウジング本体２０８は、さらに、第１および第２電気コネクタ１００および２００が相互に結合するとともに、相互に結合するような、第１および第２の電気コネクタ１００および２００の部品を整列するように、第１電気コネクタ１００の補完的整列部材１２０と結合するように構成される複数の整列部材２２０のような、少なくとも１つの整列部材２２０を画定することができる。例えば、複数の整列部材２２０のような少なくとも１つの整列部材２２０は、  電気接点２５０の結合端部を、結合方向Ｍに沿う第２電気コネクタ２００の補完的電気接点のそれぞれの結合端部と整列するように第１電気コネクタ１００の補完的整列部材１２０と結合するように構成される。
【００９８】
[０１６２] 複数の整列部材２２０は、総体の整列を考慮することができる整列の準備、または第１段階を実行するように、第１電気コネクタ１００の補完的第１整列部材１２０ａと結合するように構成される複数の第１整列部材２２０ａのような少なくとも１つの、第１または総体の整列部材２２０ａを有することができる。したがって、第１整列部材２２０ａは、総体の整列部材として参照することができる。複数の整列部材２２０は、さらに総体の整列より正確である精密な整列を考慮することができる整列の、第２の、または第２段階を実行するように、第１整列部材２２０ａおよび１２０ａが結合した後、第１電気コネクタ１００の補完的第２整列部材１２０ａと結合するように構成される複数の第２整列部材２２０ｂのような、少なくとも第２、または精密な整列部材２２０ｂを有することができる。第１整列部材２２０ａ、または第２整列部材２２０ｂの１つまたは両方は、電気接点２５０が、第１電気コネクタ１００のそれぞれの補完的電気接点１５０と接触する前に、第１電気コネクタ１００の補完的第１および第２整列部材１２０ａ-ｂと係合することができる。
【００９９】
[０１６３] 例証された実施例によれば、第１または総体の整列部材２２０ａは、ハウジング本体２０８内に延びる整列凹所２２２として構成することができる。したがって、もし他の方法で示されなかったならば、整列凹所２２２ａ-ｄへの参照は、総体の整列部材２２０ａに適用することができる。例えば、第２電気コネクタは、第１電気コネクタ１００の第１整列ビーム１２２ａを受けるように構成される第１凹所２２２ａ、第１電気コネクタ１００の第２整列ビーム１２２ｂを受けるように構成される第２凹所２２２ｂ、第３の整列ビーム１２２ｃを受けるように構成される第３の凹所２２２ｃ、および、第４の整列ビーム１２２ｄを受けるように構成される第４の凹所２２２ｄを有することができる。
【０１００】
[０１６４] 例証された実施例によれば、それぞれの第１および第２凹所２２２ａおよび２２２ｂは、それぞれ、第１および第２凹所２２２ａおよび２２２ｂの内部の横断境界を画定する床（floor）２２４への内部横断方向Ｔに沿ってハウジング本体２０８の頂部壁２０８ｃ内に延びる。ハウジング本体２０８は、さらに、横方向Ａに沿って一定間隔で配置され、かつ横断方向Ｔに沿って床２２４から延びる第１および第２側面部表面２２５ａ-ｂを画定することができる。例えば、側面部表面２２５ａ-ｂは、少なくとも部分的に、第１および第２凹所２２２ａおよび２２２bを画定することができ、さらに、横断方向Ｔに沿ってそれぞれの床２２４から頂部壁２０８ｃまで延びることができる。第１および第２凹所２２２ａおよび２２２ｂのそれぞれは、したがって、それぞれの第１および第２側面部表面２２５ａ-ｂの間に延びることができる。１つ、またはそれ以上すべてまでの第１および第２側面部表面２２５ａ-ｂおよび床２２４は、ハウジング本体２０８の前方端部２０８ａとのインタフェースで面取りすることができる。第１および第２側面部表面２２５ａ-ｂのそれぞれの溝（chamfer）は、溝が、結合方向に沿って延びるとともに、側面部表面２２５ａ-ｂの他のものから離れて、横方向Ａに沿って外方に延びることができる。床２２４が結合方向に沿って延びるとともに、床２２４の溝は、横断方向に沿ってハウジング本体２０８の頂部壁２０８ｃから離れて外方に延びることができる。ハウジング本体２０８は、さらに、結合方向と対向する方向に長手方向に沿ってハウジング本体２０８の前方端部２０８ａから後方に窪んでいる後部壁２２６を画定する。後部壁２２６は、第１および第２の側面部表面２２５ａ-ｂとの間、およびさらに頂部壁２０８cと床２２４との間に延びることができる。第１および第２凹所２２２および２２２ｂのそれぞれは、前方端部２０８ａから後部壁２２６まで延びることができる。したがって、それぞれの床２２４、側面部表面２２５ａ-ｂ、および後部壁２２６のそれぞれは、少なくとも部分的に画定することができ、さらに、累積的に、それぞれ、第１および第２凹所２２２ａおよび２２２ｂの対応するものを画定することができる。さらに、第１および第２凹所２２２ａおよび２２２ｂのそれぞれは、前方端部２０８ａから後方に、床２２４を介して延びるスロット２２７を画定することができ、第１電気コネクタ１００の、第３分割壁１１２ｃのような分割壁１１２の１つを受けるように、分割壁１１２の１つを受けるように構成される。
【０１０１】
[０１６５] さらに、例証された実施例によれば、第３および第４凹所２２２ｃおよび２２２ｄのそれぞれは、それぞれ、それぞれの第３および第４凹所２２２ｃおよび２２２ｄの内部の横断境界を画定する床２２４への内部横断方向Ｔに沿うハウジング本体２０８の底部壁２０８ｄ内に延びる。ハウジング本体２０８は、さらに、横方向Ａに沿って一定間隔で配置され、かつ、それぞれの床２２４から横断方向Ｔに沿う底部壁２０８ｄまで外に延びる第１および第２側面部表面２２５ａ-ｂを画定することができる。第１および第２凹所２２２ａおよび２２２ｂのそれぞれは、第１および第２側面部表面２２５ａ-ｂのそれぞれの間に延びることができる。１つ、またはそれ以上すべてまでの第１および第２側面部表面２２５ａ-ｂと床２２４は、ハウジング本体２０８の前方端部２０８ａとのインタフェースで面取りすることができる。第１および第２側面部表面２２５ａ-ｂのそれぞれの溝は、溝が結合方向に沿って延びるとともに、横方向Ａに沿って側面部表面２２５ａ-ｂの外方に、側面部表面２２５ａ-ｂの他方のものから離れて延びることができる。床２２４の溝は、床２２４が結合方向に沿って延びるとともに、横断方向Ｔに沿って外方に、ハウジング本体２０８の底部壁２０８ｄから離れて延びることができる。側面部表面２２５ａ-ｂは、少なくとも部分的に、第１および第２凹所２２２ａおよび２２２ｂを画定し、かつ、横断方向Ｔに沿うそれぞれの床２２４から底部壁２０８ｄまで延びることができる。ハウジング本体２０８は、さらに、結合方向と対向する方向に長手方向に沿ってハウジング本体２０８の前方端部２０８ａから後方に窪んでいる後部壁２２６を画定する。後部壁２２６は、第１および第２側面部表面２２５ａ-ｂとの間に、およびさらに底部壁２０８ｄと床２２４との間に延びることができる。第２および第３凹所２２２ｃおよび２２２ｄのそれぞれは、前方端部２０８ａから後部壁２２６まで延びることができる。したがって、それぞれの床２２４、側面部表面２２５ａ-ｂ、および後部壁２２６のそれぞれは、少なくとも部分的に画定することができ、さらに、累積的に、第２および第３凹所２２２ｃおよび２２２ｄの対応するものを、それぞれ画定することができる。さらに、第３および第４凹所２２２ｃおよび２２２ｄのそれぞれは、前方端部２０８ａから床２２４まで後方に延び、かつ、第１電気コネクタ１００の、第３分割壁１１２ｃのような分割壁１１２の１つを受けるように構成されるスロット２２７を画定することができる。
【０１０２】
[０１６６] 凹所２２２ａ-ｄは、第１および第２凹所２２２ａ-ｂの中心、第２と第３凹所２２２ｂ-ｃの中心、第３と第４凹所２２２ｃ-ｄの中心、および第４と第１凹所２２２ｄ-ａの中心間で接続された１、第２、第３、および第４ラインが、それぞれ、長方形を画定するように位置することができる。第２および第４ラインは、第１および第３ラインより長くなることができる。例証された実施例によれば、凹所２２２ａ-ｄは、ハウジング本体２０８の前方端部２０８ａのそれぞれの四分円で配置することができる。例えば、第１凹所２２２ａは、第１側壁２０８ｅを収容する平面と、頂部壁２０８ｃを収容する平面との間のインタフースに隣接して配置することができる。第２凹所２２２ｂは、頂部壁２０８ｃを収容している平面と、第２側壁２０８ｆを収容している平面との間のインタフェースに隣接して配置することができる。第３の凹所２２２ｃは、第２側壁２０８ｅを収容している平面と、底部壁２０８ｄを収容している平面との間のインタフェースに隣接して配置することができる。第４凹所２２２ｄは、底部壁２０８ｄを収容している平面と、第１側壁２０８ｆを収容している平面との間のインタフェースに隣接して配置することができる。
【０１０３】
[０１６７] したがって、第１凹所２２２ａは、横方向Ａに沿って第２凹所２２２ｂと整列することができ、かつ、横断方向Ｔに沿って第４凹所２２２ｄと整列することができる。第１凹所２２２ａは、横方向Ａおよび横断方向Ｔの両方に沿って第３凹所２２２ｃから間隔を置くことができる。第２凹所２２２ｂは横方向Ａに沿って第１凹所２２２ａと整列することができ、かつ、横断方向Ｔに沿って第３凹所２２２ｃと整列することができる。第２凹所２２２ｂは、横方向Ａおよび横断方向Ｔの両方に沿って第４凹所２２２ｄから一定間隔で配置することができる。第３凹所２２２ｃは横方向Ａに沿って第４凹所２２２ｄと整列することができ、かつ、横断方向Ｔに沿って第２凹所２２２ｂと整列することができる。第３凹所２２２ｃは、横方向Ａおよび横断方向Ｔの両方に沿って第１凹所２２２ａから一定間隔で配置することができる。第４凹所２２２ｄは、横方向Ａに沿って第３凹所２２２ｃと整列することができ、かつ、横断方向Ｔに沿って第１凹所２２２ａと整列することができる。第４凹所２２２ｄは、横方向Ａおよび横断方向Ｔの両方に沿って第２凹所２２２ｂから一定間隔で配置することができる。それぞれの床２２４および側面部表面２２５ａ-ｂを有する凹所２２２ａ-ｄのそれぞれは、それらが、後部壁２２６に向かって前方端部２０８ａ内に延びるとともに、前方端部２０８ａから相互にほぼ平行に延びることができ、または、それらが、後部壁２２６に向かって前方端部２０８ａ内に延びるとともに、１つ、またはそれ以上すべてまでの他の凹所２２２ａ-ｄに関して、代りに、集中するか、または分岐することができる。
【０１０４】
[０１６８] 今度は一般に図１−４Ｂを参照して、第１および第２電気コネクタ１００および２００が、結合するときに、整列ビーム１２２ａ-ｄの第１および第２面取り表面１２４および１２６は、横方向Ａおよび横断方向Ｔに沿って、第１および第２電気コネクタ１００および２００の第１段階整列を実行するように、補完的凹所２２２ａ-ｄの、それぞれ、側面部表面２２５ａ-ｂおよび床２２４の面取り表面に沿って乗ることができる。上述されたように、第１および第２電気コネクタ１００および２００の第１段階の整列は、少なくとも部分的に、横方向Ａおよび横断方向Ｔの、少なくとも一方、または両方における第１および第２コネクタハウジング１０６および２０６と、それぞれの電気接点１５０および２５０を整列して、有することができる。例えば、相互に対して第１および第２電気コネクタ１００および２００を結合するときに、第１および第２電気コネクタ１００および２００が、横方向Ａに沿って相互に関して整列されない場合には、横方向Ａに沿う第２電気コネクタ２００に関して第１電気コネクタ１００の整列を修正するために、第１面取り表面１２４は、一方または両方の側面部表面２２５ａ-ｂの溝と係合することができる。同様に、第１および第２電気コネクタ１００および２００の結合が開始されるときに、第１および第２電気コネクタ１００および２００が、横断方向Ｔに沿って相互に関して誤って調整される場合には、横断方向Ｔに沿って第２電気コネクタ２００に関して第１電気コネクタ１００の整列を修正するために、面取りされた表面１２６は、床２２４の溝と係合することができる。したがって、整列ビーム１２２ａ-ｄは、第１および第２電気コネクタ１００および２００が、相互と結合するとともに、補完的凹所２２２ａ-ｄ内に挿入されるように補完的凹所２２２ａ-ｄと整列することができる。
【０１０５】
[０１６９] 再度図４Ａ−Ｂを参照して、凹所２２２ａ-ｄのそれぞれは、凹所２２２ａ-ｄの他のもののそれぞれと同一のものを、寸法採りし、かつ形作ることができ、または１つ、またはそれ以上のすべてまでの凹所２２２ａ-ｄとは形またはサイズにおいて異なることができ、それは、少なくとも１つの凹所２２２ａ-ｄが、他方に関して所定の方向付けにおけるときに、第１および第２コネクタ１００および２００のそれぞれが相互と結合することを可能にする極性部材を画定することができるようなものである。例えば、凹所２２２ａ-ｄの１つの横方向Ａに沿う側面部表面２２５ａ-ｂの間の距離は、凹所２２２ａ-ｄの他のものに関して異なることができる。認識されるべきことは、凹所２２２ａ-ｄの間に異なることができる寸法、およびまたは形状は、それぞれの幅に限定されないことであり、さらに、第１および第２凹所２２２ａ-ｄの他の適切な特性は、第１および第２凹所２２２ａ-ｄが極性部材を画定することができるように異なることである。
【０１０６】
[０１７０] 上述されたように、第２電気コネクタ２００は、望まれるように、多くのリードフレームアセンブリとして、およびしたがって、単独で、または  外部のリードフレームアセンブリ１３０ｃおよび１３０ｄと結合して、望まれるように、第１および第２ドフレームアセンブリ２３０ａ-ｂの多くの対２６１として、画定することができる。例証されるように、第１電気コネクタは、複数の対２６１、例えば第１対２６１ａおよび第２対２６１ｂであって、横方向Ａに関して外部のリードフレームアセンブリ２３０ａと２３０ｂとの間で配置されるもののような、少なくとも１対２６１を有することができる。例えば、第１対２６１ａは、第１外部のリードフレームアセンブリ２３０ｃおよび第２対２６１ｂに隣接して配置することができ、さらに、第２対２６１ｂは、第２外部のリードフレームアセンブリ２３０ｄと第１対２６１ａとの間に配置することができる。電気コネクタ２００は、さらに第１外部リードフレームアセンブリ２３０ｃと第１対２６１ａとの間の第１ギャップ２６３ａ、第１および第２対２６１ａと２６１ｂとの間の第２ギャップ２６３ｂ、および、第２対２６１ｂと第２外部のリードフレームアセンブリ２３０ｄとの間の第３ギャップ２６３ｃを有して、横方向Ａに沿って延びるそれぞれのギャップ２６３を画定することができる。第１および第３ギャップ２６３ａおよび２６３は、外部のギャップとして参照することができ、さらに、第２ギャップ２６３ｂは、横方向Ａに関して外部のギャップ間に配置された内部のギャップとして参照することができる。第１および第４整列部材２２０ａ、例えば整列凹所２２２ａおよび２２２ｄは、第１ギャップ２６３ａが、第１および第４整列凹所２２２ａおよび２２２ｄの間に延びるように、第１ギャップ２６３ａと整列することがある。第２および第３整列部材２２０ａ、例えば整列凹所２２２ｂおよび２２２ｃは、第３ギャップ２６３ｃと整列することができ、それは、第３ギャップ２６３ｃが、第２および第３整列凹所２２２および２２２ｃの間に配置されるようなものである。
【０１０７】
[０１７１] 整列凹所２２２ａ-ｄは、総体の整列凹所として参照されることができ、かつ、ハウジング本体２０８は、さらに、精密な整列凹所２２８、例えば、第２整列凹所の第１対のような、対を画定する第１および第２整列凹所２２８ａおよび２２８ｂの形で、精密な整列部材２２０ｂを画定することができる。したがって、もし他の方法で示されなかったならば、整列凹所２２８ｄに対する参照は、総体の整列凹所２２２ａに適用することができる。第１および第２凹所２２８ａおよび２２８ｂは、第２ギャップ２６３ｂの対向する端部に配置され、それは、第２ギャップ２６３ｂが、横断方向Ｔに沿う第１および第２凹所２２８ａおよび２２８ｂの間に配置されるようなものである。したがって、凹所２２８は、横方向Ａに関して第１凹所２２２のそれぞれの対の間に配置することができる。整列凹所２２８ａ-ｂは、第１および第２電気コネクタ１００および２００が、相互と結合するとともに、横方向Ａに沿って相互に関して第１および第２電気コネクタ１００および２００の、精密な整列、または第２段階の整列を提供するように、例えば、横方向Ａおよび横断方向Ｔに関して、電気接点１５０を第２電気コネクタ２００の補完的電気接点と整列させるように整列ビームを受けるように構成することができる。      
[０１７２] 第１精密な整列凹所２２８ａは、内部の横断方向Ｔと対向して外部の横断方向Ｔに沿ってハウジング本体２０８の頂部壁２０８ｃ内に、第１凹所２２８ａの外部の横断境界を画定する床２３９まで延長することができる。ハウジング本体２０８は、さらに横方向Ａに沿って一定間隔で配置され、かつ横断方向Ｔに沿って床２３９から内方に延びる第１および第２側面部表面２４５ａ-ｂを画定することができる。例えば、側面部表面２４５ａ-ｂは、少なくとも部分的に第１凹所２２８ａを画定することができ、さらに横断方向Ｔに沿ってそれぞれの床２３９から頂部壁２０８ｃの内部表面まで延長することができる。第１凹所２２８ａは、したがって、それぞれの第１および第２側面部表面２４５ａ-ｂの間に延びることができる。１つまたはそれ以上全てまでの第１および第２側面部表面２４５ａ-ｂおよび床２３９は、望まれるようなハウジング本体２０８の前方端部２０８ａとのインタフェースで面取りすることができる。ハウジング本体２０８は、さらに、結合方向に対向する方向における長手方向Ｌに沿ってハウジング本体２０８の前方端部２０８ａから後方に窪んでいる後部表面２４７を画定する。後部表面２４７は、第１および第２側面部表面２４５ａ-ｂの、およびさらに、頂部壁２０８ｃと床２３９との間に延びることができる。第１凹所２２２ａは、前方端部２０８ａから後部表面２４７まで延びることができる。したがって、それぞれの床２３９のそれぞれ、側面部表面２４５ａ-ｂ、および後部表面２４７が、少なくとも部分的に画定することができ、かつ、累積的に対応する第１凹所２２８ａを画定することができる。
【０１０８】
[０１７３] 同様に、第２の精密な整列凹所２２８ｂは、内部の横断方向Ｔに対向する外部の横断方向Ｔに沿ったハウジング本体２０８の底部壁２０８ｄ内に、第２の精密な凹所２２８ｂの外部の横断境界を画定する床２３９まで延びることができる。ハウジング本体２０８は、さらに、横方向Ａに沿って一定間隔で配置され、かつ、横断方向Ｔに沿って床２３９から内方に延びる第１および第２側面部表面２４５ａ-ｂを画定することができる。例えば、側面部表面２４５ａ-ｂは、少なくとも部分的に第２凹所２２８ｂを画定することができ、かつ、横断方向Ｔに沿ってそれぞれの床２３９から頂部壁２０８ｃの内側の表面まで延びることができる。したがって、第２凹所２２８ｂは、それぞれの第１および第２側面部表面２４５ａ-ｂの間に延びることができる。１つまたはそれ以上のすべてまでの第１および第２側面部表面２４５ａ-ｂと、床２３９とは、望まれるようにハウジング本体２０８の前方端部２０８ａとのインタフェースで面取りすることができる。ハウジング本体２０８は、さらに、結合方向に対向する方向に長手方向Ｌに沿ってハウジング本体２０８の前方端部２０８ａから後方に窪んでいる後部表面２４７を画定する。後部表面２４７は、第１および第２側面部表面２４５ａ-ｂとの間に、さらには、頂部壁２０８ｃと床２３９との間に延びることができる。第１凹所２２２ａは、前方端部２０８ａから後部表面２４７まで延びることができる。したがって、それぞれの床２３９のそれぞれ、側面部表面２４５ａ-ｂ、および後部表面２４７は、少なくとも部分的に画定することができ、累積的に、対応する第２凹所２２８ｂを画定することができる。
【０１０９】
[０１７４] 今度は、一般に図１−４Ｂを参照して、上述された整列の第１段階の整列は、上述したように完成しており、第１および第２電気コネクタ１００および２００が結合するとともに、横方向Ａおよび横断方向Ｔに沿って第１および第２電気コネクタ１００および２００の部品の第２段階の整列を実行するように、第１および第２の精密な整列凹所２２８ａ-ｂのそれぞれは、補完的な第１および第２の精密な整列ビーム１２８ａと１２８ｂを受けるように整列する。したがって、第１および第２電気コネクタ１００および２００は、さらに、第１段階整列の後に結合方向Ｍに沿って結合されるので、第２段階整列は、それぞれの整列凹所２２８ａ-ｂにおける整列ビーム１２８ａ-ｂの挿入によって開始され、それによって、より詳細に以下に記述されるように相互に結合するように電気接点１５０および２５０の結合端部を整列させる。認識されるべきことは、  １)１つ、またはそれ以上すべてまでの総体の整列部材、および、１つ、またはそれ以上すべてまでの第１電気コネクタ１００の精密な整列部材は、ビームのような突起部、または上述された方法における凹所を画定すること、および、  ２)１つ、またはそれ以上すべてまでの総体の整列部材、および、１つ、またはそれ以上すべてまでの第２電気コネクタ２００の精密な整列部材は、ビームのような突起部、または、上述された方法における凹所を画定することができること、そしてそれは、  ３）第１および第２電気コネクタ１００および２００の総体の整列部材は、上述された方法において相互と結合することができ、さらに、第１および第２電気コネクタ１００および２００の精密な整列部材の凹所は、上述された方法において相互に結合することができることである。
【０１１０】
[０１７５] 再度 図４Ａ-Ｂを参照して、第２ハウジング本体２０８は、さらに、少なくとも部分的に取囲み、かつそれによって結合インタフェース２０２での電気接点２５０を保護するように構成される複数の分割壁２１２のような少なくとも１つの分割壁２１２を画定することができる。分割壁２１２のそれぞれは、後方端部２０８ｂに対する前方端部２０８ａからのような空隙２１０内に長手方向Ｌに沿ってハウジング本体の前方端部２０８ａから後方に延びることができる。この点に関しては、少なくとも１つの分割壁２１２が、ハウジング本体２０８の前方端部２０８ａを画定することができるということができる。分割壁２１２のそれぞれは、さらに、頂部および底部壁２０８ｃおよび２０８ｄの間の横断方向Ｔに沿って延び、さらにしたがって長手方向Ｌおよび横断方向Ｔによって画定されるそれぞれの平面に存在することができる。分割壁２１２は、横方向Ａに沿って相互から離れて一定間隔で配置され、かつ、第１および第２側壁２０８ｅと２０８ｆとの間に置かれる。各分割壁２１２は、第１側面部表面２１１、および横方向Ａに沿っておよびフェース面対向に沿って第１側面部表面２１１から一定間隔で配置され、かつ、横方向Ａに沿って第１側面部表面２１１に対向して対面する第２側面部表面２１３を画定することができる。
【０１１１】
[０１７６] 例証された実施例によれば、ハウジング本体２０８は、第１分割壁２１２ａおよび第２分割壁２１２ｂを有する複数の分割壁２１２を画定する。第１および第２分割壁２１２ａは、横方向Ａに沿って第１および第２対の総体の整列凹所２２８ａとの間に位置することができ、かつ、頂部および底部壁２０８ｃおよび２０８ｄの間に延びることができる。第１および第２側壁２０８eおよび２０８fは、さらに、それぞれの第３および第４の分割壁２１２ｃおよび２１２ｄを画定することができる。したがって、第３および第４の分割壁２１２ｃおよび２１２ｄは、外部の分割壁として参照することができ、また、第１および第２分割壁２１２ａおよび２１２ｂは、外部の分割壁の間に配置される内部の分割壁として参照することができる。第２電気コネクタ２００は、第１および第２リードフレームアセンブリ２３０ａおよび２３０ｂの対２６１は、少なくとも１つ以上すべてまでの分割壁、例えば、内部の分割壁の対向する側に配置することができるように構築することができる。第２電気コネクタ２００は、さらに、個別のリードフレームアセンブリ２３０ｃおよび２３０ｄが、少なくとも１つ以上すべてまでの分割壁、例えば、外部の分割壁の一方の側に隣接して配置することができるように構築することができる。
【０１１２】
[０１７７]第２の電気コネクタ２００は、コネクタハウジング２０６の空隙２１０内に配置され、かつ、横方向Ａに沿って相互からはなれて一定間隔で配置される複数のリードフレームアセンブリ２３０を有することができる。少なくとも、すべてまでのいくつかのリードフレームアセンブリ２３０は、直接隣接する第１および第２のそれぞれのリードフレームアセンブリ２３０ａ-ｂのそれぞれの対２６１に整列することができる。リードフレームアセンブリ２３０は、さらに、第１の外部のリードフレームアセンブリ２３０ｃを画定することができ、それは、隣接して配置することができ、さらに、第１側壁２０８ｅに隣接して配置され、かつ、第１リードフレームアセンブリ２３０ａに関してここに記述されるように構築することができる。リードフレームアセンブリ２３０は、さらに、第２の外部のリードフレームアセンブリ２３０ｄを画定することができ、それは、第２側壁２０８ｆに隣接して配置することができ、さらに、第２リードフレームアセンブリ２３０ｂに関してここに記述されるように構築することができる。
【０１１３】
[０１７８]電気信号接点２５２のそれぞれの結合端部２５６は、曲がっている、例えばカーブした、結合端部２５６の自由端を画定することができる遠位の先端２６４を画定するレセプタクルの結合端部として構築することができる。例えば、先端２６４は、電気信号接点２５２が、結合方向に沿って延びるとともに、分割壁２１２のそれぞれの表面から離れて、横方向Ａに沿って外方に広がる第１部分を画定することができ、かつ、電気信号接点２５２が、さらに結合方向に沿って延びるとともに、横方向Ａに沿って第１部分から内方に延びる第２部分を画定することができる。同様に、接地結合端部２７２は、接地結合端部２７２の自由端を画定することができる、曲がった、例えばカーブした、遠位の先端２８０を画定するレセプタクル結合端部として構築することができる。例えば、先端２８０は、接地結合端部２７２が、結合方向に沿って延びるとともに、分割壁２１２のそれぞれの表面から離れて横方向に沿って外方に広がる第１部分を画定することができ、かつ、接地結合端部２７２が、さらに、結合方向に沿って延びるとともに、分割壁２１２のそれぞれの表面に向かって横方向Ａに沿って第１部分から内方に延びる第２部分を画定することができる。
【０１１４】
[０１７９] したがって、信号接点２５２の結合端部２５６の先端２６４、および、第１リードフレームアセンブリ２３０ａのすべてまでの少なくとも１つの接地結合端部２７２の先端２８０は、先端２６４および２８０が、それぞれの設置端部からそれぞれの結合端部への方向にそれぞれの結合端部に沿って、例えば、接地設置端部２７４から接地結合端２７２にリブ２８４に沿って、ハウジング本体１０８の第２側壁２０８ｅに関して凹面である第１の方向付けにしたがって配置することができる。したがって、先端２６４および２８０は、第２側壁２０８ｅに関して凹面であることができる。信号接点２５２の結合端部２５６の先端２６４、および第２リードフレームアセンブリ２３０ｂのすべてまでの少なくとも１つの接地結合端部２７２の先端２８０は、先端２６４および２８０が、ハウジング本体２０８の第１側壁２０８ｅに関して凹面である第２の方向付けにしたがって、配置することができる。したがって、第２リードフレームアセンブリ２３０ｂの先端２６４および２８０は、第１側壁２０８ｅに関して凹面であることができる。信号接点２５２の結合端部２５６の先端２６４、および、第２リードフレームアセンブリ１３０ｂのすべてまでの少なくとも１つの接地結合端部２７２の先端２８０は、先端２６４および２８０は、それぞれの設置端部からそれぞれの結合端部への方向におけるそれぞれの結合端部に沿って、例えば、接地設置端部２７４から接地結合端部２７２へのリブ２８４に沿って、ハウジング本体２０８の第１側壁２０８ｅに向かって、例えば曲げられて、カーブしている、第２の方向付けにしたがって配置することができる。第２電気コネクタ２００は、第２電気コネクタ２００の正面図から第１側壁２０８ｅと第２側壁２０８ｆとの間の右から左にコネクタハウジング２０６内に配置される第１および第２リードフレームアセンブリ２３０ａおよび２３０ｂを交互にすることでそれぞれ構築することができる。
【０１１５】
[０１８０] 分割壁２１２のそれぞれは、少なくとも部分的に取囲み、かつそれによって、結合端部２５６、および、電気接点２５０の縦列のそれぞれのもの２つの電気接点２５０のそれぞれのものの接地接合端部２７２を保護するように構成することができる。例えば、結合端部２５６、および第１リードフレームアセンブリ２３０ａの接地結合端部２７２は、それぞれの分割壁２１２ａ-ｃの第１表面２１１に隣接して配置することができ、かつ、それぞれの分割壁２１２ａ-ｃの第１表面２１１から一定間隔で配置することができる。結合端部２５６および第２リードフレームアセンブリ２３０の接地設置端部２７２は、それぞれの分割壁２１２ａ-ｃの第２表面２１３には隣接して配置することができ、かつ、それぞれの分割壁２１２ａ-ｃの第２表面２１３から一定間隔で配置することができる。したがって分割壁２１２は、例えば、隣接するリニアアレイ２５１に配置された電気接点２５０間の接触を防ぐことによって、電気接点２５０を保護するように作動することができる。
【０１１６】
[０１８１]分割壁２１２、そしてしたがって、ハウジング本体２０８は、さらに、少なくとも部分的に取囲み、かつそれによって、結合インタフェース２０２での電気接点２５０を保護するように構成することができる。例えば、ハウジング本体２０８は、さらに、横方向Ａに沿って延びる複数のリブ２１４のような、少なくとも１つのリブ２１４を画定することができ、かつ、それらのそれぞれの結合端部で電気接点２５０の直接隣接するものの間に配置されるように構成される。例えば、リブ２１４の１つは、接地結合端部２７２のそれぞれのものと、さらに、特別のリニアアレイ２５１内の電気接点２５０の結合端部２５６のそれぞれのものとの間に配置することができ、または、特別のリニアアレイ２５１内の電気接点２５０の結合端部２５６のそれぞれのものの結合端部との間に、例えば、信号接点２５２の１対２６６の結合端部の間に、配置することができる。したがって、各リニアアレイ２５１に沿うコネクタハウジング２０６は、リニアアレイの電気接点２５０のすべてまでの少なくとも２つの結合端部の直接隣接するものの間の分割壁２１２から外に延びるそれぞれのリブ２１４を有することができる。
【０１１７】
[０１８２] 例証された実施例によれば、各分割壁２１２のような少なくとも１つの分割壁２１２は、分割壁２１２の第１表面１１１、または第２表面２１３であって、それは分割壁２１２の両方の表面２１１および２１３を有することができるものの少なくとも１つから延びる複数のリブ２１４を画定することができる。例えば、第３分割壁２１２ｃを画定する第１側壁２０８ｅは、さらに、第１分割壁２１２ａの第２表面２１３に面する第１表面２１１を画定することができる。第４分割壁２１２ｄを画定する第２側壁２０８ｆは、さらに、第２分割壁２１２ｂの第１表面２１１に面する第２表面２１３を画定することができる。
【０１１８】
[０１８３]第１、第２、第３分割壁２１２ａ-ｃは、横方向Ａに沿う分割壁の第１側２１１から外に突出するリブ２１４ａのそれぞれの第１の複数を画定することができる。第１、第２および第４分割壁２１２ａ、２１２ｂ、および２１２ｄは、分割壁の第２側２１３から延びるリブ２１４ｂのそれぞれの第２の複数を画定することができる。横断方向Ｔに沿ってそれぞれの分割壁の共通の側から突出するリブ２１４の直接隣接するものは、電気接点２５０の選択した１つの対向する側において一定間隔で配置されるように、分割壁２１２から延びることができ、かつ、対向する端縁の間の電気接点２５０の選択した１つのそれぞれの側面部の長さよりも大きい横断方向Ｔに沿う距離、一定間隔で配置することができる。側面部が、対向する端縁の１つから結合端部１５６の長さの全体に沿って対向する端縁の他方に、連続的に延びることができることは認識されるべきであり、それは、結合端部２５６のそれぞれが、対向する端縁の間で分岐されないようなものである。１つの実施例によれば、各電気信号接点１５２は、ただ１つの結合端部１５６と、ただ１つの設置端部１５８を画定する。少なくとも１つ、またはそれ以上のリブ２１４は、隣接して配置することができ、かつ、直接隣接する電気接点２５０の端縁から一定間隔で配置することができ、直接隣接する電気接点２５０の端縁は、相互に対面する。
【０１１９】
[０１８４] 認識されるべきであることは、それぞれの第１および第２分割壁２１２ａ-ｂのそれぞれの第１および第２表面２１１および２１３は、それぞれ与えられた対２６１の第１および第２リードフレームアセンブリ２３０ａおよび２３０ｂの横断方向Ｔに沿って電気接点２５０の側面部に沿って延びる基礎２４１、および、それぞれ、与えられた対２６１の第１および第２リードフレームアセンブリ２３０ａおよび２３０ｂの電気接点２５０の端縁の間の位置での基礎２４１の対向する端縁から横方向Ａに沿って外に突出するリブ２１４をそれぞれ画定することができることである。さらに認識されるべきであることは、第３および第４分割壁２１２ｃおよび２１２ｄのそれぞれの第１および第２表面２１１および２１３は、それぞれ、それぞれの第１および第２リードフレームアセンブリ２３０ａおよび２３０ｂの横断方向Ｔに沿った電気接点２５０の側面部に沿って延びる基礎２４１、および、それぞれ第１および第２リードフレームアセンブリ２３０ａおよび２３０ｂの電気接点２５０の端縁の間の位置での基礎２４１の対向する端縁からの横方向Ａに沿って外に延びるリブ２１４を画定することができることである。基礎２４１の対向する端縁は、横断方向Ｔに沿って相互から一定間隔で配置することができる。
【０１２０】
[０１８５] 分割壁２１２の基礎２４１は、相互と一体で単一体であることができる。基礎２４１およびリブ２１４を有して分割壁２１２は、両方の端縁および側面部の１つのような電気接点２５０の４つの側からの３つに沿って延びることができ、さらには、それに沿って細長くあることができることは認識されるべきである。リブ２１４は、結合端部でそれぞれの端縁の全体に沿って延びることができるか、または、結合端部でそれぞれの端縁の全体に沿って延びる前に終端することができる。したがって、分割壁２１２は、少なくとも部分的に電気接点２５０の３辺を取囲み、３辺の１つは、この３辺の他のものの２つに関してほぼ垂直であるということができる。さらに、基礎２４１およびそれぞれのリブ２１４を有して分割壁２１２は、電気接点２５０の少なくとも一部分、例えばそれらの結合端部で受けるそれぞれのポケットを画定することができるということができる。以下の記述から認識されることは、電気接点２５０は、第２電気コネクタ２００の電気接点と結合するとともに、電気接点２５０は、電気信号接点２５２の結合端部２５６および接地結合端部２７２が、横方向Ａに沿って分割壁２１４のそれぞれの基礎２４１に向かって移動するように偏位されるが、１つの実施例においてはそれには向かわないように、柔軟である。したがって、結合したときには、結合端部２５６および２７２は、結合しないときとは反対にそれぞれの基礎２４１に接近して配置される。信号接点２５２の結合端部２５６の先端２６４、および、接地結合端部２７２の先端２８０は、それぞれの分割壁２１２のそれぞれの外部表面、例えばそれぞれの基礎２４１に関して、凹面であることができることは認識されるべきである。
【０１２１】
[０１８６] 例えば、電気信号接点２５２は、それぞれの基礎２４１および、上述されたように、例えば結合端部２５６で、そして特には先端２６４での、側壁１０８ｅおよび１０８ｆの１つに関して凹面であるそれぞれの第１の、または内部表面２５３ａを画定することができる。電気信号接点２５２は、さらに、凸面であることができ、かつ横方向Ａに沿った内部表面２５３ａと対向することができるそれぞれの第２の、または、外部表面２５３ｂを画定することができる。同様に、接地結合端部２７２は、上述されたように、それぞれの基礎２４１、および、例えば先端２８０での側壁１０８ｅおよび１０８ｆの１つに関して凹面であるそれぞれ第１の、または内部表面２８１ａを画定することができる。接地結合端部２７２は、さらに、凹面であり、横方向Ａに沿った内部表面２５３ａと対向することができるそれぞれの第２の、または、外部表面２８１ｂを画定することができる。内部表面２５３ａおよび１８１ａは、第１側面部表面を画定することができ、かつ、外部表面２５３ｂおよび２８１ｂは、第２側面部表面を画定することができる。さらに、それぞれ、第１および第２リニアアレイ２５１に沿って配置され、かつ、共通の分割壁２１２の対向面２１１および２１３に配置された、第１および第２リードフレームアセンブリ２３０の信号接点２５２の内部表面２５３ａは、たとえそれらがそれぞれのリニアアレイに沿って相互に関して偏位されるとしても、相互に関して凹面であることができる。したがって、第１リニアアレイ２５１の信号接点２５２の内部表面２５３ａは、第２リニアアレイ２５１の信号接点２５２の内部表面２５３ａに面することができる。さらに、なお、それぞれ、第１および第２リニアアレイ２５１に沿って配置され、さらに、共通の分割壁の対向面２１１および２１３に配置される第１および第２リードフレームアセンブリ２３０の接地結合端部２７２の内側表面２８１ａは、相互に関して凹面になることができる。したがって、第１リニアアレイ２５１の接地結語端部２７２の内部表面２８１ａは、第２リニアアレイ２５１の接地結合端部２７２の内部表面２８１ａに面することができる。
【０１２２】
[０１８７]例証された実施例によれば、共通分割壁の第１表面２１１に隣接する第１リニアアレイの信号接点２５２の結合端部２５６は、第１のリニアアレイに直接隣接し、かつ共通の分割壁の第２表面２１３に隣接する第２リニアアレイの信号接点２５２のミラー像であることができ、それは、共通分割壁が、第１および第２リニアアレイ間に配置されるようなものである。用語「直接隣接する」は、電気接点のリニアアレイが、第１および第２リニアアレイの間に配置されないことを意味することができる。さらに、第１リニアアレイの接地結合端部２７２は、第２リニアアレイの接地結合端部２７２のミラー像であることができる。たとえそれらがそれぞれのリニアアレイに、または横断方向Ｔに沿って相互に関して偏位されるとしても、結合端部は、ミラー像であることができることは認識されるべきである。例えば、第１および第２リニアアレイに沿って電気接点２５０のすべての第３結合端部での、信号接点２５２の結合端部２５６の選択されたものは、相互にミラー像であり、かつ、横方向Ａに沿って相互に整列することができることは、認識されるべきことである。
【０１２３】
[０１８８] 信号接点２５２は、横方向Ａに沿って相互から一定間隔で配置される第１、第２、および第３リニアアレイ２５１を有して、上述されたような複数のリニアアレイ２５１に配置することができることは認識されるべきである。第２リニアアレイは、第１リニアアレイ間に配置することができる。第１および第２リニアアレイ２５１は、第１および第２リードフレームアセンブリ２３０ａ-ｂによってそれぞれ画定することができ、そしてしたがって、第１リニアアレイ２５１の凹面の内部表面２５３ａは、第２リニアアレイ２５１の凹面の内部表面２５３ａに対面することができる。さらに、第２リニアアレイ２５１の選択した差動信号対２６６は、被害者差動信号対に隣接して配置することができる加害者差動信号対２６６に隣接して位置することができる被害者差動信号対を画定することができる。例えば、加害者差動信号対２６６の１つは、第２リニアアレイに沿って配置され、かつ、横断方向Ｔに沿って被害者差動信号対から間隔を置くことができる。さらに、加害者差動信号対２６６は、第１および第３のリニアアレイ２５１を配置することができ、そしてしたがって、横方向Ａおよび横断方向Ｔの一方または両方に沿って被害者差動信号対２６６から間隔を置くことができる。加害者差動信号対を有してリニアアレイのすべての差動信号接点は、被害者差動信号対における最悪の場合の非同期マルチアクティブなクロストークを６パーセント以上生成しない間に、データ転送速度でそれぞれの結合端部と設置端部との間の差動信号を転送するように構成される。データ転送速度は、毎秒６と４分の１ギガビット(６.２５Gb/s)と、毎秒約５０ギガビット(５０Gb/s)（毎秒１８ギガビット(１８Gb/s)、毎秒２０ギガビット(２０Gb/s)、毎秒２５ギガビット(２５Gb/s)、毎秒３０ギガビット(３０Gb/s)、および毎秒約４０ギガビット(４０Gb/s)を含んで)との間にあり、かつこれらを有することができる。
【０１２４】
[０１８９] 電気接点２５０の端縁は、また、横断方向Ｔに沿ってリブ２１４から一定間隔で配置することができる。第１複数のリブ２１４ａの選択したものは、それぞれの接地結合端部２７２と、第１リードフレームアセンブリ２３０ａの１つの隣接する結合端部２５６との間に、そしてさらに、１つの第１リードフレームアセンブリ２３０ａの信号接点２５２の各対２６６の結合端部２５６間に、このように配置することができる。リブ２１４ｂの第２複数の選択したものは、したがって、それぞれの接地結合端部２７２と、第２リードフレームアセンブリ２３０ｂの１つの隣接する結合端部２５６との間に、そしてしたがって、１つの第２リードフレームアセンブリ２３０ｂの信号接点２５２の各対２６６の１つの信号接点２５６間に、配置することができる。
【０１２５】
リブ２１４は、例えば、結合端部２５６と、それぞれのリニアアレイ２５１内の電気接点２５０の接地結合端部２７２との接触を防止することによって、電気結合端部２５６および接地結合端部２７２を保護するように作動することができる。
【０１２６】
一実施例において認識されるべきであることは、リブ２１４および基礎２４１を有して分割壁２１２は、少なくとも１つ、またはそれ以上すべてまでの信号接点２５２に沿って、それぞれの結合端部２５６からそれぞれの設置端部２５８への距離の半分未満の距離、延びることである。
【０１２７】
[０１９０] 複数のリードフレームアセンブリ２３０が、例証された実施例にしたがって、コネクタハウジング２０６に配置されるときは、信号接点２５２の先端２８０、および、それぞれの複数の電気接点２５０の結合端部２７２の先端２６４は、先端２６４および２８０が、長手方向Ｌに関してハウジング本体２０８の前方端部２０８ａから後方に窪んでいるように、コネクタハウジング２０６内に配置することができる。この点に関して、コネクタハウジング２０６は、信号接点２５２のレセプタクル結合端部２５６の先端２６４を越えて、かつ結合方向に沿って接地プレート２６８のレセプタクル接地結合端部２７２の先端２８０を越えて、延びることができるということがいえる。したがって、前方端部２０８ａは、例えば先端２６４および２８０と、ハウジング本体２０８の前方端部２０８ａに隣接して配置した物（object）との間の接触を防止することによって、電気接点２５０を保護することができる。
【０１２８】
[０１９１] また図６を参照して、第１および第２電気コネクタ１００および２００が、相互に結合するときは、側壁１０８ｅおよび２０８ｅは、相互に、例えば、当接表面２０８ｇおよび側壁２０８ｆの前方端部２０８ａで当接することができる。側壁１０８ｆおよび２０８ｆは、相互に、例えば、当接表面２０８ｇおよび側壁２０８ｆの前方端部２０８ａで当接することができる。側壁２０８ｅおよび２０８ｅは、したがって、長手方向Ｌに沿って、相互とほぼ共同の範囲で、かつ相互に整列することができる。同様に、側壁２０８ｆおよび２０８ｆは、長手方向Ｌに沿って相互とほぼ共同範囲で、かつ相互に整列することができる。したがって、相互に接するそれぞれの第１コネクタハウジング１０６、および第２コネクタハウジング２０６の壁のそれぞれの外表面は、第１および第２電気コネクタ１００および２００が結合するときに、さらに、相互に同一平面にあることができる。
【０１２９】
[０１９２] さらに、第１および第２電気コネクタ１００および２００が結合するときは、それぞれのリードフレームアセンブリ２３０の結合端部は、隣接する分割壁１２１の間のギャップ内に挿入される。さらに、リードフレームアセンブリ１３０の結合端部は、ギャップ２６３のそれぞれの内に挿入される。したがって、電気接点１５０および２５０の、それぞれの第１および第２複数のそれぞれの結合端部は、相互に電気通信する第１および第２電気接点１５０および２５０を配置するように相互に接触するようにされる。例えば、電気信号接点１５２および２５２は、相互に電気通信するようにされ、接地接点１５２および２５４は、相互に電気通信するようにされ、さらに、ウィドー接点１５２ａおよび２５２ａは、相互に電気通信するようにされる。電気接点１５０の結合端部のそれぞれは、それぞれの分割壁２１２に向かって電気接点２５０を偏位することができ、かつ、電気接点２５０の結合端部のそれぞれは、それぞれの分割壁に向かって電気接点１５０を偏位することができる。例えば、信号接点１５２および２５２の外部表面２５３ｂおよび１５３ｂは、それぞれ、基礎のようなそれぞれの分割壁に向かって、信号接点１５２および２５２を偏位するように、および、それぞれのポケット内に相互に沿って乗ることができる。同様に、接地結合端部１７２および２７２の外部表面１８１ｂおよび２８１ｂは、それぞれ、基礎のようなそれぞれの分割壁に向かって、およびそれぞれのポケットの中に信号接点１５２および２５２を偏位するように相互に沿って乗ることができる。
【０１３０】
[０１９３] さらに、電気接点１５０および２５０の結合端部は、第１および第２コネクタハウジング１０６および２０６によってほぼ取囲まれるように、少なくとも部分的にあることができる。例えば、電気コネクタ１００および２００が結合するときに、電気接点１５０のそれぞれは、第２コネクタハウジングの分割壁２１２の１つに隣接して配置され、このハウジングは、分割壁１１２のそれぞれの基礎１４１に隣接する側面部に対向する電気接点１５０の側面部のような電気接点１５０の第４表面に沿って延びる。さらに、電気コネクタ１００および２００が結合するときに、電気接点２５０のそれぞれは、第１コネクタハウジング１００の分割壁１１２の１つに隣接して配置され、このハウジングは、分割壁１１２のそれぞれの基礎２４１に隣接する側面部に対向する電気接点２５０の側面部のような電気接点２５０の第４表面に沿って延びる。したがって、コネクタハウジング１０６および２０６は、電気接点１５０および２５０のそれぞれの結合端部をほぼ取囲むように組合わされる。
【０１３１】
[０１９４] 認識されることは、電気接点１５０の結合端部であって、接地結合端部１７２および電気信号接点１５２の結合端部１５６を有するものは、ジェンダー中性として構築することができ、それは、結合端部１５６および接地結合端部１７２は、それ自身のミラー像と結合することができるようであることである。したがって、第１電気コネクタ１００の電気接点１５０の結合端部は、ミラー像であり、かつ、第２電気コネクタの電気接点２５０と結合する。第１電気コネクタ１００は、第２電気コネクタ２００に関してここに記述されたタイプの直角のコネクタとして構成することができるので、ある方法が、そのそれぞれの電気接点１５０および２５０がジェンダー中性である第１電気コネクタ１００および第２電気コネクタ２００のような２つの直角のコネクタを作り上げるために設けることができることは認識されるべきである。この方法は、ここに記述されるような第１リードフレームアセンブリ１３０ａのような複数の第１リードフレームアセンブリ、およびここに記述されるような第２リードフレームアセンブリ１３０ｂのような複数の第２リードフレームアセンブリを製造するステップを有することができる。したがって、第１および第２リードフレームアセンブリ１３０ａおよび１３０ｂは、それぞれの第１および第２リニアアレイ１５１に沿って相互に整列する結合端部１５６および接地結合端部１７２を画定する。各リニアアレイは、第１端部および第２端部を画定する。第１リニアアレイの第１端部は、第２リニアアレイの第１端部とほぼ整列し、かつ、第１リニアアレイの第２端部は、第２リニアアレイの第２端部とほぼ整列する。第１端部から第２端部への共通の方向に沿って、第１リードフレームアセンブリ１３０ａは、G-S-Sの繰返すパターンのような第１接点パターンを画定することができ、かつ、第２リードフレームアセンブリ１３０ｂは、第１接点パターンと異なる S-G-Sのような第２接点パターンを画定することができる。さらに、第１リードフレームアセンブリ１３０ａの結合端部は、第２リードフレームアセンブリ１３０ｂの結合端部に関して凹面であることができる。さらに、結合端部１５６および接地結合端部１７２は、ジェンダー中性の結合端部であることができる。２つの直角の電気コネクタを作り上げる方法は、第１電気コネクタのコネクタハウジング内における第１および第の２リードフレームアセンブリ１３０ａおよび１３０ｂのそれぞれの第１複数を支持すること、および、第２電気コネクタのコネクタハウジング内における第１および第２リードフレームアセンブリ１３０ａおよび１３０ｂのそれぞれの第２複数を支持することを有することができる。
【０１３２】
[０１９５] 第１および第２電気直角コネクタが、それらの設置インタフェースが相互に共通平面であるように相互に結合することができることは、認識されるべきである。代りに、第１および第２電気直角コネクタの１つは、それらの設置インタフェースが、反共通平面構成として知られている横断方向Ｔに沿って相互から一定間隔で配置される第１および第２電気直角コネクタの他方に関して逆の方向付けで結合することができる。
【０１３３】
[０１９６] 理論によって拘束されることなく、電気接点１５０および２５０のそれぞれの第１および第２複数をほぼカプセルに入れることは、電気コネクタアセンブリ１０、およびしたがって、第１および第２電気コネクタ１００および２００の電気パフォーマンス特性を増強すると確信される。
【０１３４】
さらに、理論によって拘束されることなく、電気接点１５０および２５０の結合端部の形状は、電気コネクタアセンブリ１０、およびしたがって第１および第２電気コネクタ１００および２００の電気パフォーマンス特性を、増強すると確信される。例えば、電気シミュレーションは、第１、第２、および第２電気コネクタ１００、２００、および４００のここに記述された実施例が、それぞれに、例えば、各電気接点のそれぞれの結合および設置端部間に、すべての範囲以下およびすべての整数を含み、約６パーセント(６%)未満のような許容可能なクロストークレベル内に１%、２%、３%、４%、５%、および６%を含み、例えば１%-２%、２%-３%、３%-４%、４%-５%、および５%-６%を含んで、最悪の場合の、マルチアクティブなクロストークをもって、任意の毎秒０.２５ギガビット(Gb/s)増分をその間に含んで、毎秒約８ギガビット(８Gb/s)、および毎秒約５０ギガビット(５０のGb/s) 間の範囲において、さらに、これを含んで、(毎秒約２５ギガビット(２５Gb/s)、毎秒約３０ギガビット(３０Gb/s)、および毎秒約４０ギガビット(４０Gb/s)を含んで)、毎秒最小約３０ギガビット(３０Gb/s)のような、約０.１%-６%の範囲を超過しないデータを転送するように作動することができることを実証した。さらに、第１、第２、および第２電気コネクタ１００、２００、および４００のここに記述された実施例は、それぞれに、約１５GHzのような、１と２５GHzとの間の任意の０.２５GHz増分を含む間の範囲において、かつそれらを含んで、作動することができる。  
[０１９７] ここに記述されるような電気コネクタは、エッジ接続（edge-coupled）差動信号対を有することができ、さらに、結合端部と、電気接点１５０の設置端部との間のデータ信号を少なくとも毎秒約２８、２９、３０、３１、３２、３３、３４、３５、３６、３７、３８、３９、または４０ギガビット(または毎秒増加当たり任意の０.１ギガビット、) (約３０〜２５ピコ秒上昇期間)で、非同期の、高々６パーセントの被害者対におけるマルチアクティブの最悪の場合のクロストークをもって、同時に差動インピーダンスをシステムインピーダンス(代表的には８５または１００オーム)のプラスまたはマイナス１０パーセントに保持している間、さらには、同時に挿入損失を(シミュレートされた)３３GHzを通して０〜-４dBの範囲以内に、(シミュレートされた)３０GHzを通して０〜-２dBの範囲内に、２０GHzによって約０〜-１dBを通して約２０GHzの範囲以内に、そして、４０GHzを通して０〜-５dBの範囲内に、維持する間に、転送することができる。１０Gbit/秒のデータ転送速度で、シミュレーションは、統合クロストークノイズ(ICN)を生成し、それは、すべて３.５を超過しないNEXT値、および１.３より下のICN(すべてのFEXT)値であることができる。２０Gbit/秒のデータ転送速度では、シミュレーションは、５.０より下のICN(すべてのNEXT)値および２.５より下のICN(すべてのFEXT)値を生成する。３０Gbit/秒のデータ転送速度では、シミュレーションは、４.１以下に５.３より下のICN(すべてのNEXT)値およびICN(すべてのFEXT)を生成する。４０Gbit/秒のデータ転送速度では、シミュレーションは、６.１以下に８.０より下のICN(すべてのNEXT)値およびICN(すべてのFEXT)を生成する。２Gbit/sが、約１GHzであることが認識される。
【０１３５】
[０１９８] 端接続された差動信号対を備えた電気コネクタが、シールド、金属プレート、または隣接する縦列(横断方向Ｔに沿った)、または差動信号対の列(横方向Ａに沿った)の間、および縦列方向内の隣接する差動の信号対または列方向の間に位置した共振減少部材(損失タイプのシールド)のようなクロストークリミッタを有することができることは、ここの記述から認識されるべきである。レセプタクル対レセプタクル電気コネクタ結合インタフェースと結合してクロストークリミッタは、電気コネクタのデータ転送を毎秒４０ギガビットに増加させるために、電気モデルシミュレーションにおいて、６パーセントを超える、増加する非同期の、マルチアクティブな、最悪の場合のクロストークなしに、システムインピーダンスのプラスまたはマイナス１０パーセントに対する差動インピーダンスをもって、１５GHzで約−０.５dB、および２１GHzで約−１dB  (約４２Gbit/秒のデータ転送速度)の挿入損失をもって、さらに、約７０〜８３、または８４〜１００のカード端縁の線形インチ当たりの差動信号対、または平方インチ当たり約９８〜９９の差動信号対をもって示され、それは、縦列方向における１インチが、低速信号接点およびはさまれた接地を備えた７つの差動対を収容するようなものである。この差動対密度を達成するために、列方向に沿ったセンタ対センタ列ピッチは、１.５ｍｍから３.０ｍｍを含んで、１.５ｍｍから３.６ｍｍの範囲にあることができ、１.８ｍｍを含んで、１.５ｍｍから２.５ｍｍを有することができ、かつ、縦列方向に沿ったセンタ対センタ列ピッチは、１.２ｍｍから２.０ｍｍの範囲にあることができ、さらに可変であることができる。もちろん、その接点は、そうでなければ、望まれるような任意の希望の差動対密度も達成するように配置される。
【０１３６】
[０１９９] 今度は、図７Ａ-Ｂを参照して、上述されたように、電気接点１５０および２５０の設置端部は、プレス嵌め尾部、表面実装尾部、ハンダボールのような可溶要素、またはそれらの組合せとして構成することができる。したがって、図７Ａ-Ｂが、第２電気コネクタ２００の設置端部を例証している一方で、第１電気コネクタ１００の設置端部は、また、図７Ａ-Ｂに関して例証され、かつ記述されるように構築することができることは、認識されるべきである。例えば、接地設置端部２７４は、それぞれの第２基板３０ｂのそれぞれのバイア（via）内にプレス嵌めされるように構成された針の目プレス嵌め尾部として構成することができる。電気信号接点２５２の設置端部２５８は、それぞれのリードフレームハウジング２３２から、外に突出するリード２７１として構成することができる。例えば、直角のコネクタにしたがって、リード２７１は、それぞれのリードフレームハウジング２３２の底部表面から下方に延びることができる。垂直のコネクタにしたがって、リード２７１は、それぞれのリードフレームハウジング２３２の後部表面から後方に延びることができる。
【０１３７】
リード２７１は、第２基板と電気通信する信号接点２５２を置くように第２基板３００ｂのような補完的電気部品の表面、例えば電気伝導性の接点パッドに対して圧縮されるか、またはそうでなければ、接触するように構成される。
【０１３８】
[０２００]リード２７１のそれぞれは、リードフレームハウジンング２３２から遠位端に外に延びる軸２７１ａ、および軸２７１ａから、角度をなして偏位される方向に沿って軸２７１ａの遠位端から延び、さらに、それぞれのリニアアレイ２５１および長手方向Ｌを有する平面に関して角度をなして偏位するフック２７１ｂを有することができる。したがって、リード２７１は、ほぼ「Ｊ−形」であることができ、かつ、Ｊ−形リードとして参照することができる。例えば、リード２７１の直接隣接するもののフック２７１ｂは、異なる、例えば、対向する方向に方向付けすることができる。例証された実施例によれば、リード２７１の第１のもの２７３ａは、第１方向に方向付し、さらに、リード２７１の第２もの２７３ｂは、第２方向に方向付けすることができ、例えば、対向する第１方向から角度をなして偏位される第２方向に方向付けされる。リード２７１の第１および第２に直接隣接する２７３ａ-ｂは、第１および第２のものは、差動信号対２６６を画定する信号接点２５２によって画定することができる。したがって、差動信号対を画定する第１および第２信号接点は、相互に関して角度をなして偏位されるリード２７１を有することができ、かつ、例えば、相互に関して、および横断方向および長手方向ＴおよびＬによって画定される平面に関して、対向方向に方向付けされることができ、そして、平面は、さらに、接地設置端部２７４を通過する。例えば、各対２６６のリード２７１の第１および第２のもの２７３ａ-ｂの一方のフック２７１ｂは、軸２７１ａの遠方端から接地プレート２６８に向って延びることができ、さらに、第１および第２もの２７３ａ-ｂの１つの他方のもののフック２７１ｂは、各対２６６のリード２７１ｂは、接地プレート２６８から離れて軸２７１ａの遠位端から延びることができる。与えられた対２６１のリードフレームアセンブリ２３０ａの第１のもののリード２７１のそれぞれは、与えられた対のリードフレームアセンブリ２３０ｂの第２のもののリード２７１のそれぞれに関して、例えば、長手方向Ｌに沿って偏位することができる。リード２７１は、２０１２年５月３１日に出願されて、米国特許出願１３/４８４,７７４において記述されるように構築することができ、あたかもその全体においてここに述べられるかのように、その参照によってこれによって組込まれる。
【０１３９】
[０２０１]上述されたように、第１および第２電気コネクタ１００および２００のいずれか、または両方は、リードフレームアセンブリ２３０の任意の数をどちらかまたは有することができ、およびしたがって、リードフレームアセンブリ２３０の任意の数の対２６１および対２６１の任意の数のそれらの間に対応するギャップ２６３を有することができる。例えば、図８Ａにおいて例証されるように、第１電気コネクタ１００は、リードフレームアセンブリの第１および第２内部の対１６１ｂを有することができ、さらに、精密な整列部材１２０ｂは、上述された方法において第２内部の対１６１ｂの第１および第２リードフレームアセンブリ１３０ａおよび１３０ｂの間に配置される分割壁１１２と対向する側部において整列される、第１および第２精密な整列ビーム１２８ａおよび１２８ｂを有することができる。第１電気コネクタ１００は、２対の内部の整列ビーム１２８ａおよび１２８ｂのそれぞれを受けるように構成される２対の内部の精密な整列レセプタクルを有する補完的第２電気コネクタと結合するように構成される。さらに、図８Ａにおいて例証されるように、側壁１０８ｅおよび１０８ｆは、ハウジング本体１０８の前方端部１０８ａに延びることができる。したがって、コネクタハウジング１０６は、側壁１０８ｅおよび１０８ｆのそれぞれと、それらの直接隣接する総体の整列部材１２０ａの間にギャップを画定することができる。
【０１４０】
[０２０２] さらに、図８Ｂにおいて例証されるように、第２電気コネクタ２００は、対２６１ａと２６１ｂとの間で、少なくとも複数のリードフレームアセンブリ２３０であって、対２６１に配置することができるようなものを有することができる。例えば、第２電気コネクタは、リードフレームアセンブリ２３０ａ-ｂの第１および第２内部の対２６１ａと２６１ｂとの間に配置された、リードフレームアセンブリ２３０ａ-ｂの第３の対２６１ｃを有することができる。したがって、電気コネクタ２００は、リードフレームアセンブリの内部の対２６１のそれぞれのものの間に配置された第２内部のギャップ２６３を画定することができる。同様に、電気コネクタは、第１および第２整列凹所２２８ｃ-ｄに関して上述したように構成されるが、第３と第４整列凹所２２８ｃと２２８ｄとの間に配置する第２内部のギャップ２６３と整列する、精密な整列凹所の第２対を画定する第３および第４整列凹所２２８ｃおよび２２８ｄを有することができる。第２内部のギャップは、第１および第２の整列凹所２２８ａ-ｂとの間で配置され、リードフレームアセンブリ２３０ａ-ｂの１対２６１ような少なくとも１つのリードフレームアセンブリ２３０による第１内部のギャップ２６３によって分離される第１内部のギャップ２６３に隣接して配置することができる。さらに、第１および第２電気コネクタ１００および２００のいずれか一方または両方のいずれかのハウジング本体が、望まれるような任意の形状および寸法において構成することができることは、認識されるべきである。例えば、ハウジング本体２０８の頂部壁２０８ｃは、ハウジング本体２０８の後方端部２０８ｂを画定するように、前方端部２０８ａからリードフレームアセンブリ２３０の後部のほとんどに拡張することができる。したがって、頂部壁２０８ｃは、リードフレームアセンブリ２３０のほぼ全体をカバーすることができる。
【０１４１】
[０２０３] 上述されたように、第１および第２電気コネクタ１００および２００のコネクタハウジングは、任意の適切な実施例にしたがって構築することができる。例えば、今度は図９Ａ-Ｂを参照して、もし他の方法で示されなかったならば、第１および第２電気コネクタ１００および２００は、図１-２Ｃ、または任意の代りの実施例に関して、上述したように構成することができる。例えば、ハウジング本体１０８は、長手方向の結合方向に沿って電気接点２５０の結合端部から前方に配置される少なくとも１つのカバー壁１１６を有することができ、さらに、横方向Ａにおける分割壁の幅より大きい、横方向Ａにおける寸法を画定することができる。したがって、カバー壁１１６のそれぞれは、結合端部のすべてまでの少なくとも一部、例えば、対応する分割壁１１２に隣接して配置、例えば、上述されたように、分割壁１１２によって画定されたそれぞれのポケットに配置されたリードフレームアセンブリ１３０またはアセンブリ１３０ａ-ｂの先端を、長手方向Ｌに沿ってオーバーラップするように構成することができる。したがって、長手方向に沿って延びるラインは、分割壁１１２、および、結合端部１５６または接地結合端部１７２のそれぞれのものの両方を貫通することができる。
【０１４２】
[０２０４]複数のカバー壁１１６のそれぞれは、第１および第２表面１１１および１１３のそれぞれからのように、横方向Ａに沿ってそれぞれの分割壁１１２の第１および第２表面１１１および１１３の少なくとも一方から延びることができる。したがって、第１および第２表面１１１および１１３のそれぞれは、横方向Ａに沿ってそれぞれのカバー壁１１６の対向しる最も外側の端部の間に配置することができる。各カバー壁１１６は、したがって、それぞれの分割壁１１２からの第１側壁１０８ｅに向かって横方向Ａに沿って、結合先端１５６の先端１６４の少なくとも１つの部分および分割壁１１２の第１表面１１１に隣接して配置された電気接点１５０の特別なリニアアレイ２５１内における接地結合端部１７２の先端１８０を、カバー壁１１６が、長手方向Ｌに沿って、オーバーラップするような充分な距離、延びることができる。さらに、各カバー壁１１６は、第２側壁１０８ｆに向かって横方向Ａに沿って、カバー壁１１６が、長手方向Ｌに沿って、結合端部１５６の先端１６４の少なくとも一部分、および分割壁１１２の第２表面１１３に隣接して配置される接地結合端部１７２の先端１８０をオーバーラップするような距離、延びることができる。
【０１４３】
例証された実施例によれば、各カバー壁１１６は、ハウジング本体１０８の第１および第２側壁１０８ｅおよび１０８ｆの両方に向かってそれぞれの分割壁１１２から延び、それは、分割壁１１２およびとカバー壁１１６が、ほぼ「Ｔ」形の構造を画定するようなものである。
【０１４４】
[０２０５] さらに、例証された実施例によれば、カバー壁１１６のそれぞれは、それぞれの分割壁１１２にほぼ垂直に延びることができ、かつ、したがって長手方向Ｌおよび横方向Ａによって画定される平面におかれることができる。しかしながら、カバー壁１１６は、代りに、望まれるような任意の他の構造にしたがって構築することができることは認識されるべきである。複数のカバー壁１１６は、カバー壁１１６によってカバーされる電気接点１５０を保護するように作動することができる。ハウジング本体１０８は、さらに、カバー壁１１６を通って延びるスロット１１７を画定することができる。スロット１１７は、例証されるような表面１１３のような、表面１１１および１１３の一方または両方に隣接して配置される、１つまたはそれ以上すべてまでの接地結合端部１７２と整列することができる。スロット１１７は、また、スロットが整列される接地結合端部１７２の端縁の間に完全に収容することができる。
【０１４５】
[０２０６] さらに、総体の整列部材１２０ａは、横断方向Ｔに沿った第１および第２リードフレームアセンブリ１３０ａ-ｂの中央の対１６１ｂと整列することができ、さらに、上述されたようにほぼ構築することができる第１および第２整列ビーム１２８ａおよび１２８ｂを有することができる。したがって、その整列ビーム１２８ａおよび１２８ｂは、結合方向に沿ってハウジング本体１０８の当接壁１０８ｇおよび前方端部１０８ａの両方に関して前方に延びることができ、かつ、上述されたような面取りされた表面１２４および１２６を画定することができる。その整列ビーム１２８ａおよび１２８ｂは、さらに、結合方向に沿ってカバー壁１１６の両方に関して前方に延びることができる。
【０１４６】
整列ビーム１２８ａおよび１２８ｂは、整列ビーム１２８ａおよび１２８ｂのそれぞれと横断方向Ｔに沿って整列されたカバー壁１１６の１つとの間のギャップを画定するように、横断方向Ｔに沿って、整列ビーム１２８ａおよび１２８ｂと整列するカバー壁１１６から一定間隔で配置することができる。
【０１４７】
[０２０７] 精密な整列部材１２０ｂは、横断方向Ｔに沿って整列される第１および第４の整列ビーム１２２ａおよび１２２ｄによって画定される第１対、および、それぞれ、横断方向Ｔに沿って整列する第２および第３の整列ビーム１２２ｂおよび１２２ｃによって画定される第２対を有して、対に配置される整列ビーム１２２ａ-ｄとして構成することができる。整列ビーム１２２ａおよび１２２ｄの第１対は、リードフレームアセンブリ１３０の外部の対１６１ａの第１ものの対向する端部に配置することができ、かつ、外部の対１６１ａの第１ものと横断方向Ｔに沿って整列することができる。整列ビーム１２２ｂおよび１２２ｃの第２対は、の整列は１２２ｂを発する。また、１２２ｃは、リードフレームアセンブリ１３０の外部の対１６１ａの第２ものの対向する端部に配置することができ、かつ、外部の対１６１ａの第２ものと横断方向Ｔに沿って整列する。カバー壁１１６の第１ものは、整列ビームの第１対の整列ビーム１２２ａおよび１２２ｄ間、例えば、第１整列ビーム１２２ａから第４の整列ビームの１２２ｄまで、延びることできる。カバー壁１１６の第２ものは、第２整列から整列ビームの第１対の整列ビーム１２２ｂおよび１２２ｃの間、例えば、第２整列ビーム１２２ｂから第３の整列ビーム１２２ｃまで、延びることができる。第１電気コネクタ１００が、例えば、図９Ａ-Ｂにおいて例証されるように、カバー壁１１６を有することができるか、または、図１１において例証されるように、カバー壁１１６を欠如していることができることは、認識されるべきである。
【０１４８】
[０２０８] 今度は図１０を参照すると、もし代りの実施例にしたがって以下に他の方法で示されなかったならば、第２コネクタハウジング２０６を有する第２電気コネクタ２００は、図４Ａ-５Ｃに関して上述されたように構成することができる。例えば、第２電気コネクタ２００は、図９Ａ-Ｂに関して上述された第１電気コネクタと結合するように構築することができる。したがって、第２電気コネクタ２００の総体の整列部材２２０ａは、精密な整列部材２２０ｂの、それぞれの第１および第２の対の間に配置することができ、さらに、第１および第２電気コネクタが結合するときに、第１電気コネクタ１００の整列ビーム１２８ａおよび１２８ｂのそれぞれ第１および第２ものを受けるように寸法採りされる１対の第１および第２凹所２２２ａおよび２２２ｂの対として構成することができる。第１および第２凹所２２２ａおよび２２２ｂは、横断方向に沿って内部のギャップ２６３ｂと整列することができ、かつ、内部のギャップ２６３の対向する端部に配置することができ、それは、内部のギャップ２６３ｂが、横断方向Ｔに沿って、第１および第２凹所２２２ａおよび２２２ｂの間に延びるようなものである。
【０１４９】
[０２０９] 例証された実施例によれば、第１および第２凹所２２２ａおよび２２２ｂのそれぞれは、図４Ａ-５Ｃに関して第１および第３凹所２２２ａおよび２２２Ｃに関して記述されるように構築することができる。したがって、第１凹所２２２ａは、第１凹所２２２ａの内部の横断する境界を画定する床２２４に対する内部の横断方向Ｔに沿ってハウジング本体２０８の頂部壁２０８ｃ内に延びることができる。ハウジング本体２０８は、さらに、横方向Ａに沿って一定間隔で配置され、かつ、横断方向Ｔに沿って床２２４から外に延びる、第１および第２側面部表面２２５を画定することができる。例えば、側面部表面２２５は、少なくとも部分的に、第１凹所２２２ａを画定することができ、かつ、横断方向Ｔに沿ってそれぞれの床２２４から頂部壁２０８ｃまで延びることができる。第１凹所２２２ａは、したがって、それぞれの第１および第２側面部表面２２５間に延びることができる。第１および第２側面部表面２２５の一方またはそれ以上の両方および床２２４は、ハウジング本体２０８の前方端部２０８ａとのインタフェースで面取りすることができる。溝が結合方向に沿って延びるとともに、第１および第２側面部表面２２５のそれぞれの溝は、側面部表面２２５の他方から離れて横方向Ａに沿って外方に延びることができる。床２２４が、結合方向に沿って延びるとともに、床２２４の溝は、ハウジング本体２０８の頂部壁２０８ｃから離れて横断方向に沿って外方に延びることができる。
【０１５０】
ハウジング本体２０８は、さらに、結合方向に対向する方向に長手方向に沿ってハウジング本体２０８の前方端部２０８ａから後方へ窪んでいる後部壁２２６を画定する。後部壁２２６は、第１および第２側面部表面２２５、およびさらに、頂部壁２０８ｃおよび床２２４の間に延びることができる。第１凹所２２２ａは、前方端部２０８ａから後部壁２２６まで延びることができる。したがって、それぞれの床２２４、側面部表面２２５、および後部壁２２６のそれぞれは、第１凹所２２２ａを少なくとも部分的に画定することができ、かつ、累積的に画定することができる。さらに、第１凹所２２２ａは、前方端部２０８ａから床２２４を通して後方に延びることができ、かつ、第１電気コネクタ１００の第３の分割壁１１２ｃのように、分割壁１１２の１つを受けるように構成されるスロット２２７を画定することができる。第２凹所２２２ｂは、第２凹所２２２ｂの内部の横断境界を画定する床２２４への内部の横断方向Ｔに沿ったハウジング本体２０８の底部壁２０８ｄ内に延びることを除いて、第１凹所２２２ａに関して記述されるように構成することができる。
【０１５１】
[０２１０] ハウジング本体２０８は、さらに、第１電気コネクタ１００の整列ビーム１２８のそれぞれの外部の横断方向表面に当接するように構成することができる１つ、またはそれ以上の弾力のあるフレキシブルアーム２３１の形をして、精密な整列部材２２０ｂを画定することができる。したがって、１対の整列ビーム１２８の整列ビーム１２８は、横断方向Ｔに沿って、それぞれの１対のフレキシブルアーム２３１のフレキシブルアーム２３１間に配置することができる。図１０において例証された実施例によれば、ハウジング本体２０８は、第１、第２、第３、および第４のフレキシブルアーム２３１ａ、２３１ｂ、２３１ｃ、および２３１ｄを有することができる。フレキシブルアーム２３１は、横断方向Ｔに沿って、第１および第２電気コネクタ１００および２００の第２段階整列を実行するように、第１電気コネクタ１００のそれぞれの整列ビーム１２８と接触するように構成される。
【０１５２】
[０２１１] フレキシブルアーム２３１は、前方および後方端部１０８ａおよび１０８ｂの間に、またはそれを有して、ハウジング本体２０８のそれぞれの位置で、カンチレバー式であることができ、さらに、長手方向Ｌに沿って、それぞれの位置からハウジング本体２０８の前方端部２０８ａとほぼ整列し、かつ共通平面であることができる位置まで、前方に延びることができる。代りに、フレキシブルアーム２３１は、長手方向Ｌに沿ってそれぞれの位置から、長手方向Ｌに沿って前方端部２０８ａから前方または後方に配置することができる位置まで、前方に延びることができる。例えば、フレキシブルアーム２３１は、ハウジング本体２０８の当接表面からカンチレバー式であることができる。したがって、ハウジング本体は、横方向Ａにそって、相互から一定間隔で配置されるアーム２３１のそれぞれの対向する側部に配置される１対のスロット２２９を画定することができる。スロット２２９のいくつかは、例えば、第１側壁２０８ｅから、および、ハウジング本体２０８の第１内部壁の２０８ｈから、第１および第４のフレキシブルアーム２３１ａおよび２３１ｄを分離することができる。同様に、スロット２２９のいくつかは、例えば、第２側壁２０８ｆから、および、ハウジング本体２０８の第２内部壁２０８ｉから、第２および第３のフレキシブルアーム２３１ｂおよび２３１ｃを分離することができる。
【０１５３】
[０２１２] 例証された実施例によれば、第１および第４のフレキシブルアーム２３１ａおよび２３１ｄは、相互から離れて一定間隔で配置され、さらに、横断方向Ｔに沿って、相互とほぼ整列する。同様に、フレキシブルアーム２３１の第２対の第２および第３のフレキシブルアーム２３１ｂおよび２３１ｃは、相互から離れて一定間隔で配置し、横断方向Ｔに沿って、相互とほぼ整列することができる。凹所２２２ａおよび２２２ｂの対は、横方向ａに関してフレキシブルアーム２３１の第１および第２対の間に配置することができる。
【０１５４】
[０２１３] フレキシブルアーム２３１ａ-ｄは、横断方向Ｔに沿って、第１および第２電気コネクタ１００および２００の第２段階整列を実行するように整列ビーム１２２ａ-ｄのそれぞれのものと係合するように構成される。例えば、整列の第１段階が、第１および第２凹所２２２ａおよび２２２ｂと整列ビーム１２８ａおよび１２８ｂとの係合を生じた後、それぞれに、第１および第２電気コネクタ１００および２００の第１および第２コネクタハウジング１０６および２０６は、少なくとも部分的に、横方向Ａおよび長手方向Ｌに沿って相互に関して整列したように、かつ横断方向Ｔに沿って相互にほぼ整列することができる。
【０１５５】
[０２１４] 上述されたように、第１および第２電気コネクタ１００および２００のコネクタハウジングは、任意の適切な実施例にしたがって構成することができる。例えば、図１０において例証されるように、第２電気コネクタ２００は、図９Ａ-Ｂにおける第１電気コネクタ１００に関して記述されたタイプのカバー壁を欠如していることができる。代りに、図１２Ａ-Ｂを参照して、第２電気コネクタ２００は、１つまたはそれ以上のカバー壁２１６を有することができる。図１２Ａ-Ｂにおいて例証されるように、第２コネクタハウジング２０６を有する第２電気コネクタは、もし他の方法で示されなかったならば、図１０に関して上述されたように、または、ここに記述した任意の適切な代りの実施例としても構成することができる。例えば、ハウジング本体２０８は、長手の結合方向に沿って電気接点２５０の結合端部から前方に配置される少なくとも１つのカバー壁２１６を有することができ、さらに、横方向Ａにおける分割壁２１２の幅より大きい横方向Ａにおける寸法を画定することができる。したがって、カバー壁２１６のそれぞれは、長手方向Ｌに沿って、結合端部の少なくともいくらかのすべてまでの少なくとも１つ、またはそれ以上すべてまでの部分をオーバーラップするように構成することができ、例えば対応する分割壁２１２に隣接して配置されるリードフレームアセンブリ２３０、またはアセンブリ２３０ａ-ｂの例えば先端は、上述されたように、分割壁２１２によって画定されたそれぞれのポケット内に配置される。したがって、長手方向に沿って延びるラインは、分割壁２１２の両方のものをさらには、結合端部２５６、または接地結合端部２７２のそれぞれの１つを通り抜けることができる。
【０１５６】
[０２１５] 複数のカバー壁２１６のそれぞれは、第１および第２表面２１１および２１３のそれぞれからのように、横方向Ａに沿って、それぞれの分割壁２１２の第１および第２表面２１１および２１３の少なくとも１つから延びることができる。したがって、第１および第２表面２１１および２１３のそれぞれは、横方向Ａに沿ってそれぞれのカバー壁２１６の対向する最外側の端部の間に配置することができる。各カバー壁２１６は、したがって、それぞれの分割壁２１２から第１側壁２０８ｅに向かって横方向Ａに沿って、カバー壁２１６が、長手方向Ｌに沿って、結合端部２５６の先端２６４の少なくとも１つの部分、および、分割壁２１２の第１表面２１１に隣接して配置された電気接点２５０の特別のリニアアレイ２５１内の結合端部２７２の先端２８０をオーバーラップするように、充分な距離、延びることができる。さらに、各カバー壁２１６は、第２側壁２０８ｆに向かって、カバー壁２１６が、長手方向Ｌに沿って、結合端部２５６の先端２６４、および、分割壁２１２の第２表面２１３に隣接して配置される接地係合端部２７２の先端２８０の少なくとも一部分をオーバーラップする距離、横方向Ａに沿って延びることができる。例証された実施例によれば、各カバー壁２１６は、ハウジング本体２０８の第１および第２側２０８ｅおよび２０８ｆの両方に向かってそれぞれの分割壁２１２から延び、それは、分割壁２１２およびカバー壁２１６が、ほぼ「Ｔ」形状の構造を画定するようなものである。
【０１５７】
[０２１６] さらに、例証された実施例によれば、カバー壁２１６のそれぞれは、それぞれの分割壁２１２に対してほぼ垂直に、延びることができ、かつ、したがって長手方向Ｌおよび横方向Ａによって画定される平面にあることができる。しかしながら、カバー壁２１６は、代りに、望まれるような任意の他の構造にしたがって構成することができることは認識されるべきである。複数のカバー壁２１６は、このカバー壁２１６によってカバーされる電気接点２５０を保護するように作動することができる。ハウジング本体２０８は、さらに、カバー壁２１６を通って延びるスロット２１７を画定することができる。スロット２１７は、例証されるような表面２１３のような、表面２１１および２１３の一方または両方に隣接して配置される、１つまたはそれ以上のすべてまでの接地結合端部２７２と整列することができる。スロット２１７は、また、スロットが整列される接地結合端部２７２の端縁間に完全に収容することができる。
【０１５８】
[０２１７] また、図１３を参照して、図９および１１において例証される第１電気コネクタ１００の１つは、上述したように図１０および１２Ａにおいて例証される第２電気コネクタ２００の１つと結合することができる。例えば、整列ビーム１２８ａ-ｂは、整列の第１段階を完成するように、整列凹所２２２ａ-ｂ内に受けられる。第１および第２電気コネクタ１００および２００は、さらに、それぞれの結合方向Ｍに沿って結合するので、第２段階整列は、整列ビーム１２８のフレキシブルアーム２３１との接触によって開始される。例えば、整列ビーム１２８の案内面１２９が、フレキシブルアーム２３１と接触するので、第１および第２整列ビーム１２２ａおよび１２２ｂは、第１および第２フレキシブルアーム２３１ａおよび２３１ｂを外部の横断方向Ｔに沿って上方に偏倚するようにし、さらに、第３および第４の整列ビーム１２２ｂおよび１２２は、第３および第４のフレキシブルアーム２３１ｃおよび２３１ｄを外部の横断方向Ｔに沿って下方に偏倚するようにすることができる。フレキシブルアーム２３１は、したがって、ほぼ横断方向Ｔに沿って整列ビーム１２８に対して、結合方向に垂直の、垂直力を適用することができる。
【０１５９】
[０２１８]この垂直力は、第２電気コネクタ２００に関して横断方向Ｔに沿ってほぼ中央の整列に移動するように第１電気コネクタ１００を偏倚することができる。横断方向Ｔに沿った第１および第２電気コネクタ１００および２００の間の、例えば、第１および第２電気コネクタ１００および２００の結合公差に起因する不整列を除去することができる。この整列の第２段階は、第１複数の電気接点１５０の結合端部１５６および接地結合端部１７２、および、第２複数の電気接点２５０の結合端部２５６および接地結合端部２７２が横断方向Ｔに沿って相互に関してほぼ理想的な登録を達成することを可能にし、それは、結合した電気接点の結合端部でのそれぞれの端縁が、ほぼ共面であることができるようなものであり、それによって、それぞれの結合インタフェース１０２および２０２での第１および第２電気コネクタ１００および２００によって示されたインピーダンス降下を縮小し、さらに電気コネクタアセンブリ１０のパフォーマンス特性を改善する。
【０１６０】
[０２１９] 今度は図１４を参照して、認識されるべきことは、第１および第２電気コネクタ１００および２００は、例証された整列部材１２０に限定されず、さらに、１つまたは第１または第２コネクタハウジング１０６または２０６の一方または両方は、望まれるような任意の他の適切な整列部材で代りに構築することができることである。例えば、第１電気コネクタ１００の総体の整列部材１２０ａは、第１および第２対の整列ビーム１２２として構成することができ、それぞれの対の第１および第２整列ビーム１２２は、別々に間隔を置かれ、かつ、上述された方法で横断方向Ｔに沿って整列する。第１電気コネクタ１００の精密な整列部材１２０ｂは、上述された方法で横断方向Ｔに沿って相互から一定間隔で配置され、かつ相互に整列する１対の第１および第２整列ビーム１２８として構成することができる。対の整列ビーム１２８は、横方向Ａに沿って整列ビーム１２２の第１および第２対の間に例えば等距離で配置することができる。整列ビーム１２２は、前に結合方向に沿って整列ビーム１２８から前方である位置に突出することができる。
【０１６１】
[０２２０]第２電気コネクタ２００の総体の整列部材２２０ａは、整列凹所２２２の第１および第２対として構成することができ、そこでは、それぞれの対の第１および第２整列凹所２２２は、別々に間隔を置かれ、上述された方法で横断方向Ｔに沿って整列する。この凹所２２２は、少なくとも部分的に、ハウジング本体２０８の頂部壁２０８ｃおよび底部壁２０８ｄの１つによって、例えば、ハウジング本体２０８の第１および第２側部２０８ｅおよび２０８ｆの１つに近接して、画定することができる。第２電気コネクタ２００の精密な整列部材２２０ｂは、上述されたタイプの弾力のあるフレキシブルアーム２３１として構成することができる。精密な整列部材２２０ｂは、例えば、横方向Ａに沿って整列凹所２２２の第１および第２対の間に等距離で、配置することができる１対の第１および第２アーム２３１として構成することができる。フレキシブルアーム２３１は、上述されたように、第１および第２電気コネクタ１００および２００の整列の第２段階を提供するようにそれぞれの整列ビーム１２８に沿って乗るように構成される。
【０１６２】
[０２２１] 今度は図１５Ａ-Ｃを参照して、第１電気コネクタ１００は、代りの実施例にしたがって構成することができる。図２Ａ-３Ｂおよび図８Ａに関して上述されたように、第１電気コネクタ１００は、望まれるような、多数のリードフレームアセンブリ１３０を、さらには、望まれるような、多数の総体の整列部材１２０ａを有することができ、これらは、内部の整列部材として位置することができる。例えば、第１電気コネクタは、複数の対の総体の整列部材１２０ａのような少なくとも一つを有することができる。図１５Ａは、横方向Ａに沿って相互から一定間隔で配置され、さらに、第１および第２対の精密な整列部材１２０ｂであって、横方向Ａに沿う外部の整列部材として位置することができるものの間に配置された４対の総体の整列部材１２０ａを例証している。総体の整列部材１２０ａは、上述されたように、総体の整列ビーム１２８として構成することができる。
【０１６３】
[０２２２] 総体の整列部材１２０ａの個々それぞれの対の総体の整列部材１２０ａは、相互に整列し、かつ、横断方向Ｔに沿って相互から一定間隔で配置することができる。リードフレームアセンブリの１対１６１、例えば、第１および第２リードフレームアセンブリ１３０ａおよび１３０ｂのような少なくとも一つは、横断方向Ｔに沿ってそれぞれの対の総体の整列部材１２０ａの間に延びることができる。例えば、横方向Ａに沿って電気コネクタ１００のリードフレームアセンブリ１３０の内部の対１６１ｂのすべては、内部の整列部材それぞれの１対のものの間に延びることができ、それらは横断方向Ｔに沿って総体の整列部材１２０ａであることができる。リードフレームアセンブリ１３０の外部の対１６１ａのそれぞれは、外部の整列部材のそれぞれの対のものの間に延びることができ、それらは精密な整列部材１２０ｂであることができる。さらに、それぞれ、各対の総体の整列部材１２０ａの各対の総体の整列部材は、１対１６１の第１および第２リードフレームアセンブリ１３０ａ-ｂのように、少なくとも１つのリードフレームアセンブリの対向する側部に配置することができる。さらに、各対１６１の第１および第２リードフレームアンブリ１３０ａ-ｂは、上述されたように、分割壁１１２のそれぞれのものの対向する表面１１１および１１３に隣接して配置することができる。
【０１６４】
[０２２３] 今度は特に図１５Ｂ-Ｃを参照して、各リードフレームアセンブリ１３０は、少なくとも電気接点１５０のいくつかの結合端部に当接し、かつ、それらが補完的信号接点の補完的結合端部を結合するとともに、結合端部の屈曲に抵抗するように構成される少なくとも１つの接点支持突出部１７７を有することができる。上述されたように、電気接点２５０の結合端部は、結合方向に垂直である電気接点１５０の結合端部に対する力を加えることができる。
【０１６５】
この垂直力は、それぞれの分割壁１１２および２１２に向かって、望まれるような任意の距離、屈曲するように電気接点１５０および２５０の結合端部のそれぞれを偏位することができる。接点支持突出部１７７は、例えば結合端部で電気接点１５０を支持し、かつ、第１電気コネクタ１００が、第２電気コネクタ２００に結合するとともに、結合端部が、それぞれの分割壁１１２に向かって曲げる距離を縮小するように、第２電気接点２５０によって加えられた垂直力に対向する電気接点１５０に対する力を提供するように構成される。１つの実施例によれば、接点支持突出部１７７は、第１電気接点１５０の柔軟性が結合端部で縮小されるような第１電気接点１５０を堅くすることができる。したがって、接点支持突出部１７７は、結合したときに第１電気接点１５０および第２電気接点２５０が、結合端部で相互に加える接触力を増加することができる。
【０１６６】
[０２２４] １つの実施例によれば、接点支持突出部１７７は、長手方向Ｌに沿ってリードフレームハウジング本体１５７の前面から前方に、かつ、電気信号接点１５２を収容するリードフレームハウジング１３２におけるそれぞれのチャンネルから前方に延びることができる。突起部１７７は、接地結合端部１７２、および、それぞれの当接位置１７９で、例えばそれぞれの内部表面１５３ａおよび１８１ａで、電気信号接点の結合端部１５６の選択した１つに当接することができる。したがって、それぞれの凹面の外部表面１５３ｂおよび１８１ｂが、電気接点１５０の凹面の外部表面に沿って乗るとともに、そうでなければ屈曲する当接位置１７９は、接点支持突出部１７７によって静止を保持される。例証された実施例によれば、接点支持突出部１７７は、結合端部１５６と整列し、かつ、それぞれの第１表面１５３ａで結合端部と接触する。
【０１６７】
例えば、信号接点１５２および単一のウィドー接点１５２ａのすべては、それらのそれぞれの内部表面１５３ａで接点支持突出部１７７に当接することができる。したがって、接点支持突出部１７７は、それぞれの結合端部１５６と対応する分割壁１１２との間に配置することができる。
【０１６８】
[０２２５]接地プレート１６８は、さらに、横方向Ａに沿って接地プレート本体１７０を介して延びる複数のインピーダンス制御開口１９６を有する。例えば、インピーダンス制御開口１９６は、横断方向Ｔに沿ってリブ１８４の直接隣接するものの間の位置で接地プレート本体１７０を介して延びることができる。開口１９６は、長手方向Ｌおよび横断方向Ｔによって画定される平面に沿って取囲むことができる。例証された実施例によれば、インピーダンス制御開口１９６のそれぞれは、電気信号接点１５２の結合端部１５６の選択した１つと、電気信号接点１５２の結合端部１５８の選択した１つとの間で整列することができる。例えば、インピーダンス制御開口１９６は、電気信号接点１５２の結合端部１５６に隣接して配置されるインピーダンス制御開口１９６ａの第１複数と、電気信号接点１５２の設置端部１５８に隣接して配置されるインピーダンス制御開口１９６bの第２複数とを有することができる。したがって、インピーダンス制御開口１９６ａの第１複数は、第２インピーダンス制御開口１９６ｂが、結合端部１５６から一定間隔で配置される距離に関して結合端部１５６に接近して一定間隔で配置される。インピーダンス制御開口１９６ａおよび１９６ｂの第１および第２複数のそれぞれは、横断方向Ｔに沿ったそれぞれの第１寸法および長手方向Ｌにおけるそれぞれの第２寸法を画定することができる。第２インピーダンス制御開口１９６ｂの第１および第２寸法の両方は、第１インピーダンス制御開口１９６ａのそれぞれの第１および第２寸法より大きいということができる。金属が、より高い誘電率を有しており、かつ、インピーダンスが、インピーダンス制御開口１９６を創成するように、例えば接地プレート本体１７０の一部の除去によって制御することができることが、認識される。例証された実施例によれば、整列した結合端部１５６と長手方向Ｌに沿った接地端部１７４の各対の間に引かれたラインは、延びて、例えば、インピーダンス制御開口１９６ａの第１複数の１つ、およびインピーダンス制御開口１９６ｂの第２複数の１つを２等分する。接地プレート１６８は、それぞれに、接地結合端部１７２、リブ１８４、および接地結合端部１７４と整列する位置で、インピーダンス制御開口を欠如することができる。認識されるべきことは、インピーダンス制御開口１９６が、望まれるような任意のサイズおよび形状の接地プレート本体１７０を介して延びるいかなる数の開口をも有することができることである。さらに、ここに記述されたいずれの電気コネクタも、ここに記述されたタイプのインピーダンス制御リブを有することができる。
【０１６９】
[０２２６] 今度は、図１６Ａ-Ｄを参照して、第２電気コネクタ２００は、代りの実施例にしたがって構築することができる。図４Ａ-５Ｃおよび図８Ｂに関して上述したように、第２電気コネクタ２００は、望まれたような多数のリードフレームアセンブリ２３０を、さらには、望まれたような多数の総体の整列部材２２２ａを有することができ、それは、内部の整列部材として位置することができる。例えば、第２電気コネクタ２００は、少なくとも複数の対の総体の整列部材２２０ａのようなものを有することができる。図１６ａは、横方向Ａに沿って一定間隔で配置され、かつ、第１および第２対の精密な整列部材２２０ｂの間に配置されて、それは外部の整列部材として位置することができる４対の総体の整列部材２２０ａを例証している。総体の整列部材２２０ａは、上述されたように、総体の整列凹所２２２を構成することができる。
【０１７０】
[０２２７] 総体の整列部材２２０ａの各対は、横断方向Ｔに沿って相互と整列し、かつ相互から一定間隔で配置することができる。外部のギャップのような１対のギャップ２６３のような少なくとも１つは、横断方向Ｔに沿ってそれぞれの対の総体の整列部材２２０ａのそれぞれの間に延びることができる。横方向Ａに沿う第２電気コネクタ２００の内部の対のギャップ２６３の、すべてまでの少なくとも１つ以上は、内部の整列部材のそれぞれの対のものの間に延びることができ、それらは精密な整列部材２２０ｂであることができる。さらに、各対の総体の整列部材２２０ａの総体の整列部材のそれぞれは、ギャップ２６３の１つの対向する側部に配置することができる。さらに、各対２６１の第１および第２リードフレームアセンブリ２３０ａ-ｂは、上述されたように、分割壁２１２のそれぞれのものの対向する表面２１１および２１３に隣接して配置することができる。
【０１７１】
[０２２８] 今度は特に図１６Ｂ-Ｄを参照して、各リードフレームアセンブリ２３０は、少なくとも電気接点２５０のいくつかの結合端部と当接するように構成される少なくとも１つの接点支持突出部２７７を有することができる。上述されたように、電気接点１５０の結合端部は、結合方向に垂直である電気接点２５０の結合端部に対する力を加えることができる。垂直力は、望まれるような任意の距離、それらのそれぞれの分割壁１１２および２１２に対して屈曲するように、電気接点１５０および２５０の結合端部のそれぞれを偏位することができる。接点支持突出部２７７は、例えば結合端で電気接点２５０を支持し、かつ、第２電気コネクタ２００が、第１電気コネクタ１００に結合するとともに、結合端がそれぞれの分割壁２１２に向かって曲がる距離を縮小するように、第２電気接点１５０によって加えられた垂直力に対向する電気接点２５０に対する力を提供するように構成される。１つの実施例によれば、接点支持突出部２７７は、第１電気接点２５０の柔軟性が結合端部で縮小される第１電気接点２５０を堅くすることができる。したがって、接点支持突出部２７７は、第１電気接点１５０および第２電気接点２５０が、結合されるときに結合端部で相互に加える接触力を増加させることができる。
【０１７２】
[０２２９] １つの実施例によれば、接点支持突出部２７７は、長手方向Ｌに沿ってリードフレームハウジング本体２５７の前面から前方に、さらにしたがって、電気信号接点２５２を収容するリードフレームハウジング２３２におけるそれぞれのチャンネルから前方に、延びることができる。突起部２７７は、例えば、それぞれの内部表面２５３ａおよび２８１ａで、および、それぞれの当接位置２７９で、電気信号接点２５２の接地接合端部２７２およびを結合端部２５６の選択した一方に当接することができる。したがって、それぞれの凹面の外部表面２５３ｂおよび２８１ｂが、電気接点２５０の凹面の外部表面に沿って乗るとともに、そうでなければ屈曲する当接位置２７９は、接点支持突出部２７７によって静止を保持される。例証された実施例によれば、接点支持突出部２７７は、結合端部２５６と整列し、さらに、それぞれの第１、または内部表面２５３ａで結合端部と接触する。例えば、信号接点２５２および単一のウィドー接点２５２ａのすべては、それぞれの内部表面２５３ａで接点支持突出部２７７と当接することができる。したがって、接点支持突出部２７７は、それぞれの結合端部２５６と、対応する分割壁２１２との間に配置することができる。
【０１７３】
[０２３０] 図１６Ａ-Ｄへの継続的な参照によって、少なくとも１つ、またはすべてまでのそれ以上のリードフレームアセンブリは、リブ２８４と整列した位置でリードフレームハウジング本体２５７を介して延びる複数のリードフレーム開口２６５を有することができる。例えば、上述されたように、接地プレート２６８は、リードフレームハウジング本体２５７の第１側部端部２５７ａに取付けられるように構成され、それは、リブ２８４の突出された表面が、少なくとも部分的にリードフレームハウジング２３２の窪んだ領域２９５において配置されるようなものであり、さらに、リブ２８４の突出された表面が、リードフレーム２３２の窪んだ表面２９７に面するようなものである。リードフレームハウジング本体２５７は、さらに、横方向Ａに沿って第１側部２５７ａと対向する第２側部２５７ｂを画定する。リードフレームハウジング２３２は、第２側部２５７ｂから窪んだ表面２９７を介して横方向Ａに沿ってリードフレームハウジング本体２５７を介して延びるリードフレーム開口２６５を画定することができる。したがって、電気信号接点２５２は、リードフレーム開口２６５と接地プレート２６８との間に延びる平面にあることができる。リードフレーム開口２６５は、横方向Ａに沿ってギャップ２５９のそれぞれのものと整列することができ、さらに、したがって、接地結合端部２７２と接地設置端部２７４との間で整列することができる。したがって、リードフレーム開口２６５のそれぞれのものは、それぞれのギャップ２５９と整列することができ、それは、各ギャップ２５９が、複数のリードフレーム開口２６５のような、選択した少なくとも１つと整列することができるようなものである。
【０１７４】
[０２３１] リードフレーム開口２６５は、接地設置端部２７４に近接して配置された第１端部２６５ａ、および接地結合端部２７２に近接して配置された第２端部２５６ｂを画定する。リードフレームアセンブリ２３０が、直角のリードフレームアセンブリであり、かつ第２電気コネクタ２００が、直角の電気コネクタであるときに、リードフレーム開口２６５は、カーブするように、リードフレーム開口２６５の第２部分に関して、曲がることができる第１部分を画定する。第１部分は、例えば、第１端部２６５ａで画定することができ、さらに、横断方向Ｔに沿って、接地設置端部２７４から遠ざかる方向に沿って、かつ、横断方向Ｔおよび長手方向Ｌに沿って接地結合端部２７２に向かって、延長することができる。第２部分は、第２端部２６５ｂで画定することができ、さらに、その部分は、長手方向Ｌに沿って接地結合端部２７２から遠ざかる方向に沿って、かつ、長手方向Ｌおよび横断方向Ｔに沿って接地設置端部２７４に向かって、延長することができる。少なくとも１つ、またはそれ以上のすべてまでのリードフレーム開口２６５は、第１端部２６５ａから第２端部２６５ｂまで連続的に延びることができるか、または、複数の開口セグメント２６７のような少なくとも２つを画定するように、第１端部２６５ａと第２端部２６５ｂとの間で区分することができる。少なくとも１つ、またはそれ以上すべてまでのセグメント２６７は、横断方向Ｔおよび長手方向Ｌの両方に沿って延長することができる。
【０１７５】
[０２３２] それぞれのセグメント２６７のそれぞれを有するリードフレーム開口２６５は、第１端部２６５ａから第２端部２６５ｂまで、それぞれの中央の軸２６５ｃに沿って延びることができる。各開口２６５のそれぞれのセグメント２６７は、中央軸２６５ｃに沿って相互に整列することができる。各中央軸２６５ｃは、選択した接地設置端部２７４と選択した接地結合端部２７２との間に延びることができ、かつ、それらと整列することができる。少なくとも２つ、またはそれ以上すべてまでのリードフレーム開口２６５の中央軸２６５ｃは、相互に平行であることができる。
【０１７６】
[０２３３] 開口セグメント２６７は、電気信号接点２５２を支持するリードフレームハウジング本体２５７のそれぞれの部分によって分離することができる。リードフレームハウジング本体２５７の部分は、第１側部２５７ａに向かって第２側部２５７ｂから例えば窪んだ表面２９７に延びることができ、さらに窪んだ表面２９７を画定することができる。さらに、リードフレームハウジング本体２５７の部分は、信号接点２５２のそれぞれのものを支持するチャンネル２７５を画定することができる。例えば、リードフレームハウジング本体２５７の部分は、信号接点２５２上に重ね成型することができ、さらに、リードフレームアセンブリ２３０の構築の間に、射出成形フローパスを画定することができる。開口セグメント２６７を有するリードフレーム開口２６５のそれぞれは、リードフレームハウジング本体２５７によって完全に取囲まれる周囲を画定することができる。代りに、少なくとも１つ、または以上のすべてまでの開口セグメント２６７を有するリードフレーム開口２６５の周囲は、リードフレームハウジング本体２５７の前方端部、または底部端部で開口することができる。
【０１７７】
[０２３４] 上に記述されるように、リードフレーム開口２６５のそれぞれは、リブ２８４の１つ、および隣接する信号対２６６間で配置されるギャップ２５９のそれぞれの１つと横方向Ａに沿って整列することができる。したがって、横方向Ａに沿って延びるラインは、信号接点２５２のいずれも通り過ぎることなく、リードフレーム開口２６５の１つ、リブ２８４の整列したもの、および、ギャップ２５９の整列したものを通り過ぎることができる。さらに、１つの実施例によれば、リードフレームアセンブリ２３０は、リードフレーム開口２６５の１つ、リブ２８４の整列した１つ、および、ギャップ２５９の整列したもの、および、信号接点２５２を通って、横方向Ａに沿って延びるラインを画定しない。１つの実施例によれば、リードフレーム開口２６５のそれぞれ、および特に中心軸２６５ｃは、それぞれの開口２６５と整列するギャップ２５９の対向する側面部に配置される差動信号対２６６の隣接するものの間で等距離で間隔を置くことができる。
【０１７８】
[０２３５] リードフレーム開口２６５のそれぞれは、中心軸２６５ｃに沿って長さを画定することができる。例えば、リードフレーム開口２６５が、第１端部２６５ａから第２端部２６５ｂまで連続的に延びる場合、その長さは、中心軸２６５ｃに沿って第１端部２６５ａから第２端部２６５ｂまでの距離によって画定することができる。リードフレーム開口２６５が、セグメント２６７に区分される場合、その長さは、中心軸２６５ｃに沿って各開口２６５のすべてのセグメント２６７の距離の合計によって画定することができる。１つの実施例によれば、少なくとも１つ以上すべてまでのリードフレーム開口２６５の長さは、少なくとも半分、例えば大部分、例えば、６０％より大きい、例えば、７５％より大きい、例えば、８０％より大きい、例えば９０％以上１００％を含んでそれまで以下、中心軸２５６ｃに沿って測定されるようなリブ２８４の整列されたものの長さであることができる。
【０１７９】
[０２３６] プラスチックの誘電率が、空気の誘電率より大きいことは、認識される。リードフレームハウジング２３２は、プラスチックから作ることができるので、リードフレーム開口２６５は、リードフレームハウジング２３２の誘電率未満である誘電率を画定する。リードフレーム開口２６５は、差動信号対２６６の隣接するものの間の端部クロストークを大きく縮小することが分かった。
【０１８０】
[０２３７] 今度は図１７を参照して、もし他の方法で示されなかったならば、電気コネクタアセンブリ１０は、ここに記述した任意の実施例にしたがって構築された第１電気コネクタ１００を、さらに、もし他の方法で示されなかったならば、ここに記述したような任意の実施例にしたがって構築された第２電気コネクタ２００を有することができる。
【０１８１】
例えば、第２電気コネクタ２００は、上述されたようなリードフレーム開口２６５を有することができる。以下の記述から認識されるように、第１電気コネクタ１００は、さらに、それぞれのリードフレーム開口を有することができる。さらに、上述されたように、第１および第２電気コネクタ１００および２００は、望まれるように、多数のリードフレームアセンブリ２３０を有することができ、望まれるような多数の総体の整列部材２２０ａを有することができ、それは、内部の整列部材、または外部の整列部材として位置することができ、さらに、さらに望まれるような多数の精密な整列部材２２０ｂを有することができ、それは、内部の整列部材、または外部の整列部材として位置することができるものである。内部の整列部材は、横方向Ａに沿って外部の整列部材の間に配置される。
【０１８２】
[０２３８] 例えば、第１電気コネクタ１００は、少なくとも１対の総体の整列部材１２０ａのような一つ、および、１対の総体の整列部材１２０ａに隣接して配置される１対の精密な整列部材１２０ｂを有することができる。図１７は、１対の総体の整列部材１２０ａ、および横方向Ａに沿って対の総体の整列部材１２０ａから間隔を置かれた１対の精密な整列部材１２０ｂを例証する。同様に、第２電気コネクタ２００は、少なくとも１対の総体の整列部材２２０ａのような一つ、および、対の総体の整列部材２２０ａに隣接して配置される対の精密な整列部材２２０ｂを有することができる。図１７は、１対の総体の整列部材２２０ａ、および、横方向Ａに沿う対の総体の整列部材２２０ａから一定間隔を置かれた１対の精密な整列部材２２０ｂを例証する。
【０１８３】
[０２３９]さらに、第１および第２電気コネクタ１００および２００は、例証されるように、４つのように望まれるような、それぞれにリードフレームアセンブリ１３０および２３０の任意の数を有することができる。第１電気コネクタ１００のリードフレームアセンブリ１３０は、それぞれ、上述されたように分割壁の対向する表面にそれぞれ隣接して配置される２対の第１および第２リードフレームアセンブリ１３０ａ-ｂにおいて配置することができる。第２電気コネクタのリードフレームアセンブリ２３０は、分割壁２１２の対向側面部に配置される対において配置することができるか、または分割壁２１２に隣接して配置されるか、またはそうでなければコネクタハウジング２０８によって支持される個々のリードフレームアセンブリとして配置することができる。例証された実施例によれば、第２電気コネクタは、第１および第２個別リードフレームアセンブリ２３０ｃおよび２３０ｄ、さらには、上述したように、分割壁のそれぞれの第１および第２側面部１１１および１１３に隣接して配置された第１および第２リードフレームアセンブリ２３０ａ-ｂの単一の１対２６１を有する。第２電気コネクタは、横方向Ａに沿って対２６１と第１個々のリードフレームアセンブリ２３０ｃの間に配置された第１ギャップ２６３、および横方向に沿って対２６１と第２個々のリードフレームアセンブリ２３０ｄの間に配置された第２ギャップ２６３を画定する。総体の整列部材２２０ａは、上述されたような第１ギャップ２６３と整列することができ、さらに、精密な整列部材２２０ｂは、上述されたような第２ギャップ２６３と整列することができる。
【０１８４】
[０２４０] ここに記述されたタイプのコネクタアセンブリが、第１および第２電気コネクタを有することができることは、認識されるべきである。第１および第２電気コネクタの一方は、リードフレームアセンブリの数の半分に等しい、分割壁の数を有することができ、それは、すべてのリードフレームアセンブリが、上述されたように、分割壁の対向側面部に配置された、第１および第２リードフレームアセンブリの対において配置されるようなものである。第１および第２電気コネクタの他方は、リードフレームアセンブリの数の１つと半分に等しい、分割壁の数を有することができる。第１および第２電気コネクタの他方の分割壁は、それぞれのコネクタハウジングの側壁を有することができる。したがって、第１および第２電気コネクタの他方のリードフレームアセンブリは、上述されたように、それぞれの分割壁の対向側面部に配置された第１および第２リードフレームアセンブリの対において、そして対応する個々のリードフレームアセンブリに専用的であるそれぞれの分割壁に隣接して配置される個々の第１および第２リードフレームアセンブリを配置することができる。その専用分割壁は、例えば、コネクタハウジングの側壁によって画定することができる。
【０１８５】
[０２４１] 図１７の継続的な参照によって、総体の整列部材１２０ａは、上記されたタイプの第１および第２総体の整列部材ビーム１２２を有することができる。精密な整列部材１２０ｂは、上述されたタイプの第１および第２精密な整列ビーム１２８を有することができる。精密な整列ビーム１２８は、外形上、横断方向に沿って総体の整列ビーム１２２から配置することができる。すなわち、総体の整列部材１２０ａは、横断方向Ｔに関して精密な整列部材１２０ｂの間に配置することができる。総体の整列部材１２０ａは、横方向Ａに沿って精密な整列部材１２０ｂから偏位することができる。第２電気コネクタ２００の総体の整列部材２２０ａは、外部の横断方向Ｔに沿って頂部および底部壁２０８ｃおよび２０８ｄ内に延びる第１および第２総体の整列凹所２２２を有することができる。第２電気コネクタ２００の精密な整列部材２２０ｂは、内部の横断方向Ｔに沿って頂部および底部壁２０８ｃおよび２０８ｄ内に延びる第１および第２精密な整列凹所２２８有することができる。したがって、総体の整列部材２２０ａは、横断方向Ｔに関して精密な整列部材２２０ｂの間に配置することができる。総体の整列部材２２０ａは、横方向Ａに沿って精密な整列部材２２０ｂから偏位することができる。総体の整列部材１２０ａおよび２２０ａは、上述された方法で整列の第１段階を完成するように係合するように構成される。整列の第１段階の完成後、精密な整列部材１２０ａおよび２２０ａは、上述された方法で整列の第２段階を完成するように係合するように構成される。
【０１８６】
[０２４２] 今度は図１８Ａを参照して、第１電気コネクタ１００は、もし他の方法で示されなかったならば、ここに記述された任意の実施例にしたがって構築することができる。第１電気コネクタ１００は、電気コネクタが結合するとともに、整列の第１および第２段階を提供するように第２電気コネクタ２００(図１９Ａ参照)の補完的係合部材を有する結合を構成する整列部材１２０を有することができる。例証された実施例によれば、総体の整列部材１２０ａは、結合方向Ｍに沿って前方端部１０８ａから前方位置に当接壁１０８ｇから前方に延びる総体の整列ビーム１２２として構成することができる。総体の整列ビーム１２２は、第１側部１０８ｅと第２側部１０８ｆとの間、例えば第１側部１０８ｅから第２側部１０８ｆまでの間に延びることができる。整列ビーム１２２は、横断方向Ｔに沿って１つまたはそれ以上すべてまでのリードフレームアセンブリ１３０と整列することができ、それは、１つまたはそれ以上すべてまでのリードフレームアセンブリ１３０が、整列ビーム１２２の間に配置され、かつ、整列ビーム１２２と整列するようなものである。精密な整列部材１２０ｂは、リードフレームアセンブリ１３０のそれぞれの対と整列した位置で当接表面から外に延びる精密な整列ビーム１２８として構成することができ、それは、リードフレームアセンブリの各対が、１対の精密な整列ビーム１２８と整列することができ、さらに整列間に配置することができるようなものである。第１電気コネクタ１００は、垂直の電気コネクタとして構成することができ、それによって、結合インタフェース１０２は、上述したように、設置インタフェース１０４とほぼ平行に方向付けすることができる。
【０１８７】
[０２４３] 今度は図１８Ｂ-１８Ｃを参照して、少なくとも１つ、またはそれ以上すべてまでのリードフレームアセンブリ１３０は、リブ１８４と整列した位置で、リードフレームハウジング本体１５７を通って、そしてしたがってリブ１８４と整列する位置で、リードフレームハウジング１３２を通って延びる複数のリードフレーム開口１６５を有することができる。例えば、上述されたように、接地プレート１６８は、リードフレームハウジング本体１５７の第１側部１５７ａに取付けられるように構成され、それは、リブ１８４の突出した表面が、少なくとも部分的にリードフレームハウジング１３２の窪んだ領域１９５内に配置されるような、リブ１８４の突出した表面が、リードフレームハウジング１３２の窪んだ表面１９７に面するようなものである。リードフレームハウジング本体１５７は、さらに、横方向Ａに沿って第１側部１５７ａと対向である第２側部１５７ｂを画定する。リードフレームハウジング１３２は、第２側部１５７ｂから窪んだ表面１９７を介して横方向Ａに沿ってリードフレームハウジング本体１５７を横方向Ａに沿って第１側部１５７ａを介して延びるリードフレーム開口１６５を画定することができる。したがって、電気信号接点１５２は、リードフレーム開口１６５と接地プレート１６８との間に延びる平面にあることができる。リードフレーム開口１６５は、横方向Ａに沿ってギャップ１５９のそれぞれのものと整列することができ、さらには、したがって、接地結合端部１７２と接地設置端部１７４との間に整列することができる。したがって、リードフレーム開口１６５のそれぞれのものは、それぞれのギャップ１５９と整列することができ、それは、各ギャップ１５９が、選択した、複数のリードフレーム開口１６５のような少なくとも１つと整列することができるようなものである。
【０１８８】
[０２４４] リードフレーム開口１６５は、接地設置端部１７４に近接して配置される第１端部１６５ａ、および、接地結合端部１７２に近接して配置される第２端部１６５ｂを画定する。少なくとも１つ、またはそれ以上すべてまでのリードフレーム開口１６５は、第１端部１６５ａから第２端部１６５ｂまで連続的に延びることができ、または、複数の開口セグメント１６７のような少なくとも２つを画定するように、第１端部１６５ａと第２端部１６５ｂとの間に区分することができる。少なくとも１つの、またはそれ以上すべてまでのセグメント１６７は、長手方向Ｌに沿って接地結合端部１７２と接地設置端部１７４との間に延びることができる。
【０１８９】
[０２４５] それぞれのセグメント１６７のそれぞれを有するリードフレーム開口１６５は、第１端部１６５ａから第２端部１６５ｂまでそれぞれの中央軸１６５ｃに沿って延長することができる。各開口１６５のそれぞれのセグメント２６７は、中央軸に１６５ｃに沿って相互に整列することができる。各中央軸１６５ｃは、それぞれ間に延びることができ、選択した接地設置端部１７４と選択した接地結合端部１７２との間に延びることができ、さらに、その間に整列することができる。少なくとも２つ、またはそれ以上すべてまでのリードフレーム開口１６５の  中央軸１６５ｃは、相互に平行であることができる。
【０１９０】
[０２４６] 開口セグメント１６７は、電気信号接点１５２を支持するリードフレームハウジング本体１５７のそれぞれの部分によって分離することができる。リードフレームハウジング本体１５７の部分は、例えば、第１側部１５７ａに向かって第２側部１５７ｂから、例えば、窪んだ表面１９７まで延びることができ、さらに、窪んだ表面１９７を画定することができる。さらに、リードフレームハウジング本体１５７の部分は、信号接点１５２のそれぞれのものを保持するチャンネルを画定することができる。例えば、リードフレームハウジング本体１５７の部分は、信号接点１５２上に重ね成型することができ、さらには、リードフレームアセンブリ１３０の構築の間に、射出成形フローパスを画定することができる。開口セグメント１６７を有するリードフレーム開口１６５のそれぞれは、リードフレームハウジング本体１５７によって完全に取囲まれる周囲を画定することができる。代りに、開口セグメント１６７の少なくとも１つまたはそれ以上を有するリードフレーム開口１６５の周囲は、リードフレームハウジング本体１５７の前方端部または底部端部で開口することができる。
【０１９１】
[０２４７] 上述されたように、リードフレーム開口１６５のそれぞれは、リブ１８４の１つ、および、隣接する信号対１６６間に配置されるギャップ１５９のそれぞれの１つと、横方向Ａに沿って整列することができる。したがって、横方向Ａに沿って延びるラインは、信号接点１５２のどれも通り過ぎることなしに、リードフレーム開口１６５の１つ、リブ１８４の整列した１つ、およびギャップ１５９の整列した１つを通り過ぎることができる。さらに、１つの実施例によれば、リードフレームアセンブリ１３０は、リードフレーム開口１６５の１つ、リブ１８４の整列した１つ、およびギャップ１５９、および信号接点１５２の整列した１つを介して横方向Ａに沿って延びるラインを画定しない。１つの実施例によれば、リードフレーム開口１６５のそれぞれ、および特に中央軸１６５ｃは、等距離で、それぞれの開口１６５と整列するギャップ１５９の対向する側部に配置される差動信号対１６６の隣接するものの間で間隔を置くことができる。
【０１９２】
[０２４８] リードフレーム開口１６５のそれぞれは、中央軸１６５ｃに沿う長さを画定することができる。例えば、リードフレーム開口１６５が、第１端部１６５ａから第２端部１６５ｂまで連続的に延びる場合、その長さは、中央軸１６５ｃに沿って第１端部１６５ａから第２端部１６５ｂまでの距離によって画定することができる。リードフレーム開口１６５が、セグメント１６７に区分される場合、その長さは、中央軸１６５ｃに沿って各開口１６５のすべてのセグメント１６７の距離の合計によって画定することができる。１つの実施例によれば、少なくとも１つまたはそれ以上のすべてまでのリードフレーム開口１６５の長さは、中央軸１６５ｃに沿って測定されるように浮彫り１８４の整列したものの長さの少なくとも半分、例えば、大部分、例えば、６０％より大きく、例えば７５％より大きく、例えば８０％より大きく、例えば１００％を含んで、９０％以上である。
【０１９３】
[０２４９] プラスチックの誘電率が、空気の誘電率より大きいことは認識される。リードフレームハウジング１３２は、プラスチックから作ることができるので、リードフレーム開口１６５は、リードフレームハウジング１３２の誘電率未満である誘電率を画定する。リードフレーム開口１６５が、差動信号対１６６の隣接するものの間の端部クロストークを大きく縮小することが判明した。さらに、接地プレート１７０は、上述されたタイプのインピーダンス制御開口１９６ａおよび１９６ｂの第１および第２複数を有することができる。
【０１９４】
[０２５０] 今度は図１９Ａを参照して、また、上述されたように、第２電気コネクタ２００は、垂直のコネクタとして構成することができ、それによって、結合インタフェース２０２が、設置インタフェース２０４に関してほぼ直角である。第２電気コネクタ２００は、上述された方法で図１８Ａの第１電気コネクタ１００と結合するように構成することができる。したがって、電気接点２５０は、その結合端部が、設置端部にほぼ平行に方向付けられる垂直の電気接点として構成することができる。したがって、第１および第２基板３００ａおよび３００ｂは、第１電気コネクタ１００が、第１基板３００ａに設置され、第２電気コネクタ２００が、第２基板３００ｂに設置され、また、第１および第２電気コネクタ１００および２００が、相互に結合する(図１参照)ときに、相互にほぼ平行に方向付けられることができる。
【０１９５】
[０２５１] 第２電気コネクタ２００は、もし他の方法で示されなかったならば、ここに記述された任意の実施例によれば構築することができる。第２電気コネクタ２００は、第１電気コネクタ１００の補完的係合部材と結合されるように構成される整列部材２２０を有することができる(図１８Ａ参照)。したがって、総体の整列部材２２０ａは、長手方向に後方方向に沿って、すなわち、結合方向Ｍと対向する方向に沿って、頂部壁１０８ｃおよび底部壁１０８ｄ内に下方に延びる総体の整列凹所２２２としてそれぞれに構成することができる。整列凹所２２２は、第１側部２０８ｅと第２側部２０８ｆとの間、例えば、第１側部２０８ｅから第２側部２０８ｆまで延びることができる。整列凹所２２２は、横断方向Ｔに沿って、１つ、またはそれ以上すべてまでのリードフレームアセンブリ２３０と整列することができ、それは、１つ、またはそれ以上すべてまでのリードフレームアセンブリ２３０の間に配置され、かつ、整列凹所２２２と整列するようなものである。総体の整列凹所２２２ａは、図１８Ａに関して上述された第１電気コネクタ１００の総体の整列ビームを受けるように構成される。精密な整列部材２２０ｂは、頂部および底部壁２０３ｃ-ｄ内に、それぞれ、横断方向Ｔに沿って開口２６５のそれぞれのものと整列した位置に、凹所２２８として構成することができ、それは、開口２６５が、上述された方法において１対の整列凹所の整列凹所２２８間に配置されるようなものである。
【０１９６】
[０２５２] 今度は図１９Ｂ-Ｃを参照して、少なくとも１つ、またはそれ以上すべてまでのリードフレームアセンブリ２３０のリブ２８４と整列した位置でリードフレームハウジング本体２５７を介して延びる複数のリードフレーム開口２６５を有することができる。したがって、電気コネクタアセンブリ１０の、少なくとも一方の、または両方の電気コネクタが、リードフレーム開口のそれぞれのものを有することができることは、認識されるべきである。例えば、上述されたように、接地プレート２６８は、リードフレームハウジング本体２５７の第１側部２５７ａに取付けられるように構成され、それは、リブ２８４の突出された表面が、少なくとも部分的に、リードフレームハウジング２３２の窪んだ領域２９５に配置されるようなものであり、それは、リブ２８４の突出された表面が、リードフレームハウジング２３２の窪んだ表面２９７に面するようなものである。リードフレームハウジング本体２５７は、さらに、横方向Ａに沿って第１側部２５７ａと対向する第２側部２５７ｂを画定する。リードフレームハウジング２３２は、第２側部２５７ｂから窪んだ表面２９７を介して横方向Ａに沿ってリードフレームハウジング本体２５７を介して延びるリードフレーム開口２６５を画定することができる。したがって、電気信号接点２５２は、リードフレーム開口２６５と接地プレート２６８との間に延びる平面にあることができる。リードフレーム開口２６５は、横方向に沿ってギャップ２５９のそれぞれのものと整列することができ、そしてしたがって、接地結合端部２７２と接地設置端部２７４との間で整列することができる。したがって、リードフレーム開口２６５のそれぞれのものは、それぞれのギャップ２５９と整列することができ、それは、各ギャップ２５９が、選択した複数のリードフレーム開口２６５の複数のような少なくとも１つと整列されるようなものである。  
[０２５３] リードフレーム開口２６５は、接地設置端部２７４に近接して配置された第１端部２６５ａ、および接地結合端部２７２に近接して配置された第２端部２６５ｂを画定する。少なくとも１つ、またはそれ以上すべてまでのリードフレーム開口２６５は、第１端部２６５ａから第２端部２６５ｂまで連続的に延びることができるか、または、複数の開口セグメント２６７のような少なくとも２つを画定するように、第１端部２６５ａと第２端部２６５ｂとの間に区分することができる。少なくとも１つ、またはそれ以上すべてまでのセグメント２６７は、接地結合端部２７２と接地設置端部２７４との間の長手方向Ｌに沿って延びることができる。
【０１９７】
[０２５４] それぞれのセグメント２６７のそれぞれを有するリードフレーム開口２６５は、第１端部２６５ａから第２端部２６５ｂまでそれぞれの中央軸２６５ｃに沿って延長することができる。各開口２６５のそれぞれのセグメント２６７は、中央軸２６５ｃに沿って相互に整列することができる。各中央軸２６５ｃは、それぞれの間に延びることができ、選択した接地設置端部２７４と選択した接地との間に延びることができ、さらにそれらと整列することができる。少なくとも２つ、またはそれ以上すべてまでのリードフレーム開口２６５の中央軸２６５ｃは、相互に平行であることができる。
【０１９８】
[０２５５] 開口セグメント２６７は、電気信号接点２５２を支持するリードフレームハウジング本体２５７のそれぞれの部分によって分離することができる。リードフレームハウジング本体２５７の部分は、第１側部２５７ａに向かう第２側部２５７ｂから、例えば窪んだ表面２９７に延びることができ、かつ、窪んだ表面２９７を画定することができる。さらに、リードフレームハウジング本体２５７の部分は、信号接点２５２のそれぞれのものを保持するチャンネルを画定することができる。例えば、リードフレームハウジング本体２５７の部分は、信号接点２５２上に重ね成型することができ、さらにリードフレームアセンブリ２３０の構築の間に射出成形フローパスを画定することができる。開口セグメント２６７を有するリードフレーム開口２６５のそれぞれは、リードフレームハウジング本体２５７によって完全に取囲まれる周囲を画定することができる。代りに、少なくとも１つ、またはそれ以上の開口セグメント２６７を有するリードフレーム開口２６５の周囲は、リードフレームハウジング本体２５７の前方端部または底部端部で開口することができる。
【０１９９】
[０２５６] 上述されたように、リードフレーム開口２６５のそれぞれは、リブ２８４の１つ、および、隣接する信号対２６６間に配置されるギャップ２５９のそれぞれの１つと横方向Ａに沿って整列することができる。したがって、横方向Ａに沿って延びるラインは、信号接点２５２のどれも通り過ぎることなしに、リードフレーム開口２６５の１つ、リブ２８４の整列した１つ、およびギャップ２５９の整列した１つを通り過ぎることができる。さらに、１つの実施例によれば、リードフレームアセンブリ２３０は、リードフレーム開口２６５の１つ、リブ２８４の整列した１つ、およびギャップ２５９の整列した１つ、および信号接点２５２によって横方向Ａに沿って延びるラインを画定しない。１つの実施例によれば、リードフレーム開口２６５のそれぞれ、および、特に中央軸２６５ｃは、等距離でそれぞれの開口２６５と整列するギャップ２５９の対向する側面部に配置される差動信号対２６６の隣接するものの間で間隔を置くことができる。
【０２００】
[０２５７] リードフレーム開口２６５のそれぞれは、中央軸２６５ｃに沿う長さを画定することができる。例えば、リードフレーム開口２６５が、第１端部２６５ａから第２端部２６５ｂまで連続的に延びる場合、その長さは、中央軸２６５ｃに沿って第１端部２６５ａから第２端部２６５ｂまでの距離によって画定することができる。リードフレーム開口２６５が、セグメント２６７に区分される場合、その長さは、中央軸２６５ｃに沿って各開口２６５のすべてのセグメント２６７の距離の合計によって画定することができる。１つの実施例によれば、少なくとも１つ、またはそれ以上すべてまでのリードフレーム開口２６５の長さは、中央軸２６５Ｃに沿って測定されるようなリブ２８４の整列されたものの長さの、少なくとも半分、例えば大部分、例えば６０％より大きく、例えば７０％より大きく、例えば８０％より大きく、例えば９０%より大きく、１００％を含んでそれまでであることができる。
【０２０１】
[０２５８] プラスチックの誘電率が、空気の誘電率より大きいことは認識される。リードフレームハウジング２３２は、プラスチックから作ることができるので、リードフレーム開口２６５は、リードフレームハウジング２３２の誘電率未満である誘電率を画定する。リードフレーム開口２６５は、差動信号対２６６の隣接するものの間の端部クロストークを大きく縮小することが判明した。
【０２０２】
[０２５９] 今度は図２０を参照して、電気コネクタアセンブリ１０は、直角の電気コネクタアセンブリとして構成することができ、さらに、第１電気コネクタ１００、および直角のコネクタとして構成される第２電気コネクタ２００を有することができる。第１および第２電気コネクタ１００および２００は、もし他の方法で示されなかったならば、ここに記述された任意の実施例にしたがって構築することができる。例えば、第１電気コネクタ１００は、以下に記述されるような直角のコネクタとして構成することができる。第２電気コネクタ２００は、ここに記述されるような任意の代りの実施例にしたがって構築することができることは認識されるべきであるが、例えば、第２電気コネクタ２００は、図１２Ａに関して上述されたタイプの直角コネクタとして構成することができる。例えば、第２電気コネクタ２００は、垂直の電気コネクタとして構成することができる。したがって、電気接点２５０の結合端部、および各リードフレームアセンブリの電気接点２５０の設置端部は、相互にほぼ面内にあることができる。すなわち、各リードフレームアセンブリ２３０の電気接点２５０の結合端部は、第１平面にあることができ、さらに、電気接点２５０の設置端部、それぞれのリードフレームアセンブリ２３０は、第２平面にあることができ、また、第２平面および第１平面は、相互に少なくとも平行になることができ、相互にほぼ一致することができる。第１および第２平面は、横断方向Ｔおよび長手方向Ｌによって画定することができる。したがって、設置インタフェース２０４は、結合インタフェース２０２に関して直角に方向付けることができる。設置インタフェース２０４は、例えば、第２電気コネクタ２００が垂直のコネクタであるときは、ハウジング本体２０８の底部壁２０８ｄに隣接して配置することができる。設置インタフェース２０４は、例えば、第２電気コネクタ２００が、垂直のコネクタであるときは、ハウジング本体２０８の後部壁２０８ｂに隣接して配置することができる。
【０２０３】
[０２６０]電気信号接点２５２の結合端部２５６、および各リードフレームアセンブリ２３０の接地結合端部２７２を有する電気接点２５０の結合端部は、相互から一定間隔で配置することができ、そしてしたがって、結合インタフェース２０２で横断方向Ｔに沿って延びるそれぞれのリニアアレイ２５１に沿って配置することができる。結合インタフェース２０２でのリニアアレイ２５１は、したがって、ほぼ設置インタフェース２０４に垂直に方向付けすることができ、そしてしたがってさらにまた、第２電気コネクタ２００が設置されるように構成される第２基板３００ｂに垂直である。
【０２０４】
[０２６１] 図２０−２３Ｂを参照して、もし他の方法で示されなかったならば、ここに記述されるような任意の実施例にしたがって第１電気コネクタ１００を構築することができることは認識されるべきであるが、第１電気コネクタ１００は、ほぼ図９Ａに関して上述されたように、構築することができる。したがって、第１電気コネクタ１００は、総体の整列ビーム１２２として構成される総体の整列部材１２０ａ、および精密な整列ビーム１２８として構成される精密な整列部材１２０ｂを有することができる。
【０２０５】
[０２６２] 上に注目されたように、第１電気コネクタ１００は、直角のコネクタとして構成することができ、それによって、結合インタフェース１０２は、上述された方法のハウジング本体１０８の前方端部１０８ａに隣接して配置することができる。設置インタフェース１０４は、側面部の１つ、例えば、ハウジング本体１０８の第１側部１０８ｅに隣接して配置することができる。以下の記述から認識されるように、電気接点１５０の結合端部は、電気接点１５０の設置端部に関して平面外に位置することができる。例えば、各リードフレームアセンブリ１３０の電気接点１５０の結合端部は、第１平面にあることができ、それぞれのリードフレームアセンブリの電気接点１５０の設置端部は、第２平面に位置することができ、さらに、第２平面および第１平面は、相互に関して直角であることができる。例証された実施例によれば、第１平面は、横断方向Ｔおよび長手方向Ｌによって画定され、さらに、第２平面は、横断方向Ｔおよび横方向Ａによって画定される。
【０２０６】
[０２６３] したがって、設置インタフェース１０４および２０４は、それぞれの第１および第２基板３００ａおよび３００ｂに設置されるように構成され、さらに第１および第２コネクタ１００および２００は、それらのそれぞれの結合インタフェース１０２および２０２で相互に直接に結合するように構成される。代りに、図２５に関して以下に記述されるように、第１および第２電気コネクタ１００および２００は、中央平面アセンブリを介して間接的に相互に結合することができる。
【０２０７】
[０２６４] 例証された実施例によれば、電気信号接点１５２の結合端部１５６および各リードフレームアセンブリ１３０の接地結合端部１７２を有する各リードフレームアセンブリ１３０の電気接点１５０の結合端部は、相互から一定間隔で配置することができ、そしてしたがって、結合インタフェース１０２で横断方向Ｔに沿って延びるそれぞれのリニアアレイ１５１に沿って配置することができる。リニアアレイ１５１は、結合インタフェース１０２での横方向Ａに沿って相互から一定間隔で配置される。しかしながら、第２電気コネクタ２００のリニアアレイ２５１とは対照的に、リニアアレイ１５１は、設置インタフェース１０４とほぼ平行に方向付けられ、さらに、したがって、第１電気コネクタ１００が設置される第２基板２００ｂもまた、ほぼ平行である。したがって、認識されるべきことは、第１および第２電気コネクタ１００および２００が、それぞれの第１および第２基板３００ａおよび３００ｂに設置され、相互に結合するときは、第２基板３００ｂは、第１基板３００ａに関して直角に方向付けされることである。さらに、第１電気コネクタ１００が対称的であり、９０度の直角の適用または２７０度の直角の適用において使用することができることは、認識されるべきである。換言すれば、第１電気コネクタ１００は、中立位置からそれぞれの、第１または第２位置までの時計方向、または半時計方向の両方に、選択的に第２電気コネクタ２００に関して９０度方向付けされ、さらに、続いて第１または第２位置のいずれかにおける第２電気コネクタに結合することができる。
【０２０８】
[０２６５] リードフレームアセンブリ１３０は、結合インタフェース１０２での横方向Ａに沿って、および設置インタフェース１０４での長手方向Ｌに沿って、相互から一定間隔で配置される。信号接点１５２の結合端部１５６、および、各リードフレームアセンブリ１３０の接地結合端部１７２は、リニアアレイ１５１、または横断方向Ｔに沿って離れて間隔を置かれ、さらに、各リードフレームアセンブリ１３０の信号接点１５２の接地端部１５８および接地設置端部１７４は、また同じ横断方向Ｔに沿って離れて間隔を置かれる。リードフレームアセンブリ１３０の隣接するものの対の一方は、リードフレームアセンブリ１３０の隣接するものの対の他方内に嵌まり込むことができ、それはリードフレームアセンブリ１３０の隣接するものの対の他方の電気接点１５０が、外方に、例えば、長手方向Ｌおよび横方向Ａに沿ってリードフレームアセンブリ１３０の隣接する物の対の一方の電気接点１５０に関して、配置されるようなものである。図２３Ｂにおいて例証されるように、リードフレームアセンブリ１３０は、さらに、リードフレームハウジング１３２から外に延び、かつ、少なくとも１つ、またはそれ以上すべてまでのそれぞれの電気接点１５０の設置端部を当接する接点支持突出部１７７を有することができる。例えば、突出部は、電気信号接点１５２の設置端部１５８に当接することができる。
【０２０９】
[０２６６] 今度は図２４Ａ-２５Ｂを参照して、コネクタハウジング１０６は、任意の適切な誘電体から作ることができ、かつ、横方向Ａに沿って相互から一定間隔で配置される３補完的ポケット１８５を画定する。ポケット１８５のそれぞれは、長手方向Ｌに沿うリードフレームアセンブリ１３０のそれぞれのものの少なくとも１つの部分を受けるように寸法採りすることができ、それは、信号接点１５２の結合端部１５６、および接地結合端部１７２が、それぞれのポケット１８５から前方に延びるようなものである。特に、接地プレート１６８およびリードフレームハウジング１３２を有するリードフレームアセンブリ１３０は、結合部分１８６ａ、設置部分１８６ｂ、および設置部分１８６ｂから結合部分１８６ａを分離する９０度の曲がっている領域１８６ｃを画定するように曲げることができ、それは、結合および設置部分１８６ａおよび１８６ｂが、相互に関してほぼ垂直に方向付けられるようなものである。曲がっている領域１８６ｃは、リニアアレイ１５１とほぼ平行な軸芯に関して曲がっていることができる。
【０２１０】
[０２６７] リードフレームアセンブリ１３０のそれぞれのものの結合部分１８６ａは、曲がっている領域１８６ｃと電気接点１５０の結合端部との間の長手方向Ｌに沿う長さを画定することができる。リードフレームアセンブリ１３０のそれぞれのものの長さは、各リードフレームアセンブリ１３０の結合および設置部の位置が、さらに、それぞれに、リードフレームアセンブリ１３０の他方のものに関して、結合インタフェース１０２および設置インタフェース１０４から間隔を置くとともに、増加することができる。さらに、リードフレームアセンブリ１３０のそれぞれのものの設置部１８６ｂは、曲がっている領域１８６ｃと電気接点１５０の設置端部との間の横方向Ａに沿う長さを画定することができる。リードフレームアセンブリ１３０のそれぞれのものの長さは、各リードフレームアセンブリ１３０の結合および設置部の位置が、さらに、結合インタフェース１０２および設置インタフェース１０４から一定間隔で配置されるとともに、増加することができる。したがって、さらに認識されるべきことは、リードフレームアセンブリ１３０の曲がっている領域１８６ｃは、リードフレームアセンブリ１３０が、さらに、それぞれに、結合インタフェース１０２および設置インタフェース１０４から間隔を置かれるとともに、結合インタフェース１０２および設置インタフェース１０４の両方からますます間隔を置かれる。
【０２１１】
[０２６８] 今度は図２５を参照して、上述されたように、第１および第２電気コネクタ１００および２００は、例えば、それぞれの結合インタフェース１０２および２０２で相互に直接結合することができる。したがって、電気接点１５０および２５０は、それらのそれぞれの結合端部で相互に物理的にかつ電気的に接続することができる。代りに、電気コネクタアセンブリ１０は、プリント回路板であることができ、中央平面として構成することができる第３基板３００ｃ、および、垂直の電気コネクタであることができ、この中央平面を介して相互と電気通信するように置かれるように、第３基板３００ｃに設置されるように構成される第１および第２中央平面の電気コネクタ１００'および２００'を有する中央平面アセンブリ１７５を有することができる。第１中央平面電気コネクタ１００'は、第１電気コネクタ１００と結合するように構成され、さらに、第２電気コネクタ２００'は、中央平面を介して相互に電気通信する第１および第２電気コネクタ１００および２００を置くように第２電気コネクタ２００と結合するように構成される。第１および第２中央平面電気コネクタ１００'および２００'は、もし他の方法で示されなかったならば、第１および第２電気コネクタ１００および２００に関してここに記述された任意の実施例にしたがって構築することができる。第１および第２中央平面電気コネクタ１００'および２００'の電気接点１５０'および２５０'の設置端部は、中央平面を介して相互に第１および第２中央平面電気コネクタ'１００および２００'を電気的に接続するように中央平面を介して延びる共通のバイアの対向する端部に延びる。中央平面電気コネクタ１００'および２００'は、それぞれの補完的総体の整列アセンブリ１２０ａおよび２００ａをそれぞれに、および、上述された方法で結合するために電気コネクタを整列するように、それぞれの補完的精密な整列アセンブリ１２０ｂおよび２００ｂをそれぞれに有することができる。
【０２１２】
認識されるべきことは、中央平面コネクタ１００'および２００'の電気接点１５０'および２５０'の結合端部は、上述されたタイプのレセプタクル結合端部としてを構成することができることである。同様に、中央平面コネクタ１００'および２００'の電気接点１５０'および２５０'の結合端部は、第１および第２電気コネクタ１００および２００が、第１および第２中央平面コネクタ１００'および２００'とそれぞれに結合するときに、電気接点１５０'および２５０'の結合端部と結合するように、上述されたタイプのレセプタクル結合端部として構成することができる。
【０２１３】
[０２６９] 電気コネクタアセンブリ１０は、図２０Ａ-２５に関して上述されたように、一実施例によれば直角のコネクタアセンブリとして構成することができる一方で、心に描かれることは、第１および第２電気コネクタ１００および２００のいずれか、または両方は、それぞれに、直角の第１および第２基板３００ａおよび３００ｂを相互に電気通信するように第１および第２電気コネクタの他方と結合するように構成される直角のコネクタとして構成することができることである。しかしながら、図２６Ａ-Ｅにおいて例証されるように、さらに認識されることは、第１および第２電気コネクタ１００および２００のいずれか一方、または両方が、直接結合の直角のコネクタとして参照される直角のコネクタとして構成することができることである。直接結合の直角のコネクタは、それぞれの第１または第２基板３００ａ-ｂに設置されるように構成することができ、さらに直接、第１または第２基板３００ａ-ｂの他方に結合するように構成することができる。
【０２１４】
[０２７０] 例えば、第１電気コネクタ１００は、上述されたタイプ、例えば、図２Ａに関して上述されたタイプの直角の電気コネクタとして例証される。コネクタハウジング１０６は、横方向Ａに沿って相互から離れて一定間隔で配置される少なくとも１対の第１および第２リードフレームアセンブリ１３０を支持することができる。リードフレームアセンブリ１３０のそれぞれは、上述されたように構成され、さらに、特には、それぞれの結合端部１５６および設置端部１５８を画定する電気信号接点１５２を含んで、リードフレームハウジング１３２、および電気接点１５０を有することができ、さらに、上述されたように、リードフレームハウジング１３２によって支持された接地結合端部１７２および接地設置端部１７４を有することができる。各リードフレームアセンブリの設置端部１５８および接地設置端部１７４は、長手方向Ｌに沿って相互から一定間隔で配置することができる。第１電気コネクタ１００は、ここに記述されるような設置インタフェース１０４での第１基板３００ａに設置されるように構成され、それは、設置端部１５８および接地設置端部１７４が、第１基板３００ａとの電気通信するように置かれるようなものである。コネクタハウジング１０６は、第１基板３００ａに第１電気コネクタ１００を固定するように第１基板本体３００ａにさらに打ち込むことができるねじのようなそれぞれのファスナ３０６を受けるように構成されるハウジング本体１０８を介して延びる、少なくとも１つ、またはそれ以上の開口３０５を有することができる。
【０２１５】
[０２７１] 各リードフレームアセンブリ１３０の結合端部１５６および接地結合端部１７２は、横断方向Ｔに沿って方向付けされることができる、それぞれのリニアアレイ１５１に沿って相互から一定間隔で配置することができる。例えば、上述されたように、電気信号接点１５２は、凹面の内部表面１５３ａであって、側面部の一方で画定することができるもの、および凸面１５３ｂであって、側面部の他方で画定することができるものを画定することができる。凹面および凸面１５３ａ-ｂは、それぞれに、結合端部１５６で画定することができる。同様に、接地結合端部１７２は、凹面の表面１８１ａであって、側面部の一方で画定することができるもの、および、凸面の表面１８１ｂであって、側面部の他方で画定することができるものを画定することができる。コネクタハウジング１０６は、ハウジング本体１０８の前方端部１０８ａに延びるレセプタクル１０９を画定することができる。
【０２１６】
[０２７２] レセプタクル１０９は、横方向Ａに沿って相互から一定間隔で配置されるハウジング本体１０８のそれぞれの内部の外側面部１０９ａおよび１０９ｂによって横方向Ａに沿って画定することができる。内部の外側面部１０９ａおよび１０９ｂは、横方向Ａに沿って相互から離れて一定間隔で配置された第１対の表面を画定することができる。それぞれに例証されるように、内部の外側面部１０９ａおよび１０９ｂは、第１および第２側壁１０８ｅおよび１０８ｆによってそれぞれ画定することができるか、または、第１および第２側壁１０８ｅおよび１０８ｆから一定間隔で配置される他の壁によって画定することができる。レセプタクル１０９は、横断方向Ｔに沿って相互から一定間隔で配置されるハウジング本体１０８のそれぞれの内部の横断方向表面１０９ｃおよび１０９ｄによって横断方向Ｔに沿って画定することができる。内部の横断方向表面１０９ｃおよび１０９ｄは、横断方向Ｔに沿って相互から離れて一定間隔で配置された第２対の表面を画定することができる。内部の横断方向表面１０９表面ｃおよび１０９ｄは、例証されるように、それぞれに、頂部壁および底部壁１０８ｃおよび１０８ｄのようなそれぞれの第１および第２壁によって画定することができ、または、頂部壁および底部壁か１０８および１０８ｄから一定間隔で配置される他の壁によって、画定することができる。１つまたは内部の外側面部１０９ａ-ｂの１つ、または両方は、それらが結合方向Ｍに沿って前方に延びるとともに、内部の外側面部１０９ａ-ｂの他方から離れて面取りすることができる。それらが結合方向Ｍに沿って前方に延びるとともに、内部の横断方向の表面１０９ｃ-ｄの一方または両方は、内部の横断方向表面１０９ｃ-ｄの他方から離れて面取りすることができる。
【０２１７】
[０２７３] レセプタクル１０９は、対のリードフレームアセンブリ１３０のリードフレームアセンブリ１３０間、およびしたがって、リードフレームアセンブリ１３０によって画定された第１および第２リニアアレイ１５１間の横方向Ａに沿って画定されたギャップ１６３と整列することができる。ギャップ１６３は、少なくとも部分的に、結合端部１５６および接地結合端部１７２によって、さらに、特に、それぞれに、結合端部１５６および接地結合端部１７２の凸面表面１５３ｂおよび１８１ｂによって、画定することができる。レセプタクル１０９は、ハウジング本体１０８の対向する内部横断方向表面１０９ｃおよび１０９ｄの間に横断方向Ｔに沿って延びることができる。
【０２１８】
[０２７４] 第２基板３００ｂは、それぞれに、対向する側部３０２ａおよび３０２ｂの間に延びる１対の対向する側部３０２ａおよび３０２ｂ、および、対向する第１および第２接点表面３０２ｃおよび３０２ｄを画定する基板本体３０１を有することができる。基板本体３０１は、  １）対向する側部３０２ａおよび３０２ｂが横断方向Ｔに沿って、相互から一定間隔で配置される、および、  ２)対向する表面３０２ｃおよび３０２ｄが、それぞれ、横断方向Ｔおよび長手方向Ｌによって画定されるそれぞれの平面に沿って方向付けられるときに、レセプタクル３０９に挿入されるように構成され、それは、接点表面３０２ｃおよび３０２ｄが横方向Ａに沿って相互から一定間隔で配置されるようなものである。基板本体３０１は、さらに主要端部３０２ｅを画定し、それは、接点表面３０２ｃおよび３０２ｄ間で接続される基板本体３０１および３０２ｄの端縁によって画定することができる。主要端部３０２ｅの少なくとも１つの部分は、第１電気コネクタ１００を第２基板３００ｂと結合するようにレセプタクル１０９内に挿入されるように構成される。第２基板本体３００ｂは、さらに、基板本体３０１によって保持される、例えば、主要端部３０２ｅで対向する接点表面３０２ｃおよび３０２ｄの少なくとも一方または両方によって保持される、複数の電気接点パッド３０３を画定することができる。電気接点パッド３０３は、信号接点パッド３０３ａおよび接地接点パッド３０３ｂを有することができる。
【０２１９】
接点パッド３０３は、第２基板３００ｂの電気トレースと電気通信する。
【０２２０】
[０２７５] 主要端部３０２ｅの少なくとも一部分が、結合方向Ｍに沿ってレセプタクル１０９内に挿入されるときに、第１表面３０２ｃによって保持される信号接点パッド３０３ａは、第１リードフレームアセンブリ１３０の信号接点１５２の結合端部１５６と、例えば、凹面表面１５３ｂで接触して、そしてしたがって電気通信するように置かれる。さらに、第２表面３０２ｄによって保持される信号接点パッド３０３ａは、信号接点１５２の結合端部１５６と、例えば、第２リードフレームアセンブリ１３０の凹面表面１５３ｂで接触し、そしてしたがって、電気通信するように置かれる。同様に、主要端部３０２ｅの少なくとも１つの部分が結合方向Ｍに沿ったレセプタクル１０９内に挿入されるときに、第１表面によって３０２ｃによって保持される接地接点パッド３０３ｂは、第１リードフレームアセンブリ１３０の接地結合端部１７２と、例えば、凹面の表面１８１ｂで、接触し、およびしたがって電気通信するように置かれる。さらに、第２表面３０２ｄによって保持される接地接点パッド３０３ｂは、第２リードフレームアセンブリ１３０の接地結合端部１７２と、およびしたがって接地結合端部１７２と、例えば、凹面の表面１８１ｂで、接触し、およびしたがって電気通信するように置かれる。したがって、接点パッド３０３は、第２基板３００ｂと電気通信するように第１基板３００ａを置くように、第１および第２リードフレームアセンブリ１３０のそれぞれのような少なくとも１つのリードフレームアセンブリの電気接点１５０の結合端部のそれぞれのものと接触し、そしてしたがって、電気通信するように置かれる。接地接点パッド３０３ｂは、信号接点パッド３０３ａより長くなることができ、そしてしたがって、信号接点パッド３０３ａが、結合端部１５６と結合する前に、接地結合端部１７２と結合するように構成することができる。
【０２２１】
[０２７６] 第２基板３００ｂは、第１接点表面３０２ｃから、横方向Ａに沿う第２接点面３０２ｄに、長手方向Ｌに沿って主要端部３０２ｅに延びる１対のスロット３０４のような少なくとも１つのスロットを有することができる。
【０２２２】
スロット３０４は、接点パッドがスロット３０４間に配置されるように、位置することができる。スロット３０４は、内部の横断方向の表面１０９ｃおよび１０９ｄ、例えば、頂部および底部壁１０８ｃおよび１０８ｄを画定する第１および第２壁の厚さと少なくとも等しい横断方向Ｔに沿う厚さを画定することができる。したがって、頂部および底部壁１０８ｃおよび１０８ｄは、第２基板３００ｂがレセプタクル１０９内に挿入されるとともに、スロット３０４に受けられるように寸法採りされる。したがって、スロット３０４および頂部および底部壁１０８ｃおよび１０８ｄは、接点パッド３０３が、ギャップ１６３内に挿入される前に、電気接点１５０の結合端部で接点パッド３０３と整列するように構成される第２基板３００ｂおよび第１電気コネクタ１００のそれぞれの整列部材としてそれぞれ構成することができる。
【０２２３】
[０２７７] 今度は図２７-３０を参照すると、電気コネクタアセンブリ２０は、第１電気コネクタ１００と結合し、かつ複数のケーブル５００に設置されるように構成されたケーブルコネクタであることができる、第１電気コネクタ１００および第２電気コネクタ４００を有することができる。第１および第２電気コネクタ１００および４００は、第２電気コネクタ４００と電気通信するように第１電気コネクタ１００を置くように結合することができる。認識されるべきことは、任意の１つまたはそれ以上すべてまでの、ここに記述された第１および第２電気コネクタ１００および２００は、望まれるようなケーブルコネクタとして構成することができることである。例証された実施例によれば、第１電気コネクタ１００は、上述された方法で第１基板３００ａとの電気通信するように置かれるように第１基板３００ａに設置されるように構成することができる。第２電気コネクタ４００は、複数のケーブル５００との電気通信するように置かれるように複数のケーブル５００に設置されるように構成することができ、それによって、複数のケーブル５００に設置される第２電気コネクタ４００を有するケーブルアセンブリを画定する。
【０２２４】
[０２７８] 第１および第２電気コネクタ１００および４００は、第１および第２電気コネクタ１００および４００によって複数のケーブル５００と電気通信するように第１基板３００ａを置くように相互に結合することができる。例証された実施例によれば、第１電気コネクタ１００は、垂直の電気コネクタとして構成され、さらに、第２電気コネクタ４００は、結合インタフェース４０２とほぼ直角に方向付けされる結合インタフェース４０２および接地インタフェース４０４を画定する垂直の電気コネクタとして構築することができる。認識されるべきことは、もちろん、いずれかの、または両方の第１および第２電気コネクタ１００および４００が、直角のコネクタとして構成されることができ、それによって、結合インタフェースが、設置インタフェースに関してほぼ垂直に方向付けられることである。
【０２２５】
[０２７９] 第２電気コネクタ４００は、誘電体または電気絶縁ハウジング４０６および４０６を収容するコネクタに支持される複数の電気接点４５０を収容するコネクタを有することができる。複数の電気接点４５０は、信号接点４５２および接地接点４５４のそれぞれの複数を有することができる。以下により詳細に記述されるように、第２電気コネクタ４００は、コネクタハウジング４０６によって支持される複数のリードフレームアセンブリ４３０を有することができる。各リードフレームアセンブリ４３０は、誘電性、または、電気絶縁性のリードフレーム４３２、リードフレームハウジング４３２によって支持される複数の電気接点４５２、および圧縮シールド４９０を有することができる。
【０２２６】
[０２８０] 例証された実施例によれば、各リードフレームアセンブリ４３０は、リードフレームハウジング４３２によって支持される複数の信号接点４５２を有し、さらに接地接点４５４は、電気伝導性の接地プレート４６８として構成される。信号接点４５２は、リードフレームアセンブリ４３０が、インサート成形されたリードフレームアセンブリ(ＩＭＬＡ)として構成されるように、誘電性のリードフレームハウジング４３２によって重ね成型することができるか、または、リードフレームハウジング４３２内に止められるか、または、そうでなければ、リードフレームハウジング４３２によって支持することができる。接地プレート４６８は、誘電体ハウジング４３２に取付けることができる。
【０２２７】
第１および第２電気コネクタ１００および４００は、結合し、さらに相互の結合方向Ｍから離脱するように構成することができる。各リードフレームアセンブリ４３０の結合端部４５６および設置端部４５８を有する信号接点４５２は、縦列方向に沿って相互から一定間隔で配置される。リードフレームアセンブリ４３０は、コネクタハウジング４０６における横方向Ａに沿って一定間隔で配置することができる。
【０２２８】
[０２８１]リードフレームハウジング４３２は、横方向Ａに沿って延びる正面壁４３６を画定し、さらに、横方向Ａに沿って相互から離れて一定間隔で配置される、対向する第１および第２端部４３６ａおよび４３６ｂを画定するハウジング本体４３４を有する。この正面壁４３６は、信号接点４５２を少なくとも部分的に支持するように構成することができる。例えば、例証された実施例によれば、信号接点は、信号接点４５２が、第１および第２端部４３６ａおよび４３６ｂの間に配置されるような正面壁４３６によって支持される。リードフレームハウジング４３２は、さらに、それぞれに、長手方向Ｌに沿って正面壁４３６から後方に延びる第１および第２取付アーム４３８および４４０を画定することができる。以下により詳細に記述されるように、第１および第２取付アーム４３８および４４０は、接地プレート４６８または圧縮シールド４９０の少なくとも一方または両方のための取付位置選定として作動することができる。第１取付アーム４３８は、第２端部４３６ｂに対してよりも正面壁４３６の第１端部４３６ａにより近く、例えば、ほぼ第２端部４３６ｂに配置することができる。同様に、第２取付アーム４４０は、第１端部４３６ａに対してよりも正面壁４３６の第２端部４３６ｂにより近く、例えば、ほぼ第２端部４３６ｂに配置することができる。
【０２２９】
[０２８２] 今度は図３０を参照して、複数のケーブル５００のそれぞれは、１対の信号搬送導体５０２のような少なくとも１つの信号搬送導体５０２、および、対の信号搬送導体５０２のそれぞれを取囲む電気絶縁層５０４を有することができる。各ケーブルの電気絶縁層５０４は、ケーブル５００の導体５０２の一方によってケーブル５００の導体５０２の他方に伝達されたクロストークを縮小することができる。ケーブル５００のそれぞれは、さらに、ケーブル５００のそれぞれの絶縁層５０４の両方を取囲む電気伝導性の接地ジャケット５０６を有することができる。接地ジャケット５０６は、ケーブル５００が設置される補完的電気部品のそれぞれの接地層に接続することができる。例えば、例証された実施例によれば、複数のケーブル５００のそれぞれの接地ジャケット５０６は、接地プレート４６８と接触するように配置することができる。ある実施例によれば、接地ジャケット５０６は、ドレイン線を保持することができる。ケーブル５００のそれぞれは、さらに、電気絶縁性で、かつ、それぞれの接地ジャケット５０６を取囲む外部層５０８を有することができる。外部層５０８は、それぞれのケーブル５００によって複数のケーブル５００の他の１つに伝達されたクロストークを縮小することができる。絶縁性の外部層５０４および５０８は、プラスチックのような任意の適切な誘電体から構成することができる。導体５０２は、銅のような任意の適切な電気伝導性材料から構成することができる。例証された実施例にしたがって、各ケーブル５００、および特に各ケーブル５００の外部層５０８は、横方向Ａに沿う第１横断面の寸法Ｄ５、および、横断方向Ｔに沿う第２横断面の寸法Ｄ６を画定することができる。
【０２３０】
[０２８３] 複数のケーブル５００のそれぞれは、リードフレームアセンブリ５３０と電気通信するケーブル５００を置くようにリードフレームアセンブリ５３０に設置されるか、またはそうでなければそれに取付けられるように構成することができる端部５１２を有することができる。例えば、各ケーブル５００の端部５１２は、各信号搬送導体５０２のそれぞれの部分が露出されるように構成することができ、この各信号搬送導体５０２の露出した部分は、リードフレームアセンブリ５３０に電気的に接続することができるそれぞれの信号導体端部５１４を画定する。例えば、絶縁外部層５０４および５０８、ならびに各ケーブル５００の接地ジャケット５０６のそれぞれの部分は、信号導体端部５１４を露出するように端部５１２でそれぞれの信号搬送導体５０２から除去することができる。絶縁外部層５０４および５０８、ならびに各ケーブル５００の接地ジャケット５０６のそれぞれの部分は、各信号導体端部５１４が、長手方向Ｌに沿ってそれぞれ延びるそのような、絶縁外部層５０４および５０８、ならびに接地ジャケット５０６から外方に延びるように除去することができる。代りに、複数のケーブル５００は、それぞれの信号搬送導体５０２が、信号導体端部５１４を露出するように各ケーブル５００の端部５１２で絶縁外部層５０４および５０８、ならびに接地ジャケット５０６から長手方向に外方に延びるように製造することができる。さらに、各ケーブル５００の導体端部５１６の後方の外部層５０８の一部は、除去することができ、それによって、各ケーブル５００の接地ジャケット５０６のそれぞれの露出した一部５０７を画定する。代りに、複数のケーブル５００は、接地ジャケット５０６の露出した部分５０７を画定するように除去された外部層５０８の少なくとも１つの部分で製造することができる。
【０２３１】
[０２８４] 図２７−３０を再度参照して、信号接点４５２は、結合インタフェース４０２に沿って延びるそれぞれの結合端部４５６、および設置インタフェース４０４に沿って延びる設置端部４５８を画定する。信号接点４５２は、垂直の接点として構築することができ、それによって結合端部４５６および結合端部４５８は、相互にほぼ平行に方向付けされる。各信号接点４５２は、１対の対向する側面部４６０、および対向する側面部４６０間に延びる１対の対向する端縁４６２を画定することができる。対向する端縁４６２は、第１距離Ｄ１、離れて間隔を置くことができる。各信号接点４５２の結合端部４５６は、曲がった先端４６４を画定するレセプタクル結合端部として構築することができる。信号接点４５２は、対４６６に配置することができ、それは端部結合の差動信号対を画定することができる。空気またはプラスチックのような任意の適切な誘電体材料は、相互から信号接点４５２を分離するように使用することができる。設置端部４５８は、複数のケーブル５００のそれぞれのものの信号導体端部５１４を受けるように構成された各設置端部４５８を、ケーブル導体接地端部として設けることができる。第１基板３００ａは、配線盤電気部品、中央平面電気部品、ドーターカード電気部品アセンブリ、またはそれに類するものとして設けることができる。この点に関して、電気コネクタアセンブリ２０は、配線盤の電気コネクタアセンブリとして設けることができる。
【０２３２】
[０２８５] 結合インタフェース４０２が、設置インタフェース４０４とほぼ平行に方向付けられるので、第２電気コネクタ４００は、第１電気コネクタ１００に、そして第１基板３００ａのような第１補完的電気部品に複数のケーブル５００の対向する端部に電気的に接続された補完的電気部品のような第３の補完的電気部品を電気的に接続するように任意の望まれる配置にしたがって構築することができることは認識されるべきであるが、第１電気コネクタ４００は、垂直のコネクタとして参照することができる。例えば、第２電気コネクタ４００は、垂直、または中二階コネクタ、または望まれるような直角のコネクタとして構築することができる。
【０２３３】
[０２８６] 接地プレート４６８は、プレート本体４７０、および長手方向Ｌに沿ってプレート本体４７０から前方に延びる複数の接地結合端部４７２を有する。接地結合端部４７２は、横断方向Ｔに沿って整列する。各接地結合端部４７２は、１対の対向する側面部４７６、および対向する側面部４７６間に延びる１対の対向する端４７８を画定することができる。対向する端縁４７８は、横断方向Ｔに沿って第２距離Ｄ２、離れて間隔を置くことができる。各接地結合端部４７２は、曲がった先端４８０を画定するレセプタクル接地結合端部として構築することができる。各接地の結合端部４７２のような少なくとも１つのものは、横方向Ａに沿って接地結合端部４７２を通って延びる開口４８２を画定することができる。開口４８２は、補完的電気コネクタ、例えば第１電気コネクタ１００の接地結合端部１７２の補完的電気接点における接地結合端部４７２によって及ぼされる垂直力の量を制御するように寸法採りし、かつ形作ることができる。例証された実施例の開口４８２は、長手方向Ｌに細長い、丸くされた端部を有するスロットとして構築される。しかしながら、接地結合端部４７２が、代りに、望まれるような任意の他の適切な開口構造によって構成することができることは、認識されるべきである。
【０２３４】
[０２８７] プレート本体４７０は、内部表面の４７０ａを画定することができる第１プレート本体表面、および、接地プレート４６８の本体の第２または外部表面４７０ｂを画定することができる対向する第２プレート本体表面を画定する。外部表面２７０ｂは、横方向Ａに沿って内部表面４７０ａから一定間隔で配置される。内部表面の４７０ａは、接地プレート４６８がリードフレームハウジング４３２に取付けられるときに、複数のケーブル５００に面する。接地プレート４６８は、さらに、リードフレームハウジング４３２が、第１および第２側壁４６７および４６９の間にきちんと嵌まるように、例えば、接地プレート４６８に向かってリードフレームハウジング４３２を押圧することによって、リードフレームハウジング４３２は、締まり嵌めにおける第１および第２側壁４６７および４６９の間に受けることができるように、横断方向Ｔに沿って相互から離れて一定間隔で配置される対向する第１および第２側壁４６７および４６９を有することができる。第１および第２側壁４６７および４６９のそれぞれは、リードフレームアセンブリが、コネクタハウジング４０６内に挿入されるときに、横断方向Ｔに沿って接地プレート４６８コネクタに支持されるように構成された翼４７１から外方に延びる翼４７１を有することができる。接地プレート４６８は、金属のような任意の適切な電気伝導性材料から形成することができる。
【０２３５】
[０２８８] 信号接点４５２の結合端部４５６、および接地プレート４６８の接地結合端部４７２は、それぞれに、レセプタクル結合端部およびレセプタクル接地結合端部として設けられるので、第２電気コネクタ４００は、例証されるようにレセプタクルコネクタとして参照することができる。例証された実施例によれば、各リードフレームアセンブリ４３０は、５つの接地結合端部４７２、および９つの信号接点４５２を画定する接地プレート４６８を有することができる。９つの信号接点４５２は、保存された第９の信号接点４５２とともに、端縁結合差動信号対として構成された信号接点４５２の４対４６６を有することができる。各リードフレームアセンブリ４３０の信号接点４５２の接地結合端部４７２および結合端部４５６は、縦列方向に沿って延びる縦列に配置することができる。差動信号対は、連続の接地端部４７２間に配置することができ、かつ第９の信号接点４５２は、縦列の終端に接地結合端部４７２の１つと隣接して配置することができる。
【０２３６】
[０２８９] 複数のリードフレームアセンブリ４３０のそれぞれは、第１構成にしたがって設けられる複数の第１リードフレームアセンブリ４３０、および、第２構成にしたがって設けられる複数の第２リードフレームアセンブリ４３０を有することができる。第１構成にしたがって、第１リードフレームアセンブリ４３０の第９の信号接点４５２は、電気接点４５０の縦列の上方端部に配置される。第２構成にしたがって、第２リードフレームアセンブリ４３０の第９の信号の接点４５２は、電気接点４５０の縦列の下方端部に配置される。認識されるべきことは、第１および第２リードフレームアセンブリ４３０のそれぞれのリードフレームハウジング４３２は、ほぼ同様に、しかし第１および第２リードフレームアセンブリ４３０内の電気接点４５０のそれぞれの構成のための、そして、それぞれの接地プレート４６８の構成のための、異なる構造的な相違で構築することができることである。さらに認識されるべきことは、例証された接地プレート４６８は、第１リードフレームアセンブリ４３０を備えた使用のために構成されること、さらには、第２リードフレームアセンブリ４３０を備えた使用のために構成された接地プレート４６８は、第１リードフレームアセンブリ４３０を備えた使用のために構成された接地プレート４６８のものとは異なるプレート本体４７０に沿う位置で端部結合端部４７２を画定することができることである。
【０２３７】
[０２９０] 圧縮シールド４９０は、ケーブル５００の接地ジャケット５０６の露出した部分を圧縮して接地プレート４６８と接触するように圧縮するようにリードフレームハウジング４３２に取付けられるように構成することができる。圧縮シールド４９０は、複数のケーブル５００の各他のケーブル５００から各ケーブル５００を分離するように構成することができる。圧縮シールド４９０は、横断方向Ｔに沿って外側端部４９２ａから一定間隔で配置される外側端部４９２ａおよび内側端部４９２ｂ、そして、横断方向Ｔに沿って相互から離れて一定間隔で配置される、対向する第１および第２側部４９２ｃおよび４９２ｄを画定するシールド本体４９２を有することができる。圧縮シールド４９０は、内側端部４９２ｂが、外側端部４９２ａよりも接地プレート４６８に接近して一定間隔で配置されるようにリードフレームハウジング４３２に取付けられるように構成される。圧縮シールド４９０が、リードフレームハウジング４３２に取付けられているときに、シールド本体４９２の内側端部４９２ｂは、接地プレート４６８に面することができる。例証された実施例によれば、圧縮シールド４９０が、リードフレームハウジング４３２に取付けられるときに、シールド本体４９２の少なくとも一部分の内側端部４９２ｂは、接地プレート４６８に当接することができる。
【０２３８】
[０２９１] 各圧縮シールド４９０のシールド本体４９２は、横断方向Ｔに沿って相互から離れて一定間隔で配置される複数のほぼ「Ｕ」形状のキャノピー４９４を画定することができる。各キャノピー４９４は、ケーブル５００が、データ信号を搬送するときに、例えば、ケーブル５００間の電気クロストークを縮小するように、空洞（cavity）のそれぞれ隣接するものに配置される複数のケーブル５００の他のもののそれぞれの端部５１２からケーブル５００のそれぞれのものの端部５１２を受けて、分離するように構成される。例証された実施例によれば、各キャノピー４９４は、横方向Ａに沿って内側端部４９２ｂから一定間隔で配置される頂部壁４９７、および、横断方向Ｔに沿って相互から離れて一定間隔で配置される対向する第１および第２側壁４９３および４９５を有している。圧縮シールド４９０は、リードフレームハウジング４３２の第１および第２取付アーム４３８および４４０に取付けられるように構成される取付部材４９８を有することができる。取付部材４９８は、シールド本体４９２の第１および第２側部４９２ｃおよび４９２ｄで配置することができる。取付部材４９８は、同一のもの、または、異なるように形作ることができる。
【０２３９】
[０２９２] 頂部壁４９７は、シールド本体４９２の内側端部４９２ｂに面する内部表面４９７ａを画定することができる。内部表面４９７ａは、内側端部４９２ｂから、複数のケーブル５００のそれぞれの第２横断面の寸法Ｄ６未満である横方向Ａに沿う距離Ｄ７離れて、一定間隔で配置することができる。第１および第２側壁４９３および４９５は、複数のケーブル５００のそれぞれの横断面の寸法Ｄ５より大きい、相互から横断方向Ｔに沿う距離Ｄ８、離れて一定間隔で配置することができ、それは、キャノピー４９４のそれぞれが、複数のケーブル５００の少なくとも１つを受けるように構成されるようなものである。距離Ｄ８は、複数のケーブル５００の隣接するものの１対の結合した横断面の寸法未満であることができ、それは、圧縮シールド４９０がリードフレームハウジング４３２に取付けられるときに、キャノピー４９４のそれぞれが、単一のケーブル５００だけを受けるようなものである。認識されるべきことは、例証された圧縮シールド４９０が、第１リードフレームアセンブリ４３０を備えた使用のために構成されることであり、さらに、第２リードフレームアセンブリ４３０を備えた使用のために構成される圧縮シールド４９０が、ここに記述されるような第１リードフレームアセンブリ４３０を備えた使用のために構成された、圧縮シールド４９０のそれらとは異なるシールド本体４９２に沿う位置でキャノピー４９４を画定することができることであり、さらに、ここに記述されるような第１および第２リードフレームアセンブリ４３０を備えた使用のために圧縮シールド４９０の取付部材４９８が、望まれるような任意の代りの実施例にしたがって構成することができることである。
【０２４０】
[０２９３] リードフレームアセンブリ４３０を組み立てる好ましい方法にしたがって、信号接点４５２を有するリードフレームハウジング４３２は、上述されたような接地プレート４６８に取付けることができる。複数のケーブル５００は、例えば、導体端部５１４、および接地ジャケット５０６の露出した部分５０７を画定するように絶縁外部層５０６または５０８の一方または両方の部分を除去することによって、準備することができる。導体端部５１４は、信号接点４５２の設置端部４５８のそれぞれのものの上に配置されるように構成することができる。各ケーブル５００の接地ジャケット５０６の露出した部分５０７は、プレート本体４７０の内部表面４７０ａでオーバーラップするように構成することができ、各ケーブル５００の導体端部５１４が、信号接点４５２の設置端部４５８の対応するものに取付けるときに、プレート本体４７０の内部表面４７０ａに当接することができる。
【０２４１】
[０２９４] 複数のケーブル５００のそれぞれの導体端部５１４は、その後、信号接点４５２の設置端部４５８のそれぞれのものに取付けることができる。
【０２４２】
例えば、複数のケーブル５００のそれぞれの導体端部５１４は、接合するか、またはそうでなければ、信号接点４５２の設置端部４５８のそれぞれのものに取付けることができる。圧縮シールド４９０は、その後、リードフレームアセンブリ４３０に取付けることができる。リードフレームアセンブリ４３０に圧縮シールド４９０を取付ける前に、複数のケーブル５００のそれぞれによって画定される横断面の寸法Ｄ６は、距離Ｄ７未満であり、それは、圧縮シールド４９０が、リードフレームアセンブリ４３０に付けられているとともに、圧縮シールド４９０が、複数のケーブル５００の少なくとも端部５１２を圧縮するように作動するようなものである。
【０２４３】
[０２９５] 圧縮シールド４９０は、リードフレームハウジング４３２に取付けられるとともに、頂部壁４９７の内部表面４９７ａは、ケーブル５００と接触するようになり、それによって、ケーブル５００のそれぞれの接地ジャケット５０６は、ケーブル５００のそれぞれの接地ジャケット５０６の露出した部分５０７は、複数のケーブル５００のそれぞれによって画定される横断面の寸法Ｄ６が、距離Ｄ７とほぼ等しいところまで、プレート本体４７０の内部表面４７０ａに対して圧縮されるように、ケーブルを圧縮する。圧縮シールド４９０は、したがって、それぞれの複数のケーブル５００の少なくとも１つの部分、例えば、接地ジャケット５０６の露出した部分５０７を偏位するように構成することができ、それは、接地ジャケット５０６の露出した部分５０７が、接地プレート４６８と電気通信するように置かれるようなものである。圧縮シールド４９０は、望まれるような、任意の適切な材料から造ることができることは、認識されるべきである。例えば、圧縮シールド４９０は、導電性の損失の多い材料のような、金属または導電性プラスチックのような導体材料、または望まれるような任意の適切な損失の多い材料から作ることができる。第２電気コネクタ４００が、例証されたリードフレームアセンブリ４３０に限定されないことは、認識されるべきである。例えば、電気コネクタ４００は、代りに、任意の他の適切なリードフレームアセンブリ、例えば、望まれるように構築された１つまたはそれ以上のリードフレームアセンブリを使用して構築することができる。
【０２４４】
[０２９６] 今度は図２７を参照して、コネクタハウジング４０６は、以下により詳細に記述されるように、異なって構築されるコネクタハウジング４０６のある要素を例外として、コネクタハウジング２０６にほぼ同一に構築することができる。したがって、明瞭さのために、コネクタハウジングタ２０６の対応する要素にほぼ近似しているコネクタハウジング４０６の要素は、２００だけ増加される参照番号でラベル付けされる。例えば、コネクタハウジング４０６は、直角のコネクタハウジングではなく垂直のコネクタハウジングとして構築される。さらに、コネクタハウジング４０６は、コネクタハウジング２０６のフレキシブルアーム２３１を有していない。
【０２４５】
[０２９７] 第２電気コネクタ４００は、コネクタコネクタハウジング４０６の空隙（void）内に配置され、さらに、横方向Ａに沿って相互から離れて一定間隔で配置される複数のリードフレームアセンブリ４３０を有することができる。各リードフレームアセンブリ４３０は、電気コネクタ４００において電気接点４５０のそれぞれの縦列を画定することができる。例証された実施例によれば、コネクタハウジング４０６は、６つのリードフレームアセンブリ４３０を支持する。６つのリードフレームアセンブリ４３０は、コネクタハウジング４０６において左から右に配置される第１および第２リードフレームアセンブリ４３０を交互にして有することができる。信号接点４５２の結合先端４６４、および、第１リードフレームアセンブリの接地プレート４６８の接地結合端部４７２の先端４８０は、先端４６４および４８０が、ハウジング本体４０８の第１側壁４０８ｅに向かって曲げられる第１方向付けにしたがって配置することができる。信号接点４５２の結合先端４６４、および、第２リードフレームアセンブリの接地プレート４６８の接地結合端部４７２の先端４８０は、先端４６４および４８０が、ハウジング本体４０８の第２側壁４０８ｆに向かって曲げられる第２方向付けにしたがって配置することができる。第２電気コネクタ４００は、第１側壁４０８ｅと第２側壁４０８ｆとの間の左から右までコネクタハウジング４０６内に配置される第１および第２リードフレームアセンブリ４３０を交互にして構築することができる。
【０２４６】
[０２９８] 第１および第２コネクタハウジング１０６および４０６は、さらに相互に関して結合位置における第１および第２電気コネクタ１００および４００を保持するように構成される補完的保持部材を画定することができる。例えば、例証された実施例によれば、コネクタハウジング１０６は、横断方向Ｔに沿って、それぞれ、第１および第２整列ビーム１２２ａおよび１２２ｂ内に延びる第１および第２ラッチ受け部材１２３ａおよび１２３ｂのような少なくとも１つのラッチ受け部材１２３を画定する。コネクタハウジング４０６は、第１および第２ラッチ部材４２３ａおよび４２３ｂのような少なくとも１つのラッチ部材４２３を有する。第１ラッチ部材４２３ａは、ハウジング本体４０８の頂部壁４０８ｃに配置され、かつ、第１ラッチ受け部材１２３ａと解放可能に係合するように構成される。第２ラッチ部材４２３ｂは、同様に、第１ラッチ部材４２３ａに構築され、ハウジング本体４０８の底部壁４０８ｄに配置され、さらに、第２ラッチ受け部材１２３ｂと解放可能に係合するように構成される。
【０２４７】
[０２９９] ハウジング本体４０８は、さらに、第１および第２ラッチ部材４２３ａおよび４２３ｂを保護するように構成することができる。例えば、例証された実施例によれば、第１および第２側壁４０８ｅおよび４０８ｆは、横断方向Ｔに沿って頂部壁４０８ｃの上方に延び、さらに、横断方向Ｔに沿って底部壁４０８ｄの下方に延びる。認識されるべきことは、第１および第２コネクタハウジング１０６および４０６は、例証された保持部材に限定されず、さらに、第１および第２コネクタハウジング１０６および４０６の一方または両方が、代りに望まれるような任意の他の適切な保持部材で構築することができることである。さらに認識されるべきことは、第２コネクタハウジング２０６は、代りに、例証された保持部材にしたがって、または望まれるような任意の他の適切な保持部材にしたがって、構築することができることである。
【０２４８】
[０３００] さらにまた、認識されるべきことは、第２電気コネクタ４００は、代りに、第２電気コネクタ２００のような直角のレセプタクル電気コネクタと結合するように構築することができることである。例えば、コネクタハウジング４０６は、代りに、第１電気コネクタ１００の第１および第２整列ビーム１２２ａおよび１２２ｂにほぼ同一に構築される第１および第２整列ビームで構築することができる。代りに、第１電気コネクタ１００のコネクタハウジング１０６は、第２電気コネクタ４００のリードフレームアセンブリ４３０を受けるように代りに構築することができる。
【０２４９】
[０３０１]今度は図３１Ａ-３１Ｄを参照して、電気コネクタアセンブリ２０は、ここに記述されたタイプの複数の電気信号接点１５２、および複数の接地接点１５４を有する電気接点１５０および２５０を有している中２階コネクタである、第１および第２電気コネクタ１００および２００を有する両方の中２階コネクタアセンブリとして構成することができる。特に、信号接点の結合端部１５６および接地結合端部１７２は、それら自身のそれらのミラー像である補完的電気接点と結合するように構成される。結合端部１５６および接地結合端部１７２は、相互にほぼ平行に方向付けすることができ、さらに接地結合端部１５８および接地設置端部１７４は、相互にほぼ平行に方向付けることができる。電気コネクタ１００のそれぞれは、上述されたようなそれぞれのコネクタハウジング１０６によって支持される第１および第２リードフレームアセンブリ１３０ａ、および１３０ｂを有することができる。さらに、各コネクタハウジング１０６は、相互に受けるようにそれぞれ構成されるビームおよび凹所を有することができる複数の整列部材１２０のような１つまたはそれ以上を画定することができる。整列部材１２０は、コネクタハウジング１０６が両性であるように、すなわち、それら自身のミラー像を画定するハウジングと結合するように構成することができる。電気コネクタ１００が、相互に交換できるように構成されるので、電気コネクタアセンブリ２０は、両性のコネクタアセンブリとして参照することができ、さらに、電気コネクタ１００は、両性の電気コネクタとして参照することができる。例えば、電気接点１５０の結合端部は、それら自身のミラー像を画定する結合端部と結合するように構成され、電気コネクタ１００が逆であるときに電気接点１５０は、それらのミラー像を画定し、さらには、電気コネクタ１００が逆であるときにリニアアレイ１５１は、相互に対称的であり、中２階コネクタ１００は、両性のコネクタとして参照することができる。第１電気コネクタ１００のような両性のコネクタは、もし他の方法で示されなかったならば、ここに記述された任意の実施例によって構築することができる。第１および第２電気コネクタ１００が結合するときに、それらは、第１電気コネクタ１００の設置インタフェース１０４から第２電気コネクタの設置インタフェース１０４まで測定されるか、または、第１電気コネクタ１００が、第２電気コネクタ２００が設置される第２基板３００ｂに設置される第１基板３００ａから測定される、望まれた、任意のスタック高さも画定することができる(例えば、 図１参照)。スタック高さは、例えば、低い方の端の約１０ｍｍと約５０ｍｍの範囲内にあることができる。
【０２５０】
[０３０２] 今度は図３２Ａを参照して、複数の信号接点１５２のそれぞれのもののレセプタクル結合端部１５６、信号接点のすべてまでの複数の結合端部１５６の代表は、ここに記述されるようにレセプタクルを画定することができる。信号接点１５２、およびしたがって結合端部１６４は、側面部１６０ａおよび１６０ｂのような第１および第２対向する表面、および、対向する側面部１６０ａ-ｂのそれぞれの間に接続される対向する端縁１６２を画定する。内部表面１５３ａは、第１側面部１６０ａによって画定することができ、さらに、外部表面１５３ｂは、第２側面部によって画定することができる。したがって、結合端部１５６ａは、内部表面１５３ａに向かって、例えば横方向Ａに沿って外部表面１５３ｂからの内部方向１９８ａ、およびしたがって、外部表面１５３ａに向かって、例えば横方向Ａに沿って内部表面１５３ｂから内部方向１９８ａと対向する外部方向１９８ｂを画定することができる。例証された実施例によれば、結合端部１５６は、長手方向Ｌに沿ってほぼ方向付けされた中央の接点軸芯ＣＡに沿って、ほぼ直線に延びる軸１８７を画定することができる少なくとも第１区分を有する。
【０２５１】
[０３０３] 結合端部１５６は、第２区分１８９および第３区分１９１のような、１対の区分を画定することができ、さらに、第３区分は、ほぼ「Ｓ」形状である外形を画定するように結合することができる。第２区分１８９は、第１区分１９１から長手方向前方に延びることができ、この区分は、結合端部１５６に向かって、例えば、結合方向Ｍに沿ってそれぞれの設置端部からの方向として画定することができる。第３区分１９１は、第２区分１８９から長手方向前方に延びることができる。第３区分１９１は、したがって、長手方向Ｌに沿う外部部分を画定することができ、さらに、第２区分１８は、長手方向Ｌに沿う外部部分から内部に間隔を置かれる内部部分を画定することができ、この外部部分は、内部部分より大きい屈曲（curvature）を画定する。さらに、外部部分の屈曲は、中央の接点軸芯ＣＡに関して内部部分の屈曲に対向することができる。
【０２５２】
[０３０４] 結合端部１５６は、第１区分１８７と第２区分１８９との間の第１インタフェース１９９ａ、および第２区分１８９と第３区分１９１との間の第２インタフェース１９９ｂを画定する。第１区分１８７では、第１および第２側面部１６０ａ-ｂは、中央の接点軸芯ＣＡとほぼ平行であり、かつ、長手方向Ｌおよび横断方向Ｔによって画定されるそれぞれの平面にほぼ共通平面であることができる。例えば、第１インタフェース１９９ａでは、結合端部１５６は、曲がること、例えば、結合端部１５６が長手方向に沿って前方に延びるような内部方向１９８ａのような、第１方向に沿って接点軸芯ＣＡから離れて曲がることができ、それは結合端部１５６に向かって、例えば、結合方向Ｍに沿ってそれぞれの設置端部からの方向として画定することができる。したがって、内部表面１５３ａは、第１インタフェース１９９ａで凹面であることができ、さらには、外部表面１５３ｂは、第１インタフェース１９９ａで凸面であることができる。
【０２５３】
[０３０５] 第２区分１８９では、結合端部１５６は、それが長手方向Ｌに沿って前方に延びるとともに、外部方向に沿って曲がる、例えば、湾曲することができる。したがって、外部表面１５３ｂは、凹面であることができ、また、内部表面１５３ａは、第２区分１８９で凸面であることができる。結合端部１５６は、第２インタフェース１９９ｂまで延びることができ、それは第２区分１８９から、それが長手方向に沿って前方に延びるとともに、内部方向１９８ａに沿って曲がる、例えば、湾曲することができる第３区分１９１までの移行を画定する。したがって、内部表面の１５３ａは、第３区分１９１で凹面であることができ、また、外部表面１５３ｂは、第３区分１９１で凸面であることができる。第３区分１９１は、上述されたような先端１６４を画定することができる。第３区分での内部表面１５３ａの屈曲は、第２区分の外部表面１５３ｂの屈曲より大きくなることができる。同様に、第３区分１９１での外部表面１５３ｂの屈曲は、第２区分１８９の内部表面１５３ａの屈曲より大きくなることができる。
【０２５４】
[０３０６]認識されるべきことは、接地結合端部１７２、接地結合端部２７２、接地結合端部４７２、および、任意の適切な、代りに構成された、接地結合端部は、信号接点１５２の結合端部１５６に関してここに記述されたように構成することができる。したがって、接地結合端部１７２、接地結合端部２７２、接地結合端部４７２、および、任意の適切な、代りに構成された、接地結合端部は、第１、第２、および第３区分１８７、１８９、および１９１、および信号接点１５２に関してここに記述されたようなインタフェース１９９ａおよび１９９ｂを画定することができる。さらに、結合端部２５６、結合端部４５６、および、任意の適切な代りに構成された、信号接点の結合接点は、信号接点１５２の結合端部１５６に関してここに記述されたように構築することができる。したがって、結合端部２５６、結合端部４５６、および、任意の適切な代りに構築された信号接点の結合端部は、第１、第２、および第３区分１８７、１８９、および１９１、および、信号接点１５２に関してここに記述されたようなインタフェース１９９ａおよび１９９ｂ１８７、１８９、１９１、および信号接点１５２に関してここに記述されるようなインタフェース１９９ａおよび１９９ｂを画定することができる。例えば、図３２Ｂ-３２Ｆは、結合端部１５６に関して、しかしながら、明瞭さの目的のために１００だけ増加した参照数字によって、ここに記述されたように構成される結合端部２５６を例証する。
【０２５５】
[０３０７] 今度は図３２Ｂを参照して、第１電気コネクタ１００の結合端部１５６と、結合方向Ｍに沿う第２電気コネクタの結合端部２５６との間の結合が、例えば、第１および第２電気コネクタが、上述されたような精密な整列の第２段階を完成した後に、例証される。結合端部１５６および２５６は、第１時間Ｔ１に開始する、一連の連続する単位時間中、例証され、それによって結合端部１５６および２５６は、離脱位置にあり、さらに、相互に関連するほぼ完全に結合した位置において、かつＴ２からＴ４を通して結合端部１５６および２５６によって第５の時間Ｔ５で終了する。
【０２５６】
[０３０８] 第１時間Ｔ１では、先端１６４での凸面外部表面１５３ｂは、先端１８０での外部表面１８１ｂと整列する。第１時間Ｔ１後の第２時間Ｔ２で、結合端部１５６の先端１６４、および結合端部２５６の先端２６４は、それぞれに、それぞれの外部表面１５３ｂおよび２５３ｂで接点位置Ｌ１で相互の初期の接触をする。結合接点１５６および結合端部２５６は、結合方向にほぼ垂直に方向付けられる相互に対する垂直力を及ぼし、そしてしたがってほぼ横方向Ａに沿って方向付けすることができる。さらに、結合端部１５６および２５６は、結合方向に沿って電気コネクタ１００および２００に加えられる結合力に応じて、時間Ｔ１とＴ２との間を相互に沿って移動する。結合端部１５６は、第１軸長ＳＬ１を画定し、さらに結合端部２５６は、以下により詳細に記述されるような第２軸長ＳＬ２を画定する。第１軸長ＳＬ１が、第２軸長ＳＬ２とほぼ等しいことは、認識されるべきである。
【０２５７】
[０３０９] 第２時間Ｔ２後の第３の時間Ｔ３で、結合端部１５６および２５６は、それらのそれぞれの結合方向Ｍに沿って移動し続けるとともに、先端１６４および２６４での外部表面１５３ｂおよび２５３ｂは、それぞれに、それぞれの第２区分１８９および２８９で相互に過ぎてスライドし、かつ相互に当接し、ここで、外部表面１５３ｂおよび２５３ｂは、凹面である。時間Ｔ２および時間Ｔ３の間で、結合力は、縮小し、０に接近する。第１および第２電気コネクタ１００および２００が、相互に結合するときは、第１および第２コネクタハウジング１０６および２０６が、時間Ｔ２で、横方向Ａに沿う第１距離、離れて間隔を置かれるときに、信号接点１５０の第１複数のレセプタクル結合端部１５６と、信号接点２５０の第２複数のレセプタクル結合端部２５６との間の係合は、０でない結合力を生成し、さらに、第１および第２コネクタハウジング１０６および２０６が、第１距離より短い第２距離、離れて間隔を置かれるときに、信号接点１５０の第１複数のレセプタクル結合端部１５６と、信号接点２５０の第２複数のレセプタクル結合端部２５６との間の係合は、ほぼ、０の結合する力を生成する (図３３Ａ-３３Ｂを参照)。
【０２５８】
[０３１０] 第３の時間Ｔ３の後、第３の時間Ｔ３および第４の時間Ｔ４の間に、先端２６４外部表面２５３ｂは、第２区分１８９と第１区分１８７との間のインタフェース１９９ａに向かって外部表面１５３ｂに沿って乗る。同様に、先端１６４の外部表面１５３ｂは、第２部分２８９と第１部分２８７との間のインタフェース２９９ａに向かって外部表面２５３ｂに沿って乗る。第４の時間Ｔ４では、第１および第２結合端１６４および２６４は、第１および第２接点位置Ｌ１およびＬ２を画定する。第１接点位置Ｌ１では、先端１６４での外部表面１５３ｂは、インタフェース２９９ａで外部表面２５３ｂと接触する。第２接点位置Ｌ２では、先端２６４での外部表面２５３ｂは、インタフェース１９９ａで外部表面１５３ｂと接触する。結合力は、時間Ｔ３と時間Ｔ４との間で増加する。
【０２５９】
[０３１１]認識されるべきことは、各レセプタクル結合端部１７２および１５６、さらに、２７２および２５６は、それぞれの中央軸心に沿って細長く、さらに、各レセプタクル結合端部は、それ自身のミラー像である結合端部と結合するように構成される２つの接点位置Ｌ１およびＬ２を画定する。例えば、接点位置Ｌ１およびＬ２は、結合端部１５６および１７２の最も内側の位置、すなわち、上述された分割壁に最も接近して間隔を置かれる位置であることができる。第２接点位置Ｌ２は、それぞれの先端から第１距離、一定間隔で配置することができ、さらに、第１接点位置Ｌ１は、それぞれの先端から第１距離未満である第２距離、一定間隔で配置することができる。例えば、第１接点位置Ｌ１は、先端によって画定することができる。したがって、第１接点位置Ｌ１は、遠位の接点位置として参照することができ、さらに、第２接点位置Ｌ２は、隣接の接点位置として参照することができる。隣接の接点位置Ｌ２は、それぞれのリードフレームハウジングから第１距離、一定間隔で配置され、さらに、遠位の接点位置Ｌ１は、それぞれのリードフレームハウジングから、第１距離より大きい第２距離、一定間隔で配置される。各レセプタクル結合端部は、最遠位の接点位置のような接点位置の１つから測定された軸長を画定する。したがって、結合端部１７２および１５６は、第１軸長ＳＬ１を画定し、さらに、結合端部２７２および２５６は、それぞれ第２軸長ＳＬ２を画定する。軸長ＳＬ１およびＳＬ２は、低い方の端の約１.０ｍｍと高い方の端の約３.０ｍｍの範囲を有することができる。例えば、軸長ＳＬ１およびＳＬ２は、約１.０ｍｍである。
【０２６０】
[０３１２]さらに、第１接点位置Ｌ１での結合端部のそれぞれは、それが接触距離として知られている距離を、結合する補完的結合端部に沿って乗るように構成され、第１および第２補完的結合端部のそれぞれの第１接点位置Ｌ１が、第１および第２補完的結合端部の他方の第２接点位置Ｌ２に着座するまで、第１接点位置Ｌ１が、補完的結合端部の結合端部に沿って、当接して乗る線形の距離として画定することができる。接地結合端部、および、第１および第２電気コネクタ１００および２００のそれぞれの信号接点の結合端部は、低い方の端の約１．０ｍｍ、例えば約２.０ｍｍ、と高い方の端の約５．０ｍｍ、例えば約４.０ｍｍ、例として３.０ｍｍ、の範囲における接触距離を画定することができる。１つの実施例によれば、接触距離は、約２.０ｍｍである。
【０２６１】
[０３１３] 第４の時間Ｔ４で、信号接点１５２および２５２は、第１と第２接点位置Ｌ１とＬ２との間で結合端部２５６と結合端部１５６との間のギャップＧを画定する。ギャップＧは、第１軸長ＳＬ１および第２軸長ＳＬ２の両方未満であるそれぞれの外部表面１５３ｂと２５３ｂとの間の横方向Ａに沿う幅を有することができる。接点の２つの位置、特にＬ１およびＬ２は、結合端部１５６および結合端部２５６によって保持されるので、第１および第２軸長ＳＬ１およびＳＬ２は、一定のままである。したがって、第１および第２軸長ＳＬ１およびＳＬ２が、時間Ｔ３で表示される値とほぼ等しいままであることは認識されるべきである。
【０２６２】
[０３１４] 第４の時間Ｔ４の後、第５の時間Ｔ５では、第１および第２電気コネクタ１００および２００は、ほぼ完全に相互に関連して結合する。特に、先端１６４での外部表面１５３ｂは、第１接点位置Ｌ１を画定するように軸２８７で外部表面２５３ｂと接触する。同様に、先端２６４での外部表面２５３ｂは、第２接点位置Ｌ１を画定するように軸１８７で外部表面１５３ｂと接触する。ギャップＧの横方向Ａに沿う幅は、時間Ｔ４でのギャップＧの幅に関連して増加するが、しかし、ギャップＧの幅は、第１軸長ＳＬ１および第２軸長ＳＬ２の両方より狭いままである。結合端部１５６および２５６は、２つの接点位置、特には、接点位置Ｌ１およびＬ２で相互に接触するので、第１および第２軸長ＳＬ１およびＳＬ２は、一定のままである。したがって、第１および第２軸長ＳＬ１およびＳＬ２が、時間Ｔ３で表示された値とほぼ等しいままであることは、認識されるべきである。上述されたように、結合端部１５６および２５６のそれぞれがする結合端部１５６および２５６の他方に加えられる垂直力は、それぞれのベース１４１(図２Ａ-Ｃ)および２４１(図４Ａ-Ｂ)に向かって内部方向１９８ａに沿って移動するようにそれぞれの結合端部１５６および２５６を偏位する。
【０２６３】
[０３１５] 電気的なシミュレーションは、第１、第２、および第２電気コネクタ１００、２００、および４００のここに記述された実施例が、それぞれに、例えば、各電気接点のそれぞれの結合および設置端部間に、すべての範囲以下およびすべての整数を含み、約６パーセント(６%)未満のような許容可能なクロストークレベル内に１%、２%、３%、４%、５%、および６%を含み、例えば１%-２%、２%-３%、３%-４%、４%-５%、および５%-６%を含んで、最悪の場合の、マルチアクティブなクロストークをもって、任意の毎秒０.２５ギガビット(Gb/s)増分をその間に含んで、毎秒約８ギガビット(８Gb/s)、および毎秒約５０ギガビット(５０のGb/s) 間の範囲において、さらに、これを含んで、(毎秒約２５ギガビット(２５Gb/s)、毎秒約３０ギガビット(３０Gb/s)、および毎秒約４０ギガビット(４０Gb/s)を含んで)、毎秒最小約３０ギガビット(３０Gb/s)のような、約０.１%-６%の範囲を超過しないデータを転送するように作動することができることを実証した。さらに、第１、第２、および第２電気コネクタ１００、２００および４００のここに記述された実施例は、それぞれまた約１５GHzのような１〜２５GHzの間の任意の０.２５GHz増加を有する約１および２５GHzを有するような間の範囲において作動することができる。
【０２６４】
[０３１６] ここに記述されるような電気コネクタは、エッジ結合の差動信号対を有することができ、さらに、電気接点１５０の結合端部および接地端部間のデータ信号を、非同期の、高々６パーセントの被害者対におけるマルチアクティブで最悪の場合のクロストークを伴って、少なくとも、毎秒約２８、２９、３０、３１、３２、３３、３４、３５、３６、３７、３８、３９、または４０ギガビット(または、その間の毎秒任意の０.１ギガビット増分) (約３０〜２５ピコ秒上昇時間で)の間に転送することができ、一方、同時に、差動インピーダンスをシステムインピーダンスのプラスまたはマイナス１０パーセント(典型的に８５または１００オーム)に保持し、さらに、同時に、約０〜-１dBで約２０GHz(シミュレートされた)の範囲内に、約０〜-２dBで約２０GHzから３０GHz(シミュレートされた)の範囲内に、０〜-４dB以内に３３GHzの範囲内に、そして約０〜-５dBで４０GHzの範囲以内に、挿入損失を維持する。１０Gbits/秒データ転送速度では、シミュレーションは、３.５を超過しないICN(すべてのNEXT)値、および１.３未満のICN(すべてのFEXT)値を生成する。２０Gbit/秒データ転送速度では、シミュレーションは、５.０未満のICN(すべてのNEXT)値および２.５未満のICN(すべてのFEXT)値を生成する。３０Gbit/秒データ転送速度では、シミュレーションは、５.３未満のICN(すべてのNEXT)値、および、４.１未満のICN(すべてのFEXT)値を生成する。４０Gbit/秒データ転送速度では、シミュレーションは、８.０未満のICN(すべてのNEXT)値、および６.１未満のICN(すべてのFEXT)値を生成する。
【０２６５】
[０３１７] 認識されるべきことは、それぞれに、リードフレームアセンブリ１３０、２３０および４３０の数および構成に限定されることがなく、さらに、第１、第２、および第２電気コネクタ１００、２００および４００が、それぞれ制限されていなく、第１、電気な第２と第２コネクタ１００、２００および４００が、代りに望まれるように構成することができることである。例えば、ここに記述され例証された実施例によれば、電気コネクタは、６縦列で４対の電気コネクタとして構成される。しかしながら、第１、第２、および第２コネクタ１００、２００、および４００は、望まれるような任意の組合せに２対、４対、６対、６縦列、８縦列、１０縦列、またはその類を有して構成することができる。さらに、コネクタハウジング１０６、２０６、および４０６は、整列部材または保持部材の一方、または両方で、またはそれなしで構築することができる。
【０２６６】
[０３１８] 認識されるべきことは、もし他の方法で示されなかったならば、ここに記述された任意の実施例によれば、第１電気コネクタ１００は、第１電気コネクタに関して上述されたように、第２コネクタ２００および４００が構築することができることは、また、もし他の方法で示されなかったならば、任意の実施例にしたがって、ここに記述した第２電気コネクタに関して上述されたように第１電気コネクタ１００、２００、および４００に関しては構築することができる。例えば、第１および第２電気コネクタ１００、２００、および４００のいずれか一方または両方は、垂直のコネクタ、直角コネクタ、または望まれるような直角のコネクタとして構成することができる。代りに、または、さらに、第１および第２電気コネクタ１００、２００、および４００のいずれか一方、または両方は、ケーブルコネクタとして構成することができる。さらに、総体の整列部材２２０ａ、およびまたは、第２電気コネクタ２００および４００の精密な整列部材２２０ｂは、リードフレームアセンブリ２３０に隣接して分離するギャップ２６３の対向する側部に、上述された方法で、またはリードフレームアセンブリ２３０それ自身の対向する側部に配置することができる。さらに、総体の整列部材１２０ａ、およびまたは、第１電気コネクタ１００の精密な整列部材１２０ｂは、横断方向Ｔに沿って、対１６１のようなリードフレームアセンブリ１３０に隣接して分離するギャップの対向する側部に、またはリードフレームアセンブリ１３０それ自身の対向する側部に配置することができる。精密な整列部材２２０ｂは、したがって分割壁２１２のそれぞれのものと整列し、横断方向Ｔに沿って対２６１の与えられた１つの、第１および第２リードフレームアセンブリ２３０ａ-ｂを分割する分割壁２１２のそれぞれのものの対向する側部に配置することができる。
【０２６７】
[０３１９] 第１電気コネクタ１００の精密な整列部材１２０ｂは、ここに記述されるような整列ビーム、ここに記述されるような整列凹所、ここに記述されるようなフレキシブルアームまたはここに記述されるような任意の適切な代替整列構造として構成することができる。同様に、第２電気コネクタ２００および４００の精密な整列部材は、ここに記述されるような整列ビーム、ここに記述されるような整列凹所、ここに記述されるようなフレキシブルアーム、またはここに記述されるような任意の代替整列構造として構成することができる。
【０２６８】
[０３２０] さらに、認識されるべきことは、第２電気コネクタ２００および４００の総体の整列部材が、上述された方法で、横断方向Ｔに沿ってギャップと整列するリードフレームアセンブリ、または対のリードフレームアセンブリに隣接して分離するギャップの対向する側部に配置することができることである。代りに、第１電気コネクタの総体の整列部材は、リードフレームアセンブリまたは対のリードフレームアセンブリに隣接して分離するギャップの対向する側部に配置し、かつ、長手方向Ｌに沿ってギャップと整列することができ、さらに、第２電気コネクタの整列レセプタクルは、与えられた対のリードフレームアセンブリの１つの第１および第２リードフレームアセンブリを分割する分割壁のそれぞれのものと整列することができ、かつ、長手方向Ｌに沿って分割壁のそれぞれのもの対向する側部に配置することができる。第１電気コネクタ１００の総体の整列部材は、ここに記述されるような整列ビーム、ここに記述されるような整列凹所、ここに記述されるようなフレキシブルアーム、またはここに記述されるような任意の適切な代替整列構造として構成することができる。同様に、第２電気コネクタ２００および４００の総体の整列部材は、ここに記述されるような整列ビーム、ここに記述されるような整列凹所、ここに記述されるようなフレキシブルアーム、またはここに記述されるような任意の代替整列構造として構成することができる。
【０２６９】
[０３２１]さらに、１つ、またはそれ以上すべてまでの第１電気コネクタ１００の精密な整列部材１２０ｂの対は、それぞれの対の総体の整列部材１２０ａであって、横方向Ａに沿って外部の整列部材を画定することができるもの)の間に配置された内部の整列部材を画定することができる。代りに、またはさらに、１つ、またはそれ以上すべてまでの第１電気コネクタ１００の総体の整列部材１２０ｂの対は、横方向Ａに沿って、それぞれの対の精密な整列部材１２０ａであって、外部の整列部材を画定することができるものの間に配置された内部の整列部材を画定することができる。総体の整列部材１２０ａの対の少なくとも１つが、精密な整列部材１２０ｂの対の少なくとも１つに隣接して配置することができることは、認識されるべきである。代りに、なお、第１電気コネクタ１００は、１２０ａおよび横方向Ａに沿って総体の整列部材１２０ａの１対に隣接して配置される１対の総体の整列部材１２０ａ、および、１対の精密な整列部材１２０ｂを有することができる。したがって、第１電気コネクタ１００は、少なくとも１対の総体の整列部材１２０ａ、および、総体の整列部材１２０の対に隣接して配置される少なくとも１対の精密な整列部材を有することができるということができる。さらになお、第１電気コネクタ１００は、整列部材１２０の１つのセットだけで構築することができるか、または整列部材がすべて欠如することができる。
【０２７０】
[０３２２] 同様に、１つ、またはそれ以上すべてまでの第２電気コネクタ２００および４００の精密な整列部材２２０ｂの対は、それぞれの対の総体の整列部材であって、横方向Ａに沿って外部の整列部材を画定することができるものの間に配置された内部の整列部材を画定することができる。代りに、またはさらに、１つ、またはそれ以上すべてまでの第２電気コネクタ２００および４００の総体の整列部材の対は、精密な整列部材のそれぞれの対であって、横方向Ａに沿って外部の整列部材を画定することができるものの間に配置された内部の整列部材を画定することができる。認識されるべきことは、第２電気コネクタ２００および４００の総体の整列部材の対の少なくとも１つは、隣接する、精密な整列部材の対の少なくとも１つに隣接して配置することができることである。代りになお、第２電気コネクタ２００および４００は、１対の総体の整列部材、および、横方向Ａに沿う１対の総体の整列部材に隣接して配置された１対の精密な整列部材を有することができる。したがって、第２電気コネクタ２００および４００は、少なくとも１対の総体の整列部材、さらには、少なくとも１対の精密な整列部材を横方向Ａに沿う１対の総体の整列部材に隣接して配置された１対の精密な整列部材を有することができる。さらになお、第２電気コネクタ２００および４００は、整列部材の１つのセットだけで構築することができるか、または整列部材をすべて欠如することができる。
【０２７１】
[０３２３] さらに、第１電気コネクタ１００は、コネクタハウジングの後部端部とコネクタハウジングの前方端部の間の当接表面を画定することができるが、第２電気コネクタは、代りに、またはさらに、コネクタハウジングのそれぞれの後部端部とコネクタハウジングの前方端部との間に当接表面を有することができる。代りに、第１電気コネクタのコネクタハウジングの前方端部は、当接表面を画定することができる。さらに、第１および第２電気コネクタのいずれか一方または両方は、それぞれに、それぞれのカバー壁１１６および２１６を有することができるか、または、第１および第２カバー壁１１６および２１６を欠如することができる。さらに、第１および第２電気コネクタのいずれか一方または両方は、それぞれの接点突起部を有することができるか、または接点突起部を欠如することができる。さらになお、第１および第２電気コネクタのいずれか一方または両方は、リードフレーム開口を有することができるか、またはリードフレーム開口を欠如することができる。さらになお、第１および第２電気コネクタのいずれか一方または両方の電気接点の設置端部は、２７１に関して記述されたようなリードを画定することができる。さらになお、第１および第２電気コネクタのいずれか一方または両方の電気接点の結合端部は、図３２Ａ-３２Ｆに関して記述されたように、ほぼ「Ｓ-形」であることができる。
【０２７２】
[０３２４]方法は、電気コネクタにおける挿入損失を制御するために提供することができる。方法は、設置端部およびレセプタクル結合端部をそれぞれ画定する複数の信号の接点にアクセスするステップであって、凹面表面を画定する先端を画定する、各レセプタクル結合端部は、凹面表面の向こうの凸面表面にアクセスするステップを有することができる。方法は、さらに、電気絶縁のコネクタハウジングにおける信号接点の位置決めをするステップを有し、それは、信号接点が、少なくとも第１および第２の直接隣接するリニアアレイに配置され、さらに、第１リニアアレイの信号接点の凹面表面が、第２リニアアレイの信号接点の凹面表面に面するようなものである。方法は、さらに、第１および第２リニアアレイのそれぞれに沿って差動信号対を画定するステップを有することができる。方法は、さらに、第１および第２接点位置でそれ自身のミラー像である補完的結合端部とのそれぞれの結合端部と結合するステップを有することができる。各レセプタクル結合端部は、中央軸芯に沿って細長く、かつ、第１接点位置から中央軸芯に沿う先端の終端端縁まで測定された軸長を画定し、さらに、その軸長は、約１.０ｍｍの低部端部および約３.０ｍｍの上部端部を有する範囲にある。
【０２７３】
[０３２５]方法は、さらに、補完的結合端部に沿う接点位置の１つに当接し、かつ乗るステップを有し、レセプタクル結合端部および補完的結合端部のそれぞれの第１接点位置までの接触距離は、レセプタクル結合端部および補完的結合端部の他方の第２接点位置と当接し、さらに、その接触距離は、約２.０ｍｍの低部端部および約５.０ｍｍの上部端部を有する範囲にある。方法は、さらに、分割壁の対向する第１および第２表面に隣接する第１および第２リニアアレイのそれぞれを位置決めするステップを有しており、それは、第１リニアアレイの信号接点の凹面表面が、分割壁の第１表面に面し、かつ、第２リニアアレイの信号接点の凹面表面が、第１表面と対向する分割壁の第２表面と面するようなものである。方法は、さらに、カバー壁によって第１方向に沿う第１および第２リニアアレイの先端の少なくとも一部分を覆うステップを有することができる。方法は、さらに、差動信号対の１つの信号接点の選択した１つを受けるポケットを画定するステップを有し、このポケットは、分割壁から外方に延びる１対のリブによって画定されている。方法は、さらに、その端縁がリブに面するような信号を位置付けるステップを有することができる。
【０２７４】
[０３２６] 方法は、さらに、第１リニアアレイの第１端部での単一の電気ウィドー接点を画定し、かつ、第２リニアアレイの第２端部で配置された単一のウィドー接点を画定するステップを有し、第１端部に対向する第２端部、およびウィドー接点のそれぞれは、それぞれの結合端部、およびそれぞれの設置端部を有する。方法は、さらに、ウィドー接点のそれぞれの結合端部とそれぞれの第１および第２リニアアレイの差動信号対との間に配置されたそれぞれの接地結合端部を配置するステップを有し、それは、単一のウィドー接点が、それぞれの接地結合端部を除いてそれぞれのリニアアレイに沿って任意の他の電気接点に隣接して配置されないようなものである。方法は、さらに、リニアアレイの少なくとも１つに沿って第１および第２差動信号対間に配置された接地結合端部を配置するステップを有し、そこでは開口は、第２方向に沿って接地結合端部を通って延びる。
【０２７５】
[０３２７] 方法は、さらに、電気絶縁性のリードフレームハウジングを有するリードフレームアセンブリを組み立てるステップと、リードフレームハウジングよって第１リニアアレイの信号接点を支持することと、リードフレームハウジングに接地プレートを取付けることであって、そこでは、接地プレートは、接地プレート本体および接地プレート本体によって保持される複数のリブを有し、それぞれのリブは、第１リニアアレイの隣接する差動信号対、および、それぞれの接地接合端部および接地設置端部と整列したそれぞれのリブ間の位置まで延びること、とを有する。設置端部は、リードフレームハウジングから遠位端まで外方に延びる軸と、両方の軸から角度をもって偏位される方向、および、第１および第２方向に垂直である第３方向に沿った軸の遠位端から延びるフックとを有するリードを画定することができる。方法は、さらに、信号接点を、それらが補完的信号接点と結合するとともに、信号接点の屈曲に抵抗するように、第１リニアアレイの信号接点が存在するリードフレームハウジングにおけるチャンネルを越えて延びる突起部と接触するステップを有する。リードフレームアセンブリは、さらに、リブのそれぞれのものと整列した位置でリードフレームハウジングを通って延びるリードフレーム開口を画定することができ、そこでは、リードフレーム開口は、接地結合端部とリブの１つと整列する接地設置端部との間の長さを画定し、さらにその長さは、整列した接地結合端部と接地設置端部との間のリブの１つの少なくとも１つの長さの半分である。方法は、さらに、接地プレート本体内にリブを浮彫りにするステップを有することができる。
【０２７６】
[０３２８]方法は、さらに、設置端部を、第１および第２方向および第２方向によって画定される第１平面に沿って方向付けられた第１基板に設置することと、第２基板が、第１方向と、この第１方向と第２方向との両方に垂直である第３方向とによって画定される第２平面に沿って位置づけられる間に、第１リニアアレイと第２リニアアレイとの間に画定された結合端部でギャップに第２基板の先端を挿入することのステップを有する。この方法は、さらに、接地結合端部が、差動信号対のそれぞれのものの間で配置されることを接地するステップを有することができ、それは、端縁から端縁までそれぞれのリニアアレイに沿って信号接点の結合端部のそれぞれによって画定される距離よりも大きい端縁から端縁までのそれぞれのリニアアレイに沿った距離を画定するようなものである。この方法は、さらに、設置端部に関して垂直な結合端部をほぼ位置付けること、および、コネクタハウジング内に先端を窪ませること、のステップを有することができる。この方法は、さらに、リニアアレイに沿って差動信号対の対向する側面部におけるそれぞれの直接隣接する接地結合端部によって第１および第２リニアアレイのそれぞれに沿って各差動信号対の結合端部を並べて置くことのステップを有する。この方法は、さらに、挿入損失を、同時に約０〜-２dBから３０GHzの範囲内に維持している間、高々６パーセントの被害者対における、非同期で、マルチアクティブな、最悪の場合のクロストークで、毎秒４０ギガビットまでのデータ転送速度で差動信号対に沿うデータ信号を転送するステップを有する。
【０２７７】
[０３２９] 方法は、また、電気コネクタを販売するために提供することができる。この方法は、聞こえる言葉または表現の明確な媒体に固定された視覚的な描写によって、第三者に対する広告の、または第三者に対する販売の申し出の、または、第三者に対する販売のステップを有することができ、任意の実施例にしたがってここに構築された第１電気コネクタの市販入手可能性は、エッジ対エッジに位置された差動信号対、レセプタクルタイプ結合インタフェース、および、４０Gbit/秒を有するデータ転送速度を有する第１電気コネクタを有する。他のステップは、聞こえる言葉または表現の明確な媒体に固定された視覚的な描写によって、第三者に広告することを有することができ、任意の実施例にしたがってここに構築された第２電気コネクタの市販入手可能性は、エッジ対エッジに位置された差動信号対、レセプタクルタイプ結合インタフェース、および、４０Gbit/秒を有するデータ転送速度を有し、ここで、第１電気コネクタおよび第２電気コネクタは相互に結合される。
【０２７８】
[０３３０]先行する記述は、説明の目的で提供され、電気コネクタを限定することとして解釈することはできない。様々な実施例が、好ましい実施例、または好ましい方法に関して記述されたが、ここに使用された用語は、内容表示文言ではなく、記述と例証の言葉であることが理解される。さらに、実施例は、特別の構造、方法および実施例に関してここに記述されたが、電気コネクタは、ここに示された詳細に限定されたようには意図されない。例えば、特別な構造、および１つの実施例に記述された方法がもし他の方法で示されなかったならばここに記述された他のすべての実施例に等しく適用可能であることは認識されるべきである。この明細書の教示の利益がある適切な技術に熟練しているものは、ここに記述されるような電気コネクタへの多数の修正を達成することができ、さらには、例えば、付属された請求項によって記述されたように、変更が、電気コネクタの精神および範囲から逸脱されずになされることができる。
以下に、本願出願の当初の特許請求の範囲に記載された発明を付記する。
［１］  第１方向に沿って補完的電気コネクタに結合するように構成された電気コネクタであって、この電気コネクタは、
電気絶縁性コネクタハウジングと、
このコネクタハウジングによって支持される複数の信号接点であって、複数の信号接点のそれぞれは、設置端部およびレセプタクル結合端部を画定し、各レセプタクル結合端部は、凹面表面およびこの凹面表面に対向する凸面表面を画定する先端を画定するものとを有してなり、
さらに、  １)信号接点は、少なくとも第１および第２リニアアレイに配置され、この第２リニアアレイは、第１方向に垂直である第２方向に沿う第１リニアアレイに直接隣接して配置され、それは、第１リニアアレイの信号接点の凹面表面が、第２リニアアレイの信号接点の凹面表面に面するようであり、  ２)リニアアレイのそれぞれに沿う直接隣接する信号接点は、それぞれの差動信号対を画定する電気コネクタ。
［２］  各レセプタクル結合端部は、第１および第２接点位置を画定し、さらに、２つの接点位置でそれ自身のミラー像である補完的結合端部と結合するように構成される［１］記載の電気コネクタ。
［３］  各レセプタクル結合端は、中央軸心に沿って細長く、さらに、中央軸心に沿って第１接点位置から先端の終端端部まで測定された軸長を画定し、さらにその軸長は、約１ｍｍの低部端部および約３ｍｍの上部端部を有する範囲にある［２］記載の電気コネクタ。
［４］  軸長は、約１ｍｍである［３］記載の電気コネクタ。
［５］  第１接点位置のそれぞれは、補完的結合端部に沿ってレセプタクル結合端部および補完的結合端部のそれぞれの第１接点位置が、レセプタクル結合端および補完的結合端の他方の第２接点位置に接するまでのワイプ距離に当接し、かつ乗り、さらに、そのワイプ距離は、約２ｍｍの低部端部および約５ｍｍの上部端部を有する範囲にある［３］記載の電気コネクタ。
［６］  ハウジングは、さらに、第１と第２リニアアレイとの間に配置された少なくとも１つの分割壁を有し、それは、第１リニアアレイの信号接点の凹面表面が、分割壁の第１表面に面するようなものであり、かつ、第２リニアアレイの信号接点の凹面表面が、第２方向に沿って第１表面と対向する分割壁の第２表面に面するようなものである［１］記載の電気コネクタ。
［７］  コネクタハウジングは、さらに第１方向に沿って第１および第２リニアアレイの先端の少なくとも一部分をオーバーラップするように第２方向に沿って分割壁から延びる少なくとも１つのカバー壁を画定する［６］記載の電気コネクタ。
［８］  さらに、第２方向に沿う分割壁から外方に延びる１対のリブを有し、１対のリブのそれぞれは、差動信号対の１つの信号接点の選択した１つを受けるポケットを画定するように、第１および第２方向の両方に垂直である第３方向に沿って一定間隔で配置される、［６］記載の電気コネクタ。
［９］  信号接点は、対向する側面部および側面部間で接続した対向する端縁を画定し、さらに、信号接点の選択した１つは、その端縁がリブに面するように方向付けられる［８］記載の電気コネクタ。
［１０］  信号接点の選択した１つの結合端部は、端縁の一方から側面部のそれぞれに沿う端縁の他方まで連続的に延びる［９］記載の電気コネクタ。
［１１］  第１リニアアレイは、リニアアレイの第１端部に配置された単一の電気ウィドー接点を画定し、さらに、第２リニアアレイは、第２リニアアレイの第２端部に配置された単一のウィドー接点と、第１端部に対向する第２端部と、および、それぞれの結合端部およびそれぞれの設置端部を有するウィドー接点のそれぞれとを画定する［１］記載の電気コネクタ。
［１２］  ウィドー接点のそれぞれの結合端部の間に配置されたそれぞれの接地の結合端部と、それぞれの第１および第２リニアアレイの差動信号対とをさらに有する［１１］記載の電気コネクタ。
［１３］  単一のウィドー接点は、それぞれの接地結合端部を除いて、それぞれのリニアアレイに沿う任意の他の電気接点に隣接して配置されない［１２］記載の電気コネクタ。
［１４］   さらに、リニアアレイの少なくとも１つに沿って第１および第２差動信号対間に配置された接地結合端部を有し、開口が、第２方向に沿って接地結合端部を通って延びる［１１］記載の電気コネクタ。
［１５］  さらに、電気絶縁性のリードフレームハウジング、リードフレームハウジングによって支持された第１リニアアレイの信号接点、および、リードフレームハウジングに取付けられた接地プレートを有し、接地プレートは、接地プレート本体、および接地プレート本体によって保持される複数のリブを有し、リブのそれぞれは、第１リニアアレイの隣接する差動信号対間の位置に、さらには、接地結合端部および接地設置端部のそれぞれと整列したリブのそれぞれ延びるリードフレームアセンブリを有する［１］記載の電気コネクタ。
［１６］  複数の設置端部は、リードフレームハウジングから遠位端まで外方に延びる軸を有するリード、および、両方の軸から角度をなして偏位される方向、および、第１および第２方向に垂直である第３方向に沿って軸の遠位端から延びるフックを画定する［１５］記載の電気コネクタ。
［１７］  第１リニアアレイの信号接点は、リードフレームハウジングを通って延びるチャンネルに存在し、さらに、リードフレームハウジングは、チャンネルを越えて延びて、それらが補完的信号接点と結合するとともに信号接点の屈曲に抵抗するように信号接点に接触する複数の突起部を画定する［１５］記載の電気コネクタ。
［１８］  リードフレームアセンブリは、リブのそれぞれのものと整列した位置でリードフレームハウジングを通って延びるリードフレーム開口を画定し、リードフレーム開口は、接地結合端部と、リブの１つと整列する接地設置端部との間の長さを画定し、長さが、整列した接地結合端部と接地設置端部との間のリブの１つの少なくとも１つの長さの半分である［１５］記載の電気コネクタ。
［１９］  リブは、接地プレート本体内に浮彫りにされる［１５］記載の電気コネクタ。
［２０］  設置端部は、第１および第２方向、および第２方向によって画定される第１平面に沿って方向付けされる第１基板に設置されるように構成され、さらに、結合端部は、第１リニアアレイと第２リニアアレイとの間のギャップを画定し、このギャップは、第１方向および第２方向の両方に垂直である第１方向に第３方向によって画定される第２プレートに沿って方向付けされる第２基板の先端を受けるように寸法採りされる［１］記載の電気コネクタ。
［２１］  各リニアアレイは、結合インタフェースでの信号接点の結合端部の隣接するものの間の接地結合端部と、設置インタフェースでの信号接点の設置端部の隣接するものの間の接地結合端部とを有し、さらに、電気コネクタは、設置インタフェースでの一定の接点ピッチと結合インタフェースでの可変接点ピッチとを画定する［１］記載の電気コネクタ。
［２２］  接地結合端部は、差動信号対のそれぞれのものの間に配置される［２１］記載の電気コネクタ。
［２３］  接地結合端部は、端縁から端縁までそれぞれのリニアアレイに沿う信号接点の結合端部のそれぞれによって画定される距離よりも大きい端縁から端縁までそれぞれのリニアアレイに沿う距離を画定する［２２］記載の電気コネクタ。
［２４］  結合端部は、設置端部に関してほぼ垂直に方向付けられる［１］記載の電気コネクタ。
［２５］  先端は、第１方向に対向する方向にコネクタハウジング内に窪んである［２４］記載の電気コネクタ。
［２６］  第１および第２リニアアレイのそれぞれに沿う各差動信号対の結合端部は、リニアアレイに沿って差動信号対の対向側面部のそれぞれの直接隣接する接地結合端部によって取囲まれる［１］記載の電気コネクタ。
［２７］  差動信号対は、３０GHzによる約０〜−２dBからの範囲内の挿入損失を同時に維持している間に、高々６パーセントの被害者対における、非同期の、マルチアクティブな、最悪の場合のクロストークで、毎秒４０ギガビットまでのデータ信号を伝達するように構成される［１］記載の電気コネクタ。
［２８］  第１方向に沿って補完的電気コネクタに結合するように構成された電気コネクタであって、
この電気コネクタは、電気絶縁性のコネクタハウジングを有し、
さらに、第１および第２リードフレームアセンブリは、それぞれ、リードフレームハウジングを有し、結合インタフェースに沿う複数の結合端部を画定するように、リードフレームハウジングによって支持される複数の信号接点、およびリードフレームハウジングに取付けられる接地プレートであって、この接地プレートは、ほぼ長手方向に沿うコネクタハウジングから外方に延びる複数の接地設置端部、長手方向にほぼ垂直である横断方向に沿って信号接点の差動対の結合端部間に配置される接地結合端部のそれぞれのものを画定し、接地プレートは、横方向に沿う接地結合端部のそれぞれを通って延びる取囲まれた開口を画定する電気コネクタ。
［２９］  接地を結合端部は、端縁から端縁まで横断方向に沿って信号接点の結合端部のそれぞれによって画定された距離よりも大きい、端縁から端縁まで横断方向に沿う距離を画定する［２８］記載の電気コネクタ。
［３０］  電気信号接点の結合端部および接地結合端部は、第１方向に対向する第２方向にコネクタハウジング内に窪んである［２８］で詳述されるような電気コネクタ。
［３１］  ハウジングは、さらに、第１および第２リードフレームアセンブリ間に配置される少なくとも１つの分割壁を有し、それは、接地結合端部、および第１リードフレームアセンブリの電気信号接点の結合端部の凹面表面が、分割壁の第１表面に面するとともに、接地結合端部および電気信号接点の結合端部の凹面表面が、第１表面に対向する分割壁の第２表面に面するようなものである［２８］記載の電気コネクタ。
［３２］  リードフレームアセンブリは、結合端部の第１リニアアレイを画定し、第２リードフレームアセンブリは、結合端部の第２リニアアレイを画定し、さらに、第１リードフレームアセンブリは、第１リニアアレイの第１端部に配置される単一の電気ウィドー接点を画定し、さらには、第２リードフレームアセンブリは、第１端部に対向する第２端部、第２リニアアレイの第２端部に配置される単一のウィドー接点を画定する［２８］記載の電気コネクタ。
［３３］  単一のウィドー接点のそれぞれは、それぞれの第１および第２リニアアレイに沿う単一結合端部以外の、任意の他の電気接点に隣接して  配置されない［３２］で詳述されるような電気コネクタ。
［３４］  各リードフレームアセンブリの接地プレートは、接地プレート本体およびそれぞれのリードフレームアセンブリの直接隣接する差動信号対間の位置への接地プレート本体から外方に突出する複数のリブを有する  ［２８］記載の電気コネクタ。
［３５］  リブは、接地プレート本体内に浮彫りにされ、  リブのそれぞれは、接地結合端部および接地設置端部のそれぞれのものと整列する［３４］記載の電気コネクタ。
［３６］  リードフレームアセンブリは、リブのそれぞれのものと整列される位置でリードフレームハウジングを通って延びるリードフレーム開口を画定し、リードフレーム開口は、端部を結合する接地と、リブの１つと整列する接地結合端部と接地設置端部との間の長さを画定し、さらに、この長さは、整列した接地結合端部と接地設置端部との間のリブの１つの少なくとも１つの長さの半分である［３５］記載の電気コネクタ。
［３７］  ハウジング本体を有する電気絶縁性のリードフレームハウジングを有するリードフレームアセンブリと、
リードフレームハウジングによって支持され、かつ、電気信号接点のそれぞれの差動信号対に配置される複数の電気信号接点であって、ギャップは電気信号接点の直接隣接する差動信号対を分離し、複数の電気信号接点のそれぞれは曲がっている形状を画定する表面を有する単一の偏向可能なビームを画定するものと、
リードフレームハウジング(接地プレート本体を有する接地プレート)に取付けられる接地プレートであって、接地プレートは接地プレート本体、接地プレート本体から延びる接地結合端部、接地プレート本体から延びる接地設置端部、および、それぞれ、接地プレート本体の外表面からそれぞれのギャップ内に延びる複数のリブとを有する電気コネクタ。
［３８］  単一の偏向できるビームは、結合するコネクタのそれ自身のミラー像である偏向可能なビームと結合する［３７］記載の電気コネクタ。
［３９］  ギャップは、隣接する差動信号対間の横断方向に沿って延び、さらに、接地結合端部は、端縁から端縁まで横断方向に沿って差動信号対の信号接点の結合端部のそれぞれによって画定される距離よりも大きい端縁から端縁まで横断方向に沿う距離を画定する［３７］記載の電気コネクタ。
［４０］  リードフレームアセンブリは、リブのそれぞれのものと整列する位置でリードフレームハウジングを通って延びるリードフレーム開口を画定し、リードフレーム開口は、接地結合端部とリブの１つと整列する接地結合端部との間の長さを画定し、さらに、その長さは、整列した接地結合端部と接地設置端部との間のリブの１つの少なくとも１つの長さの半分である［３７］記載の電気コネクタ。
［４１］  リブは、接地プレート内に浮彫りにされる［４１］記載の電気コネクタ。
［４２］  ハウジング本体を有する電気絶縁のリードフレームハウジングと、
リードフレームハウジングによって支持され、かつ、それぞれの差動信号対に配置される複数の電気信号接点であって、ギャップは電気信号接点の隣接する差動信号対を分離するものと、
および、リードフレームハウジングに取付けられる接地プレートであって、この接地プレートは、接地プレート本体を有しており、接地プレート本体から延びる接地結合端部、接地プレート本体からギャップ内に延びるリブのそれぞれ、さらに、接地プレート本体内に浮彫りにされる複数のリブ、ギャップ内に接地プレート本体から延びるリブのそれぞれ、接地結合端部および接地設置端部のそれぞれのものと整列されるリブのそれぞれ、
リードフレームアセンブリは、リブのそれぞれのものと整列される位置でのリードフレームハウジングを通って延びるリードフレーム開口を画定し、リードフレーム開口のそれぞれは、接地結合端部とリブの１つと整列される接地設置端部との間の長さを画定する、さらに、その長さは、整列した接地結合端部と接地設置端部との間のリブの１つの少なくとも１つの長さの半分であるものを有するリードフレームアセンブリ。
［４３］  接地設置端部は、長手方向に沿って相互から一定間隔で配置され、接地結合端部は、長手方向に垂直である横断方向に沿って相互から一定間隔で配置され、さらに、開口は、長手方向と横断方向との両方に垂直である横方向に沿う結合接地端部のそれぞれのものを通って延びる［４２］記載のリードフレームアセンブリ。
［４４］  接地結合端部は、曲がった先端を画定し、さらに、接地結合端部の開口は、リードフレームハウジングから、曲がった先端から後方に間隔を置かれる第２位置に、前方に間隔を置かれる第１位置から延びる［４３］記載のリードフレームアセンブリ。
［４５］  電気コネクタハウジングは、
電気コネクタハウジングによって支持される複数の電気接点であって、この電気接点は、結合端部および設置端部をそれぞれ有する複数の信号接点端部および複数の接地設置、  １)信号接点の結合端部は、信号接点の設置端部に関して垂直に方向付けられ、  ２)接地結合端部は、接地設置端部に関して垂直に方向付けられる、さらに、  ３)信号接点の結合端部のそれぞれは、それ自身のミラー像を画定する補完的結合端部と結合し、かつ、接地結合端部のそれぞれは、それ自身のミラー像である補完的接地結合端部と結合し、
差動信号対は、被害者差動信号対における最悪の場合のマルチアクティブなクロストークを６パーセント以上は生成しない間に、２５ギガビット/秒のデータ転送速度でそれらの結合および接地端部間の差動信号を転送するように構成されるものを有する電気コネクタ。
［４６］  直角の電気コネクタは、電気絶縁性のコネクタハウジングと、結合インタフェースでリニアアレイに沿って整列した複数の結合端部であって、その結合端部は、電気信号接点の結合端部および接地結合端部を有するものと、設置インタフェースに沿って整列される複数の設置端部であって、その設置端部は、電気信号接点の設置端部および接地設置端部を有するものと、  １)結合端部は、リニアアレイに沿う可変接点ピッチを画定し、さらに、設置端部は、リニアアレイ有する平面に沿う設置インタフェースに沿って一定の接点ピッチを画定し、  ２)各結合端部は、中央軸芯に沿って細長く、さらに、第１接点位置から結合端部の終端端縁まで測定された軸長を画定するそれ自身のミラー像である補完的結合端部を結合するように構成された第１および第２接点位置を画定する、約１ｍｍの低部端部および約３ｍｍの上部端部を有する範囲における軸長、および  ３)第１接点位置のそれぞれは、補完的結婚に沿って接し乗る、レセプタクルの結合端および補完的結合端のそれぞれの第１接点位置までワイプ距離を端部する、レセプタクルの結合端および補完的結合端の他方の第２接点位置およびワイプ距離に接する、約１ｍｍの低域がある範囲にある、そして１つの、上部約４ｍｍの端部を有する第１方向に沿って補完的電気コネクタに結合するように構成される電気コネクタ。
［４７］  軸長さは、約１ｍｍである［４６］記載の電気コネクタ。
［４８］  直角の電気コネクタは、電気絶縁性のコネクタハウジングと、
複数の信号接点であって、それぞれの複数の信号接点は、設置端部および結合端部を画定し、直接隣接する信号接点は、各差動対を画定するものと、さらに、第１および第２隣接するリニアアレイに沿う信号接点と整列する複数の接地結合端部であって、第１リニアアレイに沿う各差動信号対は、第１リニアアレイに沿う差動信号対の対向する側面部における接地結合端部のそれぞれの直接隣接する１つによって、それぞれの側面部を取囲まれ、さらに、第２リニアアレイに沿う各差動信号対は、第２リニアアレイに沿う差動信号対の対向する側面部における接地の結合端部のそれぞれの直接隣接する１つによって、それぞれの側面部を取囲まれ、第１リニアアレイは、第１リニアアレイの第１端部に配置される単一の電気ウィドー接点を画定し、さらに、第２リニアアレイは、第２リニアアレイの第２端部に配置された単一のウィドー接点、第１端部に対向する第２端部、および、ウィドー接点のそれぞれは、それぞれのリニアアレイの接地結合端部と整列した結合端部、および各リニアアレイの接地設置端部と整列した設置端部を有する、第１方向に沿う補完的電気コネクタに結合するように構成される電気コネクタ。
［４９］  単一のウィドー接点は、接地結合部および整列された設置端部の１つを除いて、それぞれのリニアアレイに沿って任意の他の電気接点に隣接して配置されない［４８］記載の電気コネクタ。
［５０］  複数の第１リードフレームアセンブリおよび複数の第２リードフレームアセンブリを製造することであって、各リードフレームアセンブリは、ハウジング本体を有する電気絶縁性のリードフレームハウジングと、リードフレームハウジングによって支持され、かつそれぞれの差動信号対に配置される複数の電気信号接点と、さらには、リードフレームハウジングに取付けられた接地プレートであって、この接地プレートは、接地プレート本体、接地プレート本体から延びる接地結合端部、および、接地プレート本体から延びる接地結合端部を有するものとを有し、
第１および第２リードフレームアセンブリは、共通の方向に沿って異なる接点パターン画定し、かつ、電気信号接点および接地結合端部は、それら自身のミラー像と結合するものであり、
さらに、第１直角のコネクタの電気絶縁性のコネクタハウジングにおけるリードフレームアセンブリの第１複数のもの、およびリードフレームアセンブリの第２複数のものを支持することと、
さらには、第２直角のコネクタの電気絶縁性のコネクタハウジングにおけるリードフレームアセンブリの第１複数の他のもの、およびリードフレームアセンブリの第２複数の他のものを支持すること、のステップを有する方法。
［５１］  電気信号接点は、結合インタフェースに沿う接地結合端部と整列する結合端部を画定し、電気信号接点は、設置インタフェースに沿って接地設置端部と整列する設置端部を画定し、その方法は、それぞれの設置インタフェースが、相互と共通平面であるように、第１および第２直角の電気コネクタを結合することのステップを有する［５０］記載の方法。
［５２］  電気信号接点は、結合インタフェースに沿う接地結合端部と整列する結合端部を画定し、電気信号接点は、設置インタフェースに沿う接地設置端部と整列し、その方法は、それぞれの設置インタフェースが、相互と逆の共通平面であるように第１および第２直角の電気コネクタを結合することのステップを有する［５０］記載の方法。
［５３］  第１電気部品に設置されるように構成される第１電気コネクタであって、この第１電気コネクタは、
信号接点の第１複数であって、この信号接点の第１複数のそれぞれは、設置端部およびレセプタクル結合端部を画定し、各レセプタクル結合端部は、第１凹面の表面およびこの第１凹面の表面と対向する第２凸面の表面を画定する先端を画定し、電気絶縁性の第１コネクタハウジングは、信号接点の第１複数を支持し、それは、第１コネクタハウジングが、先端から前方に延び、第１コネクタハウジングが、少なくとも１つの総体の整列部材および少なくとも１つの精密な整列部材の画定し、信号接点の第１複数は、信号接点の少なくとも第１および第２リニアアレイに配置され、それは、第１リニアアレイの信号接点の第１凹面の表面が、第２リニアアレイの信号接点の第１凹面の表面に面するようなものであり、さらに、第１電気コネクタと結合するように構成され、さらに第２電気部品に設置されるように構成される第２電気コネクタであって、この第２電気コネクタは、信号接点の第２複数であって、この信号接点の第２複数のそれぞれは、設置端部およびレセプタクル結合端部を画定し、各レセプタクル結合端部は、第１凹面の表面およびこの第１凹面の表面と対向する第２凸面の表面を画定する先端を画定し、電気絶縁性の第２コネクタハウジングは、信号接点の第２複数を支持するものであり、それは、第１コネクタハウジングが、先端から前方に延び、第２コネクタハウジングが、少なくとも１つの総体の整列部材および少なくとも１つの精密な整列部材を画定するようなものであり、この信号接点の第２複数は、信号接点の少なくとも第１および第２リニアアレイに配置され、それは、信号接点の第２複数の第１リニアアレイの信号接点の第１凹面の表面が、信号接点の第２複数の第２リニアアレイの信号接点の第１凹面の表面に面するようなものであり、さらに、第１および第２コネクタハウジングの精密な整列部材は、第２電気コネクタの信号接点との整列の第２段階、整列の第１段階よりも正確な整列の第２段階において第１電気コネクタの信号接点を置くように相互に係合した後に、相互にだけ係合するように構成される電気コネクタアセンブリ。
［５４］  第１電気コネクタの総体の整列部材は、ビームを有し、さらに、第２電気コネクタの総体の整列部材は、第２電気コネクタの総体の整列部材と第１電気コネクタの総体の整列部材を係合するように、ビームを受けるように構成される凹所を有する［５３］記載の電気コネクタアセンブリ。
［５５］  第１電気コネクタの精密な整列部材は、ビームを有し、さらに、第２電気コネクタの精密な整列部材は、第２電気コネクタの精密な整列部材と第１電気コネクタの精密な整列部材を係合するように、ビームを受けるように構成される凹所を有する［５４］記載の電気コネクタアセンブリ。
［５６］  第１電気コネクタの精密な整列部材は、精密な整列ビームを有し、さらに、第２電気コネクタの第２精密な整列部材は、第１および第２両方向に垂直である第３の方向に沿って柔軟であるアームを有し、アームは、第１電気コネクタの精密な整列部材を第２電気コネクタの精密な整列部材と係合するように、精密な整列ビームに沿って乗るように構成される［５４］記載の電気コネクタアセンブリ。
【図１】
0006325521.tif 000002
【図２Ａ】
0006325521.tif 000003
【図２Ｂ】
0006325521.tif 000004
【図２Ｃ】
0006325521.tif 000005
【図３Ａ】
0006325521.tif 000006
【図３Ｂ】
0006325521.tif 000007
【図４Ａ】
0006325521.tif 000008
【図４Ｂ】
0006325521.tif 000009
【図５Ａ】
0006325521.tif 000010
【図５Ｂ】
0006325521.tif 000011
【図５Ｃ】
0006325521.tif 000012
【図６】
0006325521.tif 000013
【図７Ａ】
0006325521.tif 000014
【図７Ｂ】
0006325521.tif 000015
【図８Ａ】
0006325521.tif 000016
【図８Ｂ】
0006325521.tif 000017
【図９Ａ】
0006325521.tif 000018
【図９Ｂ】
0006325521.tif 000019
【図１０】
0006325521.tif 000020
【図１１】
0006325521.tif 000021
【図１２Ａ】
0006325521.tif 000022
【図１２Ｂ】
0006325521.tif 000023
【図１３】
0006325521.tif 000024
【図１４】
0006325521.tif 000025
【図１５Ａ】
0006325521.tif 000026
【図１５Ｂ】
0006325521.tif 000027
【図１５Ｃ】
0006325521.tif 000028
【図１６Ａ】
0006325521.tif 000029
【図１６Ｂ】
0006325521.tif 000030
【図１６Ｃ】
0006325521.tif 000031
【図１６Ｄ】
0006325521.tif 000032
【図１７】
0006325521.tif 000033
【図１８Ａ】
0006325521.tif 000034
【図１８Ｂ】
0006325521.tif 000035
【図１８Ｃ】
0006325521.tif 000036
【図１９Ａ】
0006325521.tif 000037
【図１９Ｂ】
0006325521.tif 000038
【図１９Ｃ】
0006325521.tif 000039
【図２０】
0006325521.tif 000040
【図２１Ａ】
0006325521.tif 000041
【図２１Ｂ】
0006325521.tif 000042
【図２２Ａ】
0006325521.tif 000043
【図２２Ｂ】
0006325521.tif 000044
【図２３Ａ】
0006325521.tif 000045
【図２３Ｂ】
0006325521.tif 000046
【図２４Ａ】
0006325521.tif 000047
【図２４Ｂ】
0006325521.tif 000048
【図２５】
0006325521.tif 000049
【図２６Ａ】
0006325521.tif 000050
【図２６Ｂ】
0006325521.tif 000051
【図２６Ｃ】
0006325521.tif 000052
【図２６Ｄ】
0006325521.tif 000053
【図２６Ｅ】
0006325521.tif 000054
【図２７】
0006325521.tif 000055
【図２８】
0006325521.tif 000056
【図２９】
0006325521.tif 000057
【図３０】
0006325521.tif 000058
【図３１Ａ】
0006325521.tif 000059
【図３１Ｂ】
0006325521.tif 000060
【図３１Ｃ】
0006325521.tif 000061
【図３１Ｄ】
0006325521.tif 000062
【図３２Ａ】
0006325521.tif 000063
【図３２Ｂ】
0006325521.tif 000064
【図３２Ｃ】
0006325521.tif 000065
【図３２Ｄ】
0006325521.tif 000066
【図３２Ｅ】
0006325521.tif 000067
【図３２Ｆ】
0006325521.tif 000068
【図３３Ａ】
0006325521.tif 000069
【図３３Ｂ】
0006325521.tif 000070